(57)【要約】モバイル・ノードのための通信ネットワーク・アーキテクチャ、システム、および方法。非限定的な例として、本解除の種々の態様は、複数のネットワーク・ノードを備える移動物体のネットワークにおいてモバイル・ネットワーク・ノードのハンドオーバを管理およびトリガするための方法、システム、および非一時的記憶媒体の詳細を提供する。【選択図】図１
2019506801.tif 000002
【特許請求の範囲】
【請求項１】
複数のネットワーク・ノードを備える移動物体を有するネットワークにおいてモバイル・ネットワーク・ノードのハンドオーバを管理およびトリガする方法であって、
第１無線通信プロトコルを使用する前記モバイル・ネットワーク・ノードが、前記複数のネットワーク・ノードのうち第１ネットワーク・ノードとの第１関連付けを実行するステップであって、前記第１関連付けの結果、前記第１ネットワーク・ノードと、第１データ経路およびバックボーン・ネットワークの間にデータ接続性を提供するリモート・システムと、を接続する前記第１データ経路を生成する、ステップと、
前記モバイル・ネットワーク・ノードの前記第１ネットワーク・ノードとの無線通信の損失の可能性を示す、前記モバイル・ネットワーク・ノードにおける少なくとも１つの条件の存在を判断するステップと、
前記複数のネットワーク・ノードのうち第２ネットワーク・ノードを、前記モバイル・ネットワーク・ノードの１つ以上の特性と、前記第２ネットワーク・ノードの１つ以上の特性と、にしたがって識別するステップと、
前記第１無線通信プロトコルを使用する前記モバイル・ネットワーク・ノードが、前記第２ネットワーク・ノードとの第２関連付けを実行するステップであって、前記第２関連付けの結果、前記第１ネットワーク・ノードと前記第２ネットワーク・ノードと、を接続する第２データ経路を生成する、ステップと、
前記モバイル・ネットワークが、前記第２ネットワーク・ノード、前記第１ネットワーク・ノード、前記第１データ経路、および前記リモート・システムを介して、前記バックボーン・ネットワークに、および前記バックボーン・ネットワークから、データを無線で転送するステップと、
を含む、方法。
【請求項２】
請求項１記載の方法において、
前記モバイル・ネットワーク・ノードの１つ以上の特性が、前記モバイル・ネットワーク・ノードの現在の地理的位置を含み、
前記第２ネットワーク・ノードの１つ以上の特性が、前記第２ネットワーク・ノードの現在の地理的位置を含む、方法。
【請求項３】
請求項１記載の方法において、前記モバイル・ネットワーク・ノードの１つ以上の特性が、前記モバイル・ネットワーク・ノードを搬送する車両の速度を含む、方法。
【請求項４】
請求項１記載の方法において、
前記モバイル・ネットワーク・ノードの１つ以上の特性が、前記モバイル・ネットワーク・ノードを搬送する車両によって移動されているルートを含み、
前記第２ネットワーク・ノードの１つ以上の特性が、前記第２ネットワーク・ノードの現在の地理的位置を含む、方法。
【請求項５】
請求項４記載の方法において、
前記車両が自律型車両であり、
前記移動されているルートが、前記自律型車両のナビゲーション・システムによって前記モバイル・ネットワーク・ノードに提供される、方法。
【請求項６】
請求項１記載の方法において、
前記第２ネットワーク・ノードおよび前記リモート・システムを接続する第３データ経路が、前記第２関連付けに応じて生成され、
前記第１データ経路および前記第２データ経路が、前記第３データ経路の生成の後に、接続解除される、方法。
【請求項７】
請求項１記載の方法において、前記第１ネットワーク・ノードが固定位置にあり、前記第２ネットワーク・ノードがモバイル・ネットワーク・ノードである、方法。
【請求項８】
請求項１記載の方法において、前記モバイル・ネットワーク・ノードにおける前記少なくとも１つの条件が、第１閾値未満である、前記第１ネットワーク・ノードから受信した信号を示す強度指標を含む、方法。
【請求項９】
請求項１記載の方法において、
前記モバイル・ネットワーク・ノードがエンド・ユーザ・デバイスとの無線通信をサポートし、
前記リモート・システムが、該リモート・システムを通じて接続される、対応するエンド・ユーザ・デバイスの前記地理的位置を監視する、方法。
【請求項１０】
請求項１記載の方法において、前記リモート・システムが、前記第１ネットワーク・ノードとの無線通信から、セルラ・ネットワークの基地局との無線通信へと、前記モバイル・ネットワーク・ノードにおけるシームレスなハンドオーバを可能とする、方法。
【請求項１１】
複数のコード部を備える非一時的コンピュータ可読媒体であって、各前記コード部が１つ以上のプロセッサによって実行可能な複数の命令を含み、該命令が、前記１つ以上のプロセッサに、複数のネットワーク・ノードを備える移動物体を有するネットワークにおいてモバイル・ネットワーク・ノードのハンドオーバを管理およびトリガする方法のステップを実行させ、前記方法のステップが、
第１無線通信プロトコルを使用する前記モバイル・ネットワーク・ノードが、前記複数のネットワーク・ノードのうち第１ネットワーク・ノードとの第１関連付けを実行するステップであって、前記第１関連付けの結果、前記第１ネットワーク・ノードと、第１データ経路およびバックボーン・ネットワークの間にデータ接続性を提供するリモート・システムと、を接続する前記第１データ経路を生成する、ステップと、
前記モバイル・ネットワーク・ノードの前記第１ネットワーク・ノードとの無線通信の損失の可能性を示す、前記モバイル・ネットワーク・ノードにおける少なくとも１つの条件の存在を判断するステップと、
前記複数のネットワーク・ノードのうち第２ネットワーク・ノードを、前記モバイル・ネットワーク・ノードの１つ以上の特性と、前記第２ネットワーク・ノードの１つ以上の特性と、にしたがって識別するステップと、
前記第１無線通信プロトコルを使用する前記モバイル・ネットワーク・ノードが、前記第２ネットワーク・ノードとの第２関連付けを実行するステップであって、前記第２関連付けの結果、前記第１ネットワーク・ノードと前記第２ネットワーク・ノードと、を接続する第２データ経路を生成する、ステップと、
前記モバイル・ネットワークが、前記第２ネットワーク・ノード、前記第１ネットワーク・ノード、前記第１データ経路、および前記リモート・システムを介して、前記バックボーン・ネットワークに、および前記バックボーン・ネットワークから、データを無線で転送するステップと、
を含む、非一時的コンピュータ可読媒体。
【請求項１２】
請求項１１記載の非一時的コンピュータ可読媒体において、
前記モバイル・ネットワーク・ノードの１つ以上の特性が、前記モバイル・ネットワーク・ノードの現在の地理的位置を含み、
前記第２ネットワーク・ノードの１つ以上の特性が、前記第２ネットワーク・ノードの現在の地理的位置を含む、非一時的コンピュータ可読媒体。
【請求項１３】
請求項１１記載の非一時的コンピュータ可読媒体において、前記モバイル・ネットワーク・ノードの１つ以上の特性が、前記モバイル・ネットワーク・ノードを搬送する車両の速度を含む、非一時的コンピュータ可読媒体。
【請求項１４】
請求項１１記載の非一時的コンピュータ可読媒体において、
前記モバイル・ネットワーク・ノードの１つ以上の特性が、前記モバイル・ネットワーク・ノードを搬送する車両によって移動されているルートを含み、
前記第２ネットワーク・ノードの１つ以上の特性が、前記第２ネットワーク・ノードの現在の地理的位置を含む、非一時的コンピュータ可読媒体。
【請求項１５】
請求項１４記載の非一時的コンピュータ可読媒体において、
前記車両が自律型車両であり、
前記移動されているルートが、前記自律型車両のナビゲーション・システムによって前記モバイル・ネットワーク・ノードに提供される、非一時的コンピュータ可読媒体。
【請求項１６】
請求項１１記載の非一時的コンピュータ可読媒体において、
前記第２ネットワーク・ノードおよび前記リモート・システムを接続する第３データ経路が、前記第２関連付けに応じて生成され、
前記第１データ経路および前記第２データ経路が、前記第３データ経路の生成の後に、接続解除される、非一時的コンピュータ可読媒体。
【請求項１７】
請求項１１記載の非一時的コンピュータ可読媒体において、前記第１ネットワーク・ノードが固定位置にあり、前記第２ネットワーク・ノードがモバイル・ネットワーク・ノードである、非一時的コンピュータ可読媒体。
【請求項１８】
請求項１１記載の非一時的コンピュータ可読媒体において、前記モバイル・ネットワーク・ノードにおける前記少なくとも１つの条件が、第１閾値未満である、前記第１ネットワーク・ノードから受信した信号を示す強度指標を含む、非一時的コンピュータ可読媒体。
【請求項１９】
請求項１１記載の非一時的コンピュータ可読媒体において、
前記モバイル・ネットワーク・ノードがエンド・ユーザ・デバイスとの無線通信をサポートし、
前記リモート・システムが、該リモート・システムを通じて接続される、対応するエンド・ユーザ・デバイスの前記地理的位置を監視する、非一時的コンピュータ可読媒体。
【請求項２０】
請求項１１記載の非一時的コンピュータ可読媒体において、前記リモート・システムが、前記第１ネットワーク・ノードとの無線通信から、セルラ・ネットワークの基地局との無線通信へと、前記モバイル・ネットワーク・ノードにおけるシームレスなハンドオーバを可能とする、非一時的コンピュータ可読媒体。
【請求項２１】
複数のネットワーク・ノードを備える移動物体を有するネットワークにおいてモバイル・ネットワーク・ノードのハンドオーバを管理およびトリガする方法を実行するシステムであって、
前記複数のネットワーク・ノードと無線通信し、衛星ベースのナビゲーション受信機と通信し、車両が有する１つ以上のシステムと通信するように構成された１つ以上の通信インンタフェースと、
１つ以上のソフトウェア・アプリケーションおよびプログラム・データを格納するコンピュータ可読メモリと、
前記１つ以上の通信インタフェースおよび前記コンピュータ可読メモリに動作可能に結合された１つ以上のプロセッサであって、少なくとも、
第１無線通信プロトコルを使用する前記モバイル・ネットワーク・ノードが、前記複数のネットワーク・ノードのうち第１ネットワーク・ノードとの第１関連付けを実行し、前記第１関連付けの結果、前記第１ネットワーク・ノードと、第１データ経路およびバックボーン・ネットワークの間にデータ接続性を提供するリモート・システムと、を接続する前記第１データ経路を生成し、
前記モバイル・ネットワーク・ノードの前記第１ネットワーク・ノードとの無線通信の損失の可能性を示す、前記モバイル・ネットワーク・ノードにおける少なくとも１つの条件の存在を判断し、
前記複数のネットワーク・ノードのうち第２ネットワーク・ノードを、前記モバイル・ネットワーク・ノードの１つ以上の特性と、前記第２ネットワーク・ノードの１つ以上の特性と、にしたがって識別し、
前記第１無線通信プロトコルを使用する前記モバイル・ネットワーク・ノードが、前記第２ネットワーク・ノードとの第２関連付けを実行し、前記第２関連付けの結果、前記第１ネットワーク・ノードと前記第２ネットワーク・ノードと、を接続する第２データ経路を生成し、
前記モバイル・ネットワークが、前記第２ネットワーク・ノード、前記第１ネットワーク・ノード、前記第１データ経路、および前記リモート・システムを介して、前記バックボーン・ネットワークに、および前記バックボーン・ネットワークから、データを無線で転送する、
ように動作可能である、１つ以上のプロセッサと、
を備える、システム。
【請求項２２】
請求項２１記載のシステムにおいて、
前記モバイル・ネットワーク・ノードの１つ以上の特性が、前記モバイル・ネットワーク・ノードの現在の地理的位置を含み、
前記第２ネットワーク・ノードの１つ以上の特性が、前記第２ネットワーク・ノードの現在の地理的位置を含む、システム。
【請求項２３】
請求項２１記載のシステムにおいて、前記モバイル・ネットワーク・ノードの１つ以上の特性が、前記モバイル・ネットワーク・ノードを搬送する車両の速度を含む、システム。
【請求項２４】
請求項２１記載のシステムにおいて、
前記モバイル・ネットワーク・ノードの１つ以上の特性が、前記モバイル・ネットワーク・ノードを搬送する車両によって移動されているルートを含み、
前記第２ネットワーク・ノードの１つ以上の特性が、前記第２ネットワーク・ノードの現在の地理的位置を含む、システム。
【請求項２５】
請求項２４記載のシステムにおいて、
前記車両が自律型車両であり、
前記移動されているルートが、前記自律型車両のナビゲーション・システムによって前記モバイル・ネットワーク・ノードに提供される、システム。
【請求項２６】
請求項２１記載のシステムにおいて、
前記第２ネットワーク・ノードおよび前記リモート・システムを接続する第３データ経路が、前記第２関連付けに応じて生成され、
前記第１データ経路および前記第２データ経路が、前記第３データ経路の生成の後に、接続解除される、システム。
【請求項２７】
請求項２１記載のシステムにおいて、前記第１ネットワーク・ノードが固定位置にあり、前記第２ネットワーク・ノードがモバイル・ネットワーク・ノードである、システム。
【請求項２８】
請求項２１記載のシステムにおいて、前記モバイル・ネットワーク・ノードにおける前記少なくとも１つの条件が、第１閾値未満である、前記第１ネットワーク・ノードから受信した信号を示す強度指標を含む、システム。
【請求項２９】
請求項２１記載のシステムにおいて、
前記モバイル・ネットワーク・ノードがエンド・ユーザ・デバイスとの無線通信をサポートし、
前記リモート・システムが、該リモート・システムを通じて接続される、対応するエンド・ユーザ・デバイスの前記地理的位置を監視する、システム。
【請求項３０】
請求項２１記載のシステムにおいて、前記リモート・システムが、前記第１ネットワーク・ノードとの無線通信から、セルラ・ネットワークの基地局との無線通信へと、前記モバイル・ネットワーク・ノードにおけるシームレスなハンドオーバを可能とする、システム。
【発明の詳細な説明】
【技術分野】
【０００１】
関連出願に対する相互引用／引用による本願への編入
[0001]  本特許出願は、２０１６年１月２１日に出願され、"Systems and Methods for Managing and Triggering Handovers of Mobile Access Points in a Network of Moving things"（移動物体のネットワークにおいてモバイル・アクセス・ポイントのハンドオーバを管理およびトリガするためのシステムおよび方法）と題する米国仮特許出願第６２／２８１，４３２号を引用し、それらの優先権を主張し、その権利を主張する。この出願をここで引用したことによって、その内容全体が本願にも含まれるものとする。また、本特許出願は、"Integrated Communication Network for a Network of Moving Things"（移動物体のネットワークのための統合通信ネットワーク）と題し、２０１５年９月２２日に出願された米国仮特許出願第６２／２２１，９９７号、"Systems and Methods for Synchronizing a Network of Moving Things"（移動物体のネットワークを同期させるシステムおよび方法）と題し、２０１５年９月２２に出願された米国仮特許出願第６２／２２２，０１６号、"Systems and Methods for Managing a Network of Moving Things"（移動物体のネットワークを管理するシステムおよび方法）と題し、２０１５年９月２２日に出願された米国仮特許出願第６２／２２２，０４２号、"Systems and Methods for Monitoring a Network of Moving Things"（移動物体のネットワークを監視するシステムおよび方法）と題し、２０１５年９月２２に出願された米国仮特許出願第６２／２２２，０６６号、"Systems and Methods for Detecting and Classifying Anomalies in a Network of Moving Things"（移動物体のネットワークにおいて異常を検出し分類するシステムおよび方法）と題し、２０１５年９月２２に出願された米国仮特許出願第６２／２２２，０７７号、"Systems and Methods for Managing Mobility in a Network of Moving Things"（移動物体のネットワークにおいて移動性を管理するシステムおよび方法）と題し、２０１５年９月２２に出願された米国仮特許出願第６２／２２２，０９８号、"Systems and Methods for Managing Connectivity a Network of Moving Things"（移動物体のネットワークにおける接続を管理するシステムおよび方法）と題し、２０１５年９月２２に出願された米国仮特許出願第６２／２２２，１２１号、"Systems and Methods for Collecting Sensor Data in a Network of Moving Things"（移動物体のネットワークにおいてセンサ・データを収集するシステムおよび方法）と題し、２０１５年９月２２日に出願された米国仮特許出願第６２／２２２，１３５号、"Systems and Methods for Interfacing with a Network of Moving Things"（移動物体のネットワークとインタフェースするシステムおよび方法）と題し、２０１５年９月２２日に出願された米国仮特許出願第６２／２２２，１４５号、"Systems and Methods for Interfacing with a User of a Network of Moving Things"（移動物体のネットワークのユーザとインタフェースするシステムおよび方法）と題し、２０１５年９月２２日に出願された米国仮特許出願第６２／２２２，１５０号、"Systems and Methods for Data Storage and Processing for a Network of Moving Things"（移動物体のネットワーク用のデータ・ストレージおよび処理システムおよび方法）と題し、２０１５年９月２２日に出願に出願された米国仮特許出願第６２／２２２，１６８号、"Systems and Methods for Vehicle Traffic Management in a Network of Moving Things"（移動物体のネットワークにおける車両交通管理システムおよび方法）と題し、２０１５年９月２２日に出願され��米国仮特許出願第６２／２２２，１８３号、"Systems and Methods for Environmental Management in a Network of Moving Things"（移動物体のネットワークにおける環境管理システムおよび方法）と題し、２０１５年９月２２日に出願された米国仮特許出願第６２／２２２，１８６号、"Systems and Methods for Port Management in a Network of Moving Things"（移動物体のネットワークにおけるポート管理システムおよび方法）と題し、２０１５年９月２２日に出願に出願された米国仮特許出願第６２／２２２，１９０号、”Communication Network of Moving Things”（移動物体の通信ネットワーク）と題し、２０１５年９月２２日に出願された米国仮特許出願第６２／２２２，１９２号、"Utilizing Historical Data to Correct GPS Data in a Network of Moving Things"（移動物体のネットワークにおいてＧＰＳデータを補正するための履歴データの利用）と題し、２０１５年１０月２２日に出願された米国仮特許出願第６２／２４４，８２８号、"Using Anchors to Correct GPS Data in a Network of Moving Things"（移動物体のネットワークにおいてＧＰＳデータを補正するためのアンカーの使用）と題し、２０１５年１０月２２日に出願された米国仮特許出願第６２／２４４，９３０号、"Systems and Methods for Inter- Application Communication in a Network of Moving Things"（移動物体のネットワークにおけるアプリケーション間通信システムおよび方法）と題し、２０１５年１０月２６日に出願された米国仮特許出願第６２／２４６，３６８号、"Systems and Methods for Probing and Validating Communication in a Network of Moving Things"（移動物体のネットワークにおいて通信を精査し有効性を確認するシステムおよび方法）と題し、２０１５年１０月２６日に出願された米国仮特許出願第６２／２４６，３７２号、"Adaptive Rate Control for Vehicular Networks"（車両用ネットワークの適応速度制御）と題し、２０１５年１１月４日に出願された米国仮特許出願第６２／２５０，５４４号、"Systems and Methods for Reconfiguring and Adapting Hardware in a Network of Moving Things"（移動物体のネットワークにおいてハードウェアを再構成し適応させるシステムおよび方法）と題し、２０１５年１２月３１日に出願された米国仮特許出願第６２／２７３，８７８号、"Systems and Methods for Optimizing Data Gathering in a Network of Moving Things"（移動物体のネットワークにおいてデータ収集を最適化するシステムおよび方法）と題し、２０１５年１１月１０日に出願された米国仮特許出願第６２／２５３，２４９号、"Systems and Methods for Delay Tolerant Networking in a Network of Moving Things"（移動物体のネットワークにおける遅延耐性ネットワーキング・システムおよび方法）と題し、２０１５年１１月１９日に出願された米国仮特許出願第６２／２５７，４２１号、"Systems and Methods for Improving Coverage and Throughput of Mobile Access Points in a Network of Moving Things"（移動物体のネットワークにおいて移動アクセス・ポイントのカバレッジおよびスループットを改善するシステムならびに方法）と題し、２０１５年１２月９日に出願された米国仮特許出願第６２／２６５，２６７号、"Channel Coordination in a Network of Moving Things"（移動物体のネットワークにおけるチャネル調整）と題し、２０１５年１２月２２日に出願された米国仮特許出願第６２／２７０，８５８号、"Systems and Methods for Network Coded Mesh Networking in a Network of Moving Things"（移動物体のネットワー���におけるネットワーク・コード化メッシュ・ネットワーキング・システムおよび方法）と題し、２０１５年１１月２０日に出願された米国仮特許出願第６２／２５７，８５４号、"Systems and Methods for Improving Fixed Access Point Coverage in a Network of Moving Things"（移動物体のネットワークにおいて固定アクセス・ポイント・カバレッジを改善するシステムおよび方法）と題し、２０１５年１１月３０日に出願された米国仮特許出願第６２／２６０，７４９号、"Systems and Methods for Managing Mobility Controllers and Their Network Interactions in a Network of Moving Things"（移動物体のネットワークにおいて移動性コントローラおよびそれらのネットワーク相互作用を管理するシステムならびに方法）と題し、２０１５年１２月３１日に出願された米国仮特許出願第６２／２７３，７１５号、"Systems and Methods for Managing and Triggering Handovers of Mobile Access Points in a Network of Moving Things"（移動物体のネットワークにおける移動アクセス・ポイントのハンドオーバを管理およびトリガするシステムならびに方法）と題し、２０１６年１月２１に出願された米国仮特許出願第６２／２８１，４３２号、"Captive Portal-related Control and Management in a Network of Moving Things"（移動物体のネットワークにおけるキャプティブ・ポータル関連制御および管理）と題し、２０１５年１２月１６日に出願された米国仮特許出願第６２／２６８，１８８号、"Systems and Methods to Extrapolate High-Value Data from a Network of Moving Things"（移動物体のネットワークからの高価値データを推定するシステムおよび方法）と題し、２０１５年１２月２２日に出願された米国仮特許出願第６２／２７０，６７８号、"Systems and Methods for Remote Software Update and Distribution in a Network of Moving Things"（移動物体のネットワークにおけるリモート・ソフトウェア更新および流通システムならびに方法）と題し、２０１５年１２月３０日に出願された米国仮特許出願第６２／２７２，７５０号、"Systems and Methods for Remote Configuration Update and Distribution in a Network of Moving Things"（移動物体のネットワークにおけるリモート構成更新および流通システムならびに方法）と題し、２０１６年１月１４日に出願された米国仮特許出願第６２／２７８，６６２号、"Systems and Methods for Adapting a Network of Moving Things Based on User Feedback"（ユーザ・フィードバックに基づいて移動物体のネットワークを適応させるシステムおよび方法）と題し、２０１６年１月２２日に出願された米国仮特許出願第６２／２８６，２４３号、"Systems and Methods to Guarantee Data Integrity When Building Data Analytics in a Network of Moving Things"（移動物体のネットワークにおいてデータ分析を構築するときにデータの完全性を保証するシステムおよび方法）と題し、２０１６年１月１４日付けの米国仮特許出願第６２／２７８，７６４号、"Systems and Methods for Self-Initialization and Automated Bootstrapping of Mobile Access Points in a Network of Moving Things"（移動物体のネットワークにおけるモバイル・アクセス・ポイントの自己初期化および自動ブートストラップを行うシステムならびに方法）と題し、２０１６年１月２５日に出願された米国仮特許出願第６２／２８６，５１５号、"Systems and Methods for Power Management in a Network of Moving Things"（移動物体のネットワークにおける電力管理システムおよび方法）と題し、２０１６年２月１６日に出願された米国仮特許出願第６２／２９５，６０２号、並びに"Systems and Methods for Automating and Easing the Installation and Setup of the Infrastructure Supporting a Network of Moving Things"（移動物体のネットワークをサポートするインフラストラクチャの設置および設定を自動化および簡易化するためのシステムおよび方法）と題し、２０１６年２月２４日に出願された米国仮特許出願第６２／２９９，２６９号に関係がある。これらの特許出願の各々は、その内容全体があらゆる目的に対して本願にも含まれるものとする。
【発明の概要】
【発明が解決しようとする課題】
【０００２】
背景
[0002]  現在の通信ネットワークは、モバイル・ノードおよび静的ノードを伴う通信環境を適正にサポートすることができない。非限定的な例として、現在の通信ネットワークは、モバイル・ノードおよび静止ノードの双方（例えば、移動物体のインターネット、自律型車両等）の複雑なアレイを含むネットワークを適正にサポートすることができない。従来の方法およびシステムの限界や欠点は、このような手法と、本開示の残り部分において図面を参照しながら明記する本発明の方法およびシステムの幾らかの態様との比較によって、当業者には明らかとなろう。
【図面の簡単な説明】
【０００３】
【図１】図１は、本開示の種々の態様による通信ネットワークのブロック図を示す。
【図２】図２は、本開示の種々の態様による通信ネットワークのブロック図を示す。
【図３】図３は、本開示の種々の態様による都市エリア・ネットワークの図を示す。
【図４】図４は、本開示の種々の態様による通信ネットワークのブロック図を示す。
【図５Ａ】図５Ａは、本開示の種々の態様による通信ネットワークの柔軟性(flexibility)および／または回復力(resiliency)を表す複数のネットワーク構成を示す。
【図５Ｂ】図５Ｂは、本開示の種々の態様による通信ネットワークの柔軟性および／または回復力を表す複数のネットワーク構成を示す。
【図５Ｃ】図５Ｃは、本開示の種々の態様による通信ネットワークの柔軟性および／または回復力を表す複数のネットワーク構成を示す。
【図６】図６は、本開示の種々の態様による例示の通信ネットワークのブロック図を示す。
【図７】図７は、本開示の種々の態様による例示の通信ネットワークのブロック図を示す。
【図８】図８は、本開示の種々の態様によるモバイル・アクセス・ポイントをハンドオフする方法のブロック図を示す。
【図９Ａ】図９Ａは、本開示の種々の態様により、図８の例示の方法の種々の態様を示すブロック図を示す。
【図９Ｂ】図９Ｂは、本開示の種々の態様により、図８の例示の方法の種々の態様を示すブロック図を示す。
【図９Ｃ】図９Ｃは、本開示の種々の態様により、図８の例示の方法の種々の態様を示すブロック図を示す。
【図１０】図１０は、本開示の種々の態様によるモバイル・アクセス・ポイントのハンドオフの方法についてのフロー図を示す。
【図１１Ａ】図１１Ａは、本開示の種々の態様により、図１０の例示の方法の種々の態様を示すブロック図を示す。
【図１１Ｂ】図１１Ｂは、本開示の種々の態様により、図１０の例示の方法の種々の態様を示すブロック図を示す。
【図１２】図１２は、本開示の種々の態様による例示のモバイル・アクセス・ポイントの種々のコンポーネントのブロック図を示す。
【図１３】図１３は、本開示の種々の態様による例示のネットワーク・コントローラの種々のコンポーネントのブロック図を示す。
【発明を実施するための形態】
【０００４】
概要
[0015]  本開示の種々の態様は、モバイル・アクセス・ポイントにおけるハンドオフ（ハンドオーバ）を開始および／または管理するシステムおよび方法を提供する。非限定的な例として、本開示の種々の態様は、モバイル・アクセス・ポイントのハンドオフのコンテキストにおいて、シグナリングおよびデータ・ルーティングを制御するためのシステムおよび方法を提供する。
【０００５】
[0016]  本明細書において利用する場合、「回路」(circuits)および「回路」(circuitry)という用語は、物理的な電子コンポーネント（即ち、ハードウェア）、ならびにこのハードウェアを構成することができ、このハードウェアによって実行することができ、および／またはこのハードウェアとそれ以外で関連付けることができる、あらゆるソフトウェアおよび／またはファームウェア（「コード」）を指す。本明細書において使用する場合、例えば、特定のプロセッサおよびメモリ（例えば、揮発性または不揮発性メモリ・デバイス、一般的なコンピュータ読み取り可能媒体等）は、１つ以上の第１コード・ライン(lines of code)を実行するときに第１「回路」を構成する(comprise)ことができ、１つ以上の第２コード・ラインを実行するときに第２「回路」を構成することができる。加えて、回路はアナログおよび／またはディジタル回路を含むことができる。このような回路(circuitry)は、例えば、アナログおよび／またはディジタル信号に対して動作することができる。尚、回路は１つのデバイスまたはチップ内にあってもよく、１つのマザーボード上にあってもよく、１つのシャーシ内にあってもよく、１箇所の地理的位置における複数のエンクロージャ内にあってもよく、複数の地理的位置にまたがって分散された複数のエンクロージャ内にあってもよい等ということは理解されてしかるべきである。同様に、「モジュール」という用語は、例えば、物理的な電子的コンポーネント（即ち、ハードウェア）、ならびにこのハードウェアを構成することができ、このハードウェアによって実行することができ、および／またはこのハードウェアとそれ以外で関連付けることができる、あらゆるソフトウェアおよび／またはファームウェア（「コード」）を指す。
【０００６】
[0017]  本明細書において利用する場合、回路(circuitry)は、この回路が機能を実行するために必要なハードウェアおよびコードを含むときはいつでも（いずれかが必要な場合）、その機能の実行がディスエーブルされているか否か、即ち、イネーブルされていないか否か（例えば、ユーザが変更可能な設定、工場の設定、またはトリミング(trim)等によって）には関係なく、その機能を実行するように「動作可能」である。
【０００７】
[0018]  本明細書において利用する場合、「および／または」とは、「および／または」によって繋げられた一覧における項目の内任意の１つ以上を意味する。一例として、「ｘおよび／またはｙ」は、３つのエレメント集合｛（ｘ）、（ｙ）、（ｘ、ｙ）｝の内の任意のエレメントを意味する。即ち、「ｘおよび／またはｙ」は、「ｘおよびｙの一方または双方」を意味する。別の例として、「ｘ、ｙ、および／またはｚ」は、７つのエレメント集合｛（ｘ）、（ｙ）、（ｚ）、（ｘ、ｙ）、（ｘ、ｚ）、（ｙ、ｚ）、（ｘ、ｙ、ｚ）｝の内の任意のエレメントを意味する。即ち、「ｘ、ｙ、および／またはｘ」は、「ｘ、ｙ、およびｚの内１つ以上」を意味する。本明細書で利用する場合、「例えば」(e.g.)、「例えば」(for example)および「例示の」(exemplary)等という用語は、１つ以上の非限定的な例、実例、または例示の一覧を明示する(set off)。
【０００８】
[0019]  本明細書において使用する用語は、特定の例について説明することを目的とするだけであり、本開示を限定する意図はない。本明細書において使用する場合、単数形は、前後関係が明確にそうでないことを示すのでない限り、複数形も同様に含むことを意図している。更に、「備える」(comprises)、「含む」(includes)、「備えている」(comprising)、「含んでいる」(including)、「有する」(has)、「有する」(have)、「有している」(having)等の用語が、本明細書において使用されるとき、述べられた特徴、整数、ステップ、動作、エレメント、および／またはコンポーネントの存在を指定するのであるが、１つ以上の他の特徴、整数、ステップ、動作、エレメント、コンポーネント、および／またはそれらの集合の存在または追加を除外するのではないことは理解されよう。
【０００９】
[0020]  尚、第１、第２等の用語が、種々のエレメントを記述するために本明細書において使用される場合があるが、これらのエレメントはこれらの用語によって限定されないことは理解されよう。これらの用語は、１つのエレメントを他のエレメントと区別するために使用されるに過ぎない。つまり、例えば、以下で論ずる第１エレメント、第１コンポーネント、または第１セクションは、本開示の教示から逸脱することなく、第２エレメント、第２コンポーネント、または第２セクションと呼ぶこともできる。同様に、「上位」(upper)、「下位」(lower)、「側」等のような種々の空間的用語は、相対的な意味で１つのエレメントを他のエレメントから区別するときに使用されることがある。しかしながら、コンポーネントの向きが異なる方法で決められることもあり、例えば、本開示の教示から逸脱することなく、ある電子デバイスが横向きにされて、その「上」面が水平に向き、その「側」面が垂直に向くような場合もあることは、理解されてしかるべきである。
【００１０】
[0021]  移動物体および／または静止物体(static things)（例えば、デバイス、機械、人々等）、ならびにこのような物体を互いに接続させるためのロジスティックス（例えば、スマート・ロジスティックス、輸送、環境検知等のコンテキストにおけるロジスティックス）の普及に伴い、例えば、常にオンであり、ロバストであり、スケーラブルであり、安全が確保され、このような物体（または目的物(object)）に対して、どこでもそしていつでも、接続、サービス、およびインターネット・アクセスを提供することができるプラットフォームが望まれている。このようなシステムの種々のコンポーネント内における効率的な電力利用も望まれている。
【００１１】
[0022]  したがって、本開示の種々の態様は、エネルギ効率的に動作しつつ、どこでもそしていつでも、全ての移動物体および／または静止物体（例えば、デバイス、機械、人々、アクセス・ポイント、エンド・ユーザ・デバイス、センサ等）に対して、接続、サービス、およびインターネット・アクセスを提供し、完全に動作可能であり、常にオンであり、応答性が良く、ロバストであり、スケーラブルであり、安全が確保されたプラットフォーム／システム／アーキテクチャを提供する。
【００１２】
[0023]  本開示の種々の態様は、異なる環境の種々の要件、特徴、および要望に対して柔軟に構成変更可能であり適応可能なプラットフォームを提供する。各環境は、それぞれの移動性レベル、ならびに移動物体および／または静止物体の密度、更にはこれらの物体へのアクセス数および／またはタイプによって特徴付けることができる。種々の環境の特性には、例えば、ノードの高い移動性（例えば、接触または接続を変動させる）、多数の近隣、多数の接続済みモバイル・ユーザ、モバイル・アクセス・ポイント、複数のネットワークおよび技術の利用可能性（例えば、同じエリア内の場合もある）等が含まれる。例えば、プラットフォームの動作モードを、他の環境とは異なることもある、各環境のそれぞれの要件および要望に基づいて、環境毎に柔軟に適応させることができる。加えて、例えば、プラットフォームが特定の環境において提供または処理するコンテンツ、サービス、またはデータに基づいて、例えば、異なる目的毎にプラットフォームを柔軟に（例えば、設計時／設置時、および／またはリアル・タイムにおいて）最適化することができる（例えば、レイテンシを短縮し、スループットを高め、電力消費を低減し、負荷の均衡を取り、信頼性を高め、障害またはその他の外乱に関して一層ロバストにする等のため）。
【００１３】
[0024]  本開示の種々の態様によれば、このプラットフォーム上で、多くの制御および管理サービス（例えば、移動性、セキュリティ、ルーティング等）を提供する（例えば、直接的に、制御オーバーレイを使用して、コンテナを使用して等）。このようなサービスは、現在インターネットまたはその他の通信ネットワーク（１つまたは複数）上でデプロイされているサービスと互換性がある。
【００１４】
[0025]  例えば、使用事例に応じて、全体的または部分的に、例えば、パブリックおよび／またはプライベート・モードで通信ネットワーク（またはプラットフォーム）を動作させることができる。プラットフォームは、例えば、使用事例に応じて（例えば、パブリック・インターネット・アクセス、公共環境検知、車隊運用(fleet operation)等）、パブリックまたはプライベート・モードで動作することができる。
【００１５】
[0026]  加えて、例えば、種々のネットワーク・コンポーネントがモバイルである実施態様では、特定の実施態様の要望に応えるために、輸送および／または信号制御メカニズムを適応させることができる。例えば、無線送信電力および／または速度を適応させることができる（例えば、干渉を軽減するため、電力消費を低減するため、ネットワーク・コンポーネントの寿命を伸ばすため等）。
【００１６】
[0027]  本開示の種々の態様によるプラットフォームの種々の例示の実装態様は、通常利用できる種々の他のサブシステムが利用できない場合であっても、異なるサブシステムに接続することができる。例えば、このプラットフォームは、種々の内蔵冗長性および障害回復メカニズムを含むことができる。例えば、このプラットフォームは、自己回復能力、自己構成能力、自己適応能力等を含むことができる。このプラットフォームのプロトコルおよび機能は、例えば、異なるレベルの移動性および物体（または目的物）の密度、これらの物体へのアクセス数／タイプによって特徴付けられる異なる環境の要件および特徴に対して自律的および円滑に構成し適応させるように準備することができる。例えば、このプラットフォームの種々の態様は、何らかの決断または全ての決断に影響を及ぼす可能性があるコンテキスト・パラメータを収集することができる。このようなパラメータは、例えば、ローカルに導き出すことができ、近隣、固定ＡＰ、クラウド等から収集することができる。また、このプラットフォームの種々の態様は、例えば、あらゆる判断に役立つように履歴情報を求めることができ、このような情報は、履歴データから、調査から、シミュレータから等で導き出すことができる。加えて、例えば、このプラットフォームの種々の形態は、例えば、ネットワークおよび／または判断自体をリアル・タイムで評価するために、ネットワーク全域において判断を精査(probe)または監視することができる。更に、このプラットフォームの種々の態様は、例えば、ネットワークにおいて意志決定を実施することができる（例えば、精査結果を評価した後に）。このプラットフォームの種々の態様は、例えば、常にまたは繰り返し行われるが有意な利点が全く得られないあらゆる判断（例えば、技術変更、証明書変更、ＩＰ変更等）を回避するために、閾値を設定することができる。また、このプラットフォームの種々の態様は、例えば、ローカルに学習し（例えば、行われた判断によって）、動的に判断を更新することができる。
【００１７】
[0028]  障害に対するロバスト性に加えて（または、その代わりに）、プラットフォームは、同じサブシステム内部において別個のサブシステムまたはエレメント間に存在する複数の接続（または経路）を利用して、システムのロバスト性を高める、および／または負荷均衡化を高めることができる。
【００１８】
[0029]  以下の論述では、通信ネットワークの種々のサブシステム例によって実行される機能の例を紹介する。尚、ここで論ずる例示の機能は、特定のサブシステム例によって実行される必要も、１つのサブシステムによって実行される必要もないことは理解されてしかるべきである。例えば、ここで紹介するサブシステムは互いに相互作用することができ、データまたは制御サービスを集中的な方法でデプロイすることができ、または、例えば、各サブシステムのエレメント間における協働を利用するために、異なるサブシステム間でそれらの機能を分散させることができる。
【００１９】
[0030]  本開示の種々の態様は、乗り物（例えば、自動車、バス、トラック、ボート、フォークリフト、人間が操作する車両、自律型およびリモート制御型の車両等）をＷｉ−Ｆｉホットスポットとして利用する通信ネットワークを提供する（例えば、都市規模の車両ネットワーク、積出港(shipping port)の大きさの車両ネットワーク、キャンパス規模のネットワーク等）。尚、本論述全体にわたってＷｉ−Ｆｉが例として全般的に使用されるが、本開示の種々の態様の範囲はそれに限定されるのではないことを注記しておく。例えば、他の無線ＬＡＮ技術、ＰＡＮ技術、ＭＡＮ技術等を利用することもできる。このような利用は、例えば、大量の都市データを収集し、混雑したセルラ・ネットワーク（または他のネットワーク）からのトラフィックの効率的な負荷低減に対応するための価格効率的な方法を提供する。多くの車両がある被制御エリア（例えば、湾港(ports, harbors)等）では、本開示の種々の態様による通信ネットワークは、既存の企業Ｗｉ−Ｆｉネットワークの無線カバレッジを拡大し、例えば、ＳＩＭカードやセルラ（または他のネットワーク）データ・プランを必要とせずに、車両の運転手（例えば、人、コンピュータ制御等）、およびその他の移動する従業員とのリアル・タイム通信に対応することができる。
【００２０】
[0031]  車両は、これらをＷｉ−Ｆｉ（または一般的な無線）ホットスポットとして有用にする、多くの有利な特性を有することができる。例えば、車両は、一般に、少なくとも１つのバッテリを有し、車両は、一般に、道路レベルで都市中に高密度に拡散し、および／または被制御空間において互いと多くの連絡を結ぶことができ、更に、ＥＵ、米国、およびその他の地域においてインテリジェント輸送システムのために確保されている、５．９ＧＨｚ周波数帯域における通常のＷｉ−Ｆｉの１０倍の範囲と通信することができる。尚、本開示の範囲は、このような５．９ＧＨｚ無線通信に限定されるのではないことを注記しておく。更に、車両は、それらのカバレッジ・エリアをときの経過に連れて広い範囲(swath)に効果的に拡大することができ、１つの車両アクセス・ポイントが、ときの経過に連れて、はるかに多いデータ・ソースと相互作用することを可能にする。
【００２１】
[0032]  本開示の種々の態様によれば、手頃な価格のマルチネットワーク・オンボード・ユニット（ＯＢＵ）を紹介する。尚、本明細書では、ＯＢＵをモバイル・アクセス・ポイント、モバイルＡＰ、ＭＡＰ等とも呼ぶこともあることを注記しておく。ＯＢＵは、例えば、複数のネットワーキング・インタフェース（例えば、Ｗｉ−Ｆｉ、８０２．１１ｐ、４Ｇ、Ｂｌｕｅｔｏｏｔｈ（登録商標）、ＵＷＢ等）を含むことができる。例えば、私有車両および／または公有車両（例えば、個々のユーザ用車両、私有車隊の車両、公有車隊の車両等）の中または上に容易にＯＢＵを設置することができる。例えば、輸送用車隊、ごみ管理用車隊、法律施行用車隊、緊急サービス、道路保守用車隊、タクシー車隊、航空機隊等にＯＢＵを設置することができる。例えば、車両、あるいは移動が自由なその他の構造または比較的移動が限られている構造の中または上にＯＢＵを設置することができる。また、例えば、ＯＢＵを人または使役動物によって携行することができる、自転車に装着することができる、移動機械全般に装着することができる、コンテナに装着することができる等が挙げられる。
【００２２】
[0033]  例えば、ＯＢＵは、通過する車両を、１つ以上のネットワーク・プロバイダ、テレコム事業者等の有線インフラストラクチャに接続するように動作することができる。本明細書において論ずるアーキテクチャ、ハードウェア、およびソフトウェア機能にしたがって、車両および車隊を、単にセルラ・ネットワーク（あるいはその他のワイド・エリア・ネットワークまたは都市エリア・ネットワーク等）や、都市または被制御空間全域にわたって拡散された既存のＷｉ−Ｆｉホットスポットに接続することができるだけでなく、他の車両にも接続することができる（例えば、有線インフラストラクチャへのマルチホップ通信、単一またはマルチホップ・ピア・ツー・ピア車両通信等を利用する）。例えば、車両および／または車隊は、通信リンクの全般的なメッシュ(overall mesh)を形成することができ、この全般的なメッシュは、例えば、ＯＢＵや、有線インフラストラクチャ（例えば、ローカル・インフラストラクチャ等）に接続された固定アクセス・ポイント（ＡＰ）も含む。尚、本明細書では、ＯＢＵを「モバイルＡＰ」、「モバイル・ホットスポット」、「ＭＡＰ」等と呼ぶこともあることを注記しておく。また、本明細書では、固定アクセス・ポイントを道路脇ユニット（ＲＳＵ：Road Side Unit)、固定ＡＰ、ＦＡＰ等と呼ぶこともあることも注記しておく。
【００２３】
[0034]  例示の実装態様では、ＯＢＵは、比較的長距離のプロトコル（例えば、８０２．１１ｐ等）を利用して固定ＡＰと通信することができ、一方、固定ＡＰは、有線インフラストラクチャにハード・ワイヤ接続することができる（例えば、ケーブル、繋留光リンク(tethered optical link)等によって）。尚、固定ＡＰは、更にまたは代わりに、無線リンク（例えば、８０２．１１ｐ等）を介してインフラストラクチャに結合するのでもよいことを注記しておく。加えて、クライアントまたはユーザ・デバイスは、１つ以上の比較的短距離のプロトコル（例えば、Ｗｉ−Ｆｉ、Ｂｌｕｅｔｏｏｔｈ、ＵＷＢ等）を使用して、ＯＢＵと通信することができる。例えば、典型的なＷｉ−Ｆｉアクセス・ポイントまたはその他の無線ＬＡＮ／ＰＡＮアクセス・ポイント（例えば、少なくとも、８０２．１１ｐ等に基づくもののようなリンクのための）よりも長い有効無線通信距離を有するＯＢＵは、典型的なＷｉ−Ｆｉまたはその他の無線ＬＡＮ／ＰＡＮアクセス・ポイントよりもかなり広いカバレッジ・エリアが可能であり、つまり、地理的エリア上に広大なカバレッジ(blanket coverage)を提供するために必要なＯＢＵが少なくて済む。
【００２４】
[0035]  例えば、ＯＢＵは、長距離通信プロトコル能力（例えば、８０２．１１ｐ等）を構築する(builds on)ロバストな車両ネットワーキング・モジュール（例えば、接続マネージャ）を含む。例えば、ネットワークにおいて固定ＡＰ、車両、およびその他のノードと通信するための８０２．１１ｐ（またはその他の長距離プロトコル）能力を含むことに加えて、ＯＢＵは、エンド・ユーザ・デバイス、センサ、固定Ｗｉ−Ｆｉアクセス・ポイント等に対する無線ローカル・エリア・ネットワーク（ＷＬＡＮ）接続を提供するためのネットワーク・インタフェース（例えば、８０２．１１ａ／ｂ／ｇ／ｎ、８０２．１１ａｃ、８０２．１１ａｆ、これらの任意の組み合わせ等）を含むことができる。例えば、ＯＢＵは、車両（例えば、バス、列車(train car)、タクシー・キャブ、公有作業車両等）内にいるユーザ、および／または車両の周囲にいるユーザに車内Ｗｉ−Ｆｉインターネット・アクセスを提供するように動作することができる。更に、ＯＢＵは１つ以上の無線バックボーン通信インタフェース（例えば、セルラ・ネットワーク・インタフェース等）も含むことができる。種々の例示のシナリオでは、セルラ・ネットワーク・インタフェース（またはその他の無線バックボーン通信インタフェース）は種々の理由によって（例えば、コスト、電力、帯域幅等）好ましいインタフェースではない場合もあるが、セルラ・ネットワーク・インタフェースは、現在固定ＡＰによってサポートされていない地理的エリアにおいて接続(connectivity)を提供するために利用することができる、フェイルオーバ通信リンクを提供するために利用することができる、緊急用通信に利用することができる、ローカル・インフラストラクチャ・アクセスに加入するために利用することができる等が挙げられる。また、セルラ・ネットワーク・インタフェースは、例えば、セルラ・ネットワーク事業者によって異なる解決策のデプロイ(deployment)を許容するために利用することもできる。
【００２５】
[0036]  ＯＢＵは、本開示の種々の態様によれば、例えば、スマート接続マネージャを含む。スマート接続マネージャは、インターネットにアクセスするための最良の利用可能な無線リンク（１つまたは複数）を選択することができる（例えば、Ｗｉ−Ｆｉ、８０２．１１ｐ、セルラ、車両メッシュ等）。また、ＯＢＵは、例えば、ジオロケーション能力（例えば、ＧＰＳ等）、車両が移動中か否か判定するための動き検出センサ、および電力制御サブシステム（例えば、ＯＢＵが車両のバッテリを垂れ流ししていないこと等を確認するため）に対応する(provide)ことができる。ＯＢＵは、例えば、本明細書において論ずるセンサ（例えば、環境センサ等）の内任意のものまたは全てを含むことができる。
【００２６】
[0037]  また、ＯＢＵは、例えば、機械間データ取得、ならびにクラウドへおよびクラウドからの転送（例えば、リアル・タイムまたは遅延耐性型）を管理するマネージャも含むことができる。例えば、ＯＢＵは、車両の情報を記録する(log)および／または伝達することができる。
【００２７】
[0038]  ＯＢＵは、例えば、接続および／またはルーティング・マネージャを含むことができる。接続および／またはルーティング・マネージャは、車両間／車両対インフラストラクチャ・マルチホップ通信において通信のルーティングを実行するように動作する。移動性マネージャ（例えば、移動性コントローラ（ＭＣ）、またはネットワーク・コントローラ（ＮＣ））は、例えば、異なる技術（例えば、８０２．１１ｐ、セルラ、Ｗｉ−Ｆｉ、衛星等）間で、異なるＭＣ（例えば、フェイルオーバのシナリオ、負荷再分配のシナリオ等）間で、異なるインタフェース（またはポート）を跨いで等において、通信セッションが１回以上のハンドオフ（本明細書では、「ハンドオーバ」または「複数のハンドオーバ」とも呼ぶ）を通じて（例えば、異なるモバイルＡＰ、固定ＡＰ、基地局、ホットスポット等の間で）永続することを確保することができる。尚、本明細書では、ＭＣをローカル移動性アンカー（ＬＭＡ：Local Mobility Anchor）やネットワーク・コントローラ等と呼ぶこともあることを注記しておく。尚、ＭＣまたは複数のＭＣは、例えば、バックボーンの一部として実装することができるが、それに加えてまたはその代わりに、種々のコンポーネントまたはその組み合わせの内任意のものの一部として実装できることも注記しておく。例えば、ＭＣ固定ＡＰ（またはその分散システム）において、ＯＢＵ（またはその分散システム）の一部として等で実装することができる。システム・コンポーネントおよび／または方法の種々の非限定的な例が、２０１５年９月２２日に出願され、"Systems and Method for Managing Mobility in a Network of Moving Things"（移動物体のネットワークにおいて移動性を管理するシステムおよび方法）と題する米国仮特許出願第６２／２２２，０９８号において提供されている。この出願をここで引用したことにより、この出願の内容全体が本願にも含まれるものとする。尚、複数のＭＣを含む例示の実装態様では、このようなＭＣは、同じ場所に配置されてもよく、および／または地理的に分散されてもよいことを注記しておく。
【００２８】
[0039]  また、本開示の種々の態様は、クラウド・ベースのサービス指向アーキテクチャも提供する。これは、ネットワークおよびクライアントのリアル・タイム管理、監視、および報告、データ格納、処理、および管理に必要な機能、Ｗｉ−Ｆｉクライアント認証、ならびにキャプティブ・ポータル・ディスプレイ(Captive Portal display)等を扱う。
【００２９】
[0040]  本開示の種々の態様による通信ネットワーク（またはそのコンポーネント）は、例えば、広範囲のスマート都市アプリケーション（または、被制御シナリオ、または接続されるシナリオ等）および／または使用事例を、本明細書において説明するように、サポートすることができる。
【００３０】
[0041]  例えば、例示の実装態様では、各車両（例えば、公営および私営タクシー双方、バス、トラック等）をモバイルＡＰ（例えば、モバイルＷｉ−Ｆｉホットスポット）に変換するように動作して、都市内を移動している、バスの停留所で待っている、公園で座っている従業員、通行人、およびモバイル・ユーザ等にインターネット・アクセスを提供することができる。更に、車両および／または車両隊間で形成される車両メッシュ・ネットワークの一例によって、一実施態様は、都市中に拡散され、重要な場所において公営または私営テレコム事業者の有線インフラストラクチャに接続されたモバイルＷｉ−Ｆｉホットスポットおよび／または固定ＡＰ（例えば、８０２．１１ｐ系ＡＰ）を介して、セルラ・トラフィックを負荷低減させる一方で、できるだけ広いカバレッジをできるだけ低いコストで確保するように動作可能にすることもできる。
【００３１】
[0042]  例示の実装態様（例えば、通信ネットワークおよび／またはそのコンポーネントの）は、例えば、無数のソースによって生成された、移動中で、直ぐに使用できるまたはできない大量のデータを（例えば、連続的に）収集する大規模都市スキャナ(massive urban scanner)として動作可能にすることもできる。無数のソースは、車内センサまたは車載診断システム・ポート（例えば、ＯＢＤ２等）、自律型車両運転システムとのインタフェース、都市中に拡散された外部Ｗｉ−Ｆｉ／Ｂｌｕｅｔｏｏｔｈ対応検知ユニットから、車両の運転手および乗員のデバイス（例えば、このようなデバイスおよび／または乗員を特徴付ける情報等）、測位システム・デバイス（例えば、位置情報、速度情報、軌跡情報、走行履歴情報等）等に及ぶ。
【００３２】
[0043]  使用事例に応じて、ＯＢＵは、例えば、車両からデータを送る前に、このデータを処理し（または、計算、変換、操作、集計、合計等）、例えば、個々のアプリケーション毎に適した粒度（例えば、値分解能）およびサンプリング・レート（例えば、時間分解能）を付与することができる。例えば、ＯＢＵは、例えば、システムによって有利と見なされる任意の方法で、データを処理することができる。ＯＢＵは、例えば、収集したデータ（例えば、生データ、前処理したデータ、収集したデータに基づいて計算したメトリックの情報等）をクラウドに（例えば、ネットワークの任意の部分に結合された１つ以上のネットワーク接続型サーバに）効率的で信頼性のある方法で送り、自治体都市運営および輸送サービスの効率、環境的影響、および社会的価値を改善することができる。種々の使用事例については本明細書において説明する。
【００３３】
[0044]  公営バスが都市の経路に沿って移動している、および／またはタクシーがその私営輸送サービスを実行しているという例示のシナリオでは、ＯＢＵは大量のリアル・タイム・データを測位システム（例えば、ＧＰＳ等）、加速度計モジュール等から収集することができる。次いで、ＯＢＵは、例えば、このようなデータをクラウドに伝達することができ、これらのデータは、例えば、このような公営または私営バスおよび／またはタクシー運営を支援するために、処理、報告、検討され、例えば、バスおよびタクシーそれぞれの効率的なリモート監視および日程計画(scheduling)を支援することができる。
【００３４】
[0045]  例示の実装態様では、小型カメラ（または他のセンサ）を、公営バスのドア上部に配された小型単一基板コンピュータ（ＳＢＣ）に結合し、バスに乗る人々および降りる人々、および／またはバス路線に沿った停留所における画像シーケンスをキャプチャすることを可能にし、バスを待っている人々の数を推定することができる。このようなデータは、クラウドに送るために、ＯＢＵによって収集することができる。このようなデータによって、公衆輸送システムは、ピーク、過剰に混雑するバス、路線および停留所、利用が少ないバス、路線および停留所等を検出することができ、リアル・タイムで対策を講じる（例えば、乗客の流れが少なくなる場所および時間には燃料コストおよびＣＯ２排気を低減するために、バスの定期運行(periodicity)を減らす）こと、および体系的な輸送問題を検出することが可能になる。
【００３５】
[0046]  ＯＢＵは、例えば、環境センサの異質な集合体を装備された種々のＷｉ−Ｆｉ対応センサ・デバイスの内任意のものと通信するように動作可能にすることができる。このようなセンサは、例えば、ノイズ・センサ（マイクロフォン等）、ガス・センサ（例えば、ＣＯ、ＮＯ２、Ｏ３、揮発性有機化合物（またはＶＯＣ）、ＣＯ２等を検知する）、煙センサ、汚染センサ、天候センサ（例えば、検知温度、湿度、光度、粒子、日射、風速（例えば、風速計）、風向、雨（例えば、雨量計）、光スキャナ、生物計量スキャナ、カメラ、マイクロフォン等）を含むことができる。また、このようなセンサは、ユーザ（例えば、車両の運転手または乗員、通行人等）に関連するセンサ、および／または彼らのプライベート・デバイス（例えば、スマートフォンまたはスマート・ウオッチ、生物計量センサ、ウエアラブル・センサ、埋め込みセンサ等）も含むことができる。このようなセンサは、例えば、車両用オンボード診断（ＯＢＤ）ユニットに付随するセンサおよび／またはシステム、自律型車両運転システム等を含むことができる。このようなセンサは、例えば、測位センサ（例えば、ＧＰＳセンサ、Ｇａｌｉｌｅｏセンサ、ＧＬＯＮＡＳＳセンサ等）を含むことができる。このような測位センサは、車両（例えば、ローカル人間制御型車両、自律型車両、リモート人間制御車両等）の操作システムの一部とすることができる。このようなセンサは、例えば、コンテナ・センサ（例えば、ゴミ箱センサ、出荷コンテナ・センサ、コンテナ環境センサ、コンテナ追跡センサ等）を含むことができる。
【００３６】
[0047]  一旦車両がこのようなセンサ・デバイスの近傍に入ったなら、無線リンクを確立することができるので、車両（またはそのＯＢＵ）はセンサ・デバイスからセンサ・データを収集し、収集したデータをクラウド内にあるデータベースにアップロードすることができる。次いで、しかるべき行動を起こすことができる。廃棄物管理の例示の実装態様では、様々な廃棄物管理（または収集）トラックにＯＢＵを装備することができ、ＯＢＵは、コンテナ上に実装されたセンサと周期的に通信して、廃棄物のレベル、最後の収集からの経過時間等についての情報を収集することができる。次いで、このような情報をクラウド（例えば、インターネットに結合された廃棄物管理アプリケーション等）に車両メッシュ・ネットワークを通じて送り、廃棄物管理トラックの日程計画および／または経路決定を改善することができる。尚、常にモバイルＡＰ（例えば、車載センサ）の範囲内に種々のセンサがあるはずである(may)ことを注記しておく。更に（または代わりに）、センサはモバイルであってもよい（例えば、モバイルＡＰまたは固定ＡＰの近くを通過する他の車両に搭載されたセンサ、ドローンに搭載されたセンサ、歩道に装着されたセンサ等）ことも注記しておく。
【００３７】
[0048]  例示の実装態様では、例えば、多くの車両、機械、および従業員がある被制御空間（例えば、湾港(port, harbor)、空港、工場、農場、鉱山等）において、本開示の種々の態様による通信ネットワークが、例えば、ＳＩＭカードまたはセルラ料金に基づく通信事業者に依存する解決策(Telco-dependent solution)に頼ることなく、企業および／またはローカルＷｉ−Ｆｉネットワークの無線カバレッジを拡大することができる。このような例示のシナリオでは、高価なセルラ・データ・プラン、制限されるデータ・レート、場所によっては貧弱なセルラ・カバレッジを回避することの他に、本開示の種々の態様による通信ネットワークは、信頼性高くそしてリアル・タイムで、大量のデータを収集するおよび／または伝達することもできる。このようなデータは、湾港ロジスティクス、輸送作業等を最適化するために使用することができる。
【００３８】
[0049]  例えば、湾港(port and/or harbor)の実施態様では、車両の位置、速度、燃料消費、およびＣＯ２排出についてのリアル・タイム情報を収集することによって、通信ネットワークは、湾港事業者が船の荷積みプロセスの一斉遂行(coordination)を改善し、湾港のスループットを高めることを可能にする。また、例えば、この通信ネットワークは、運転手の行動、自律型車両およびその制御システムの行動、トラックの位置、並びにエンジンのステータスのリモート監視を可能にし、次いでリアル・タイムの通知をドライバ例えば、人間の運転手および／または自律型車両運転システムに与えることができ（例えば、エンジンを始動させる／停止させる、湾港内部で正しい経路に従う、休憩を取る等のため）、こうして湾港サービスおよび移動(trips)の回数を減らし期間を短縮する。湾港当局者は、例えば、故障したトラックや異常なトラックの循環を素早く検出し、こうして事故を回避し、湾港の効率、セキュリティ、および安全性を高めることができる。加えて、車両は湾港のローカル事業者からＷｉ−Ｆｉアクセス・ポイントに接続すること、ならびにＷｉ−Ｆｉインターネット・アクセスを車両の占有者におよび周囲にいる湾港従業員に提供し、例えば、船員(pilot)が海上にいる間にインターネットを通じて報告を書き上げることによって、時間を節約することが可能になる。
【００３９】
[0050]  図１は、本開示の種々の態様による通信ネットワーク１００のブロック図である。本明細書において論ずる任意または全ての機能は、例示のネットワーク１００の任意または全ての例示のコンポーネントの内によって実行することができる。また、例示のネットワーク１００は、例えば、任意または全ての特性を、本明細書において論ずる他の例示のネットワークおよび／またはネットワーク・コンポーネント２００、３００、４００、５００〜５７０、および６００と共有することができる。
【００４０】
[0051]  例示のネットワーク１００は、例えば、クラウドを含む。クラウドは、例えば、種々のネットワーク・レベルのコンポーネントの内任意のものを含むことができる。クラウドは、例えば、ネットワーク１００のコンポーネントを監視および／または制御する種々のサーバ・システム実行アプリケーションの内任意のものを含むことができる。また、このようなアプリケーションは、例えば、ネットワーク接続された情報ソースの大きなアレイの内任意のものからの情報の収集を管理することができる。情報ソースの多くの例が、本明細書において論じられている。クラウド（またはその一部）をときとしてＡＰＩと呼ぶこともある。例えば、クラウド（またはその一部）は、１つ以上のアプリケーション・プログラミング・インタフェース（ＡＰＩ）を提供することができ、他のデバイスはアプリケーション・プログラミング・インタフェース（ＡＰＩ）を、クラウドと通信／相互作用するために使用することができる。
【００４１】
[0052]  クラウドの例示のコンポーネントは、例えば、種々のマルチクラウド・システムおよびアーキテクチャとの相互動作可能性を管理することができる。他の例示のコンポーネント（例えば、クラウド・サービス・コンポーネント）は、例えば、種々のクラウド・サービス（例えば、キャプティブ・ポータル・サービス、認証、許可、およびアカウンティング（ＡＡＡ）サービス、ＡＰＩゲートウェイ・サービス等）を提供することができる。更に他の例示のコンポーネント（例えば、ＤｅｖＣｅｎｔｅｒコンポーネント）は、例えば、ネットワーク監視および／または管理機能を提供し、ソフトウェア更新の実施等を管理することができる。クラウドの更に他の例示のコンポーネントは、データ格納、データ分析、データ・アクセス等を管理することができる。クラウドの更に別の例示のコンポーネントは、種々の第三者のアプリケーションおよびサービスの内任意のものを含むことができる。
【００４２】
[0053]  クラウドは、例えば、インターネットを通じて（例えば、１つ以上のインターネット・サービス・プロバイダを利用して）、例示のネットワーク１００のバックボーン／コア・インフラストラクチャに結合することができる。インターネットを例として挙げるが、本開示の範囲はそれに限定されるのではないことは理解されてしかるべきである。
【００４３】
[0054]  バックボーン／コアは、例えば、任意の１つ以上の異なる通信インフラストラクチャ・コンポーネントを含むことができる。例えば、１つ以上のプロバイダがバックボーン・ネットワークまたは種々のそのコンポーネントを提供することができる。図１に図示する例示のネットワーク１００に示すように、バックボーン・プロバイダはワイヤライン・アクセス（例えば、ＰＳＴＮ、ファイバ、ケーブル等）を提供することができる。また、例えば、バックボーン・プロバイダは、無線アクセス（例えば、マイクロ波、ＬＴＥ／セルラ、５Ｇ／ＴＶスペクトル等）を提供することもできる。
【００４４】
[0055]  また、バックボーン／コアは、例えば、１つ以上のローカル・インフラストラクチャ・プロバイダも含むことができる。また、バックボーン／コアは、例えば、プライベート・インフラストラクチャ（例えば、ネットワーク１００の実施者(implementer)、所有者等によって運営される）を含むこともできる。バックボーン／コアは、例えば、種々のバックボーン・サービスの内任意のもの（例えば、ＡＡＡ、移動性、監視、アドレッシング、ルーティング、コンテンツ・サービス、ゲートウェイ制御サービス等）を提供することができる。
【００４５】
[0056]  バックボーン／コア・インフラストラクチャは、種々の特性の内任意のものを含むことができ、それらの非限定的な例について本明細書において示す。例えば、バックボーン／コアは、バックボーン・アクセスのための異なる無線技術または有線技術との互換性を有することができる。また、バックボーン／コアは、異なるローカル・プロバイダによって所有されるおよび／またはネットワーク実施者または利害関係者によって所有される公営（例えば、市営、都市、キャンパス等）および／または私営（例えば、湾港(port)、キャンバス等）ネットワーク・インフラストラクチャを処理するように適応可能にすることができる。バックボーン／コアは、例えば、異なる認証、許可、およびアカウンティング（ＡＡＡ）メカニズムを含むこと、および／またはこれとインタフェースすることができる。
【００４６】
[0057]  バックボーン／コア・インフラストラクチャは、例えば、異なる動作モード（例えば、湾港の実施態様におけるＬ２、陸上公衆輸送の実施態様におけるＬ３、ディジタルＩＰネットワーキングの複数の異なるレイヤの内任意の１つ以上、その任意の組み合わせ、その同等物等を利用して）、またはアドレス可能なプールをサポートすることができる。また、バックボーン／コアは、例えば、クラウド・プロバイダ（１つまたは複数）および／またはインターネット・サービス・プロバイダ（１つまたは複数）に対して非依存型であることができる。加えて、例えば、バックボーン／コアは、ネットワーク１００の任意のまたは全てのサブシステム（例えば、モバイルＡＰまたはＯＢＵ（オンボード・ユニット）、固定ＡＰまたはＲＳＵ（道路脇ユニット）、ＭＣ（移動性コントローラ）、ＬＭＡ（ローカル移動性アンカー）、またはネットワーク・コントローラ等）、および／または第三者システムから来る要求に対して非依存型であることができる。
【００４７】
[0058]  バックボーン／コア・インフラストラクチャは、例えば、異なるデータ・ストレージ／処理システム（例えば、ＭｏｎｇｏＤＢ、ＭｙＳｑｌ、Ｒｅｄｉｓ等）を利用する能力、および／またはこれらとインタフェースする能力を備える(comprise)ことができる。更に、バックボーン／コア・インフラストラクチャは、例えば、インフラストラクチャ、サービス、データ等に対して異なるレベルの同時アクセスを提供することができる。
【００４８】
[0059]  また、例示のネットワーク１００は、例えば、固定ホットスポット・アクセス・ネットワークも含むことができる。このような固定ホットスポット・アクセス・ネットワーク２００の種々の特性例を図２に示す。例示のネットワーク２００は、例えば、任意のまたは全ての特性を、本明細書において論ずる他の例示のネットワークおよび／またはネットワーク・コンポーネント１００、３００、４００，５００〜５７０、および６００と共有することができる。
【００４９】
[0060]  例示のネットワーク２００では、固定ＡＰ（例えば、企業固有のＡＰ、公営第三者ＡＰ、私営第三者ＡＰ等）を直接ローカル・インフラストラクチャ・プロバイダおよび／またはワイヤライン／無線バックボーンに接続することができる。また、例えば、例示のネットワーク２００は、無線技術によって、種々のＡＰ間にメッシュを含むこともできる。しかしながら、実施態様によっては、種々の有線技術も利用できることを注記しておく。図示のように、異なる固定ホットスポット・アクセス・ネットワークを同じバックボーン・プロバイダに接続することができるが、異なるそれぞれのバックボーン・プロバイダに接続してもよい。バックボーン・アクセスのために無線技術を利用する例示の実装態様では、このような実施態様は比較的障害に対して耐性を有することができる。例えば、固定ＡＰは、バックホール・インフラストラクチャが故障した場合、バックボーン・ネットワーク（例えば、セルラ、３Ｇ、ＬＴＥ、他のワイドまたは都市エリア・ネットワーク等）への無線通信を利用することができる。また、例えば、このような実施態様は、比較的容易な設置に対応することができる（例えば、事実上どこにでも配することができる、ケーブル電源のない固定ＡＰ）。
【００５０】
[0061]  例示のネットワーク２００では、同じ固定ＡＰが同時に多数の固定ＡＰ、モバイルＡＰ（例えば、車両ＯＢＵ等）、デバイス、ユーザ・デバイス、センサ、物体等にアクセスを付与することができる。例えば、複数のモバイル・ホットスポット・アクセス・ネットワーク（例えば、ＯＢＵベースのネットワーク等）が同じ固定ＡＰを利用することができる。また、例えば、同じ固定ＡＰが複数の同時アクセスを他の１つのユニット（例えば、他の固定ＡＰ、モバイルＡＰ、デバイス等）に付与し、例えば、異なるチャネル、異なるラジオ等を利用することもできる。）
【００５１】
[0062]  尚、複数の固定ＡＰをフォールト・トレラント／障害回復の目的に利用してもよいことを注記しておく。例示の実装態様では、固定ＡＰおよびそのフェイルオーバＡＰが双方共、通常では動作状態にある（例えば、同じスイッチにおいて）のでもよい。また、例えば、１つ以上の固定ＡＰをネットワークにおける種々の場所に、インアクティブ・モードまたは監視モードで配置し、必要とされるときに（例えば、障害に応答して、緊急サービスの必要性に応答して、データ・サージに応答して等）動作状態になるように準備をしておくこともできる。
【００５２】
[0063]  再度図１を参照すると、固定ホットスポット・アクセス・ネットワークの例は、バックボーン・プロバイダ（例えば、１つ以上のバックボーン・プロバイダおよび／またはローカル・インフラストラクチャ・プロバイダ）、モバイル・ホットスポット・アクセス・ネットワーク、１つ以上のエンド・ユーザ・デバイス、および環境への無線通信リンクと共に示されている。また、固定ホットスポット・アクセス・ネットワークの例は、１つ以上のバックボーン・プロバイダ、モバイル・ホットスポット・アクセス・ネットワーク、１つ以上のエンド・ユーザ・デバイス、および環境への有線通信リンクと共に示されている。環境は、種々のデバイスの内任意のものを含むことができる（例えば、車内ネットワーク、デバイス、およびセンサ；自律車両ネットワーク、デバイス、およびセンサ；海上（または船舶）および湾港ネットワーク、デバイス、およびセンサ；一般的な被制御空間ネットワーク、デバイス、およびセンサ；住居用ネットワーク、デバイス、およびセンサ；災害復旧および緊急時ネットワーク、デバイス、およびセンサ；軍事および航空機ネットワーク、デバイス、およびセンサ；スマート都市ネットワーク、デバイス、およびセンサ；イベント（または会場）ネットワーク、デバイス、およびセンサ；水中および地下ネットワーク、デバイス、およびセンサ；農業用ネットワーク、デバイス、およびセンサ；トンネル（自動車道(auto)、地下道、列車等）ネットワーク、デバイス、およびセンサ；駐車場ネットワーク、デバイス、およびセンサ；セキュリティおよび監視ネットワーク、デバイス、およびセンサ；出荷機器およびコンテナ・ネットワーク、デバイス、およびセンサ；環境制御または監視ネットワーク、デバイス、およびセンサ；市営ネットワーク、デバイス、およびセンサ；廃棄物管理ネットワーク、デバイス、センサ；道路保守ネットワーク、デバイス、およびセンサ、ならびに交通管理ネットワーク、デバイス、およびセンサ；広告ネットワーク、デバイス、およびセンサ等）。
【００５３】
[0064]  また、図１の例示のネットワーク１００は、モバイル・ホットスポット・アクセス・ネットワークも含む。このようなモバイル・ホットスポット・アクセス・ネットワーク３００の種々の特性例を図３に示す。尚、種々の固定ネットワーク・コンポーネント（例えば、固定ＡＰ）も図示されていることを注記しておく。例示のネットワーク３００は、例えば、任意のまたは全ての特性を、本明細書において論ずる、他の例示のネットワークおよび／またはネットワーク・コンポーネント１００、２００、４００、５００〜５７０、および６００と共有することができる。
【００５４】
[0065]  例示のネットワーク３００は、多種多様なモバイルＡＰ（またはホットスポット）を含み、これらのモバイルＡＰは、ユーザ・デバイスへのアクセスを付与する、センサ・データ収集に対応する、マルチホップ接続(connectivity)を他のモバイルＡＰに提供する等を行う。例えば、例示のネットワーク３００は、異なる車隊からの車両（例えば、空中、地上、地下、水上（水中）等）を含む。例えば、例示のネットワーク３００は、１つ以上の大量配給／輸送車隊、１つ以上の大量乗客輸送用車隊、私有／公有ユーザ共有車隊、私有車両、都市および市有車隊、保守用車隊、ドローン、船舶（例えば、ボート、船、スピードボート、タグボート、はしけ等）、緊急用車隊（例えば、警察、救急、消防等）等を含む。
【００５５】
[0066]  例示のネットワーク３００は、例えば、同じまたは異なる通信技術を使用する、例えば、直接接続されたおよび／またはメッシュ接続された異なる車隊からの車両を示す。また、例示のネットワーク３００は、異なる固定ＡＰに同時に接続された車隊も示し、これらは異なるそれぞれのローカル・インフラストラクチャ・プロバイダに属しても、属さなくてもよい。フォールト・トレラント・メカニズムとして、例示のネットワーク３００は、例えば、ローカル・ネットワーク・インフラストラクチャが故障した場合またはそれ以外で利用不可能になった場合、車両における長距離無線通信ネットワーク（例えば、セルラ、３Ｇ、４Ｇ、ＬＴＥ等）の利用を含むことができる。同じ車両（例えば、モバイルＡＰまたはＯＢＵ）が、例えば、同じ通信技術（例えば、共有チャネルおよび／またはその異なるそれぞれのチャネル）を使用して、および／または各々毎に異なるそれぞれの通信技術を使用して、複数の車両、デバイス、物体等に同時にアクセスを付与することができる。また、例えば、同じ車両が、例えば、同じ通信技術（例えば、共有チャネルおよび／またはその異なるそれぞれのチャネル、および／または異なる通信技術を使用して）を使用して、他の車両、デバイス、物体等に複数のアクセスを付与することもできる。
【００５６】
[0067]  加えて、複数のネットワーク・エレメントを互いに接続して、フォールト・トレラントまたは障害回復や、スループット向上に対応することができ、あるいは任意のまたは種々のクライアントのネットワーキングの要望に応えることもできる。多くの要望の例を本明細書において示す。例えば、２つのモバイルＡＰ（またはＯＢＵ）を同じ車両に設置すること等も可能である。
【００５７】
[0068]  再度図１を参照すると、モバイル・ホットスポット・アクセス・ネットワークの例は、バックボーン・プロバイダ（例えば、１つ以上のバックボーン・プロバイダおよび／またはローカル・インフラストラクチャ・プロバイダ）への無線通信リンク、固定ホットスポット・アクセス・ネットワークへの無線通信リンク、１つ以上のエンド・ユーザ・デバイスへの無線通信リンク、および環境（例えば、本明細書において論ずるセンサまたはシステムの内任意の１つ以上、任意のその他のデバイスまたは機械等）への無線通信リンクと共に示されている。種々の他のコンポーネントへの有線リンクを有するモバイル・ホットスポット・アクセス・ネットワークは示されていないが、そのような有線リンクが少なくとも一時的に（少なくともときおり）ある場合もある。
【００５８】
[0069]  また、図１の例示のネットワーク１００は、１組のエンド・ユーザ・デバイスも含む。種々のエンド・ユーザ・デバイス例を図４に示す。尚、種々の他のネットワーク・コンポーネント（例えば、固定ホットスポット・アクセス・ネットワーク、モバイル・ホットスポット・アクセス・ネットワーク（１つまたは複数）、バックボーン／コア等）も図示されていることを注記しておく。例示のネットワーク４００は、例えば、任意のまたは全ての特性を、本明細書において論ずる、他の例示のネットワークおよび／またはネットワーク・コンポーネント１００、２００、３００、５００〜５７０、および６００と共有することができる。
【００５９】
[0070]  例示のネットワーク４００は、種々のモバイル・ネットワーク接続型デバイス(mobile networked device)を示す。このようなネットワーク・デバイスは、エンド・ユーザ・デバイス（例えば、スマートフォン、タブレット、スマート・ウオッチ、ラップトップ・コンピュータ、ウェブカム、個人用ゲーミング・デバイス、個人用ナビゲーション・デバイス、個人用メディア・デバイス、個人用カメラ、健康管理デバイス、個人用ロケーション・デバイス、監視パネル、プリンタ等）を含むことができる。また、このようなネットワーク接続型デバイスは、一般的な環境において動作する種々のデバイスの内任意のものを含むことができ、そのようなデバイスは、例えば、特定のユーザと関連付けられていなくてもよい（例えば、本明細書において論ずるセンサ・デバイス、車両センサ、市有センサ(municipal sensor)、車隊センサ、道路センサ、環境センサ、セキュリティ・センサ、トラフィック・センサ、廃棄物センサ、天候センサの内任意のものまたは全て、種々の異なるタイプの市有機器または企業の機器の内任意のもの等）。このようなネットワーク接続型デバイスはいずれも、別個のバックボーン、固定ホットスポット・アクセス・ネットワーク、モバイル・ホットスポット・アクセス・ネットワーク等に、同じまたは異なる有線／無線技術を使用して、柔軟に接続することができる。
【００６０】
[0071]  モバイル・デバイスは、例えば、複数のデバイス／物体に同時アクセスを付与するＡＰとして動作することができ、一方複数のデバイス／物体は、アド・ホック・ネットワークを形成し、別個のバックボーン・ネットワーク、固定ホットスポット、および／またはモバイル・ホットスポット・アクセス・ネットワークに接続されたデバイスを最終的に相互接続することができる。デバイス（例えば、本明細書において論ずるデバイスまたはネットワーク・ノードの内任意のものまたは全て）は、例えば、フォールト・トレラントおよび／または負荷均衡の目的で（例えば、複数のＳＩＭカード等を利用して）、別個のバックボーン、固定ホットスポット、および／またはモバイル・ホットスポット・アクセス・ネットワークにアクセスするために、例えば、冗長技術を有することができる。また、デバイスは、例えば、同じプロバイダまたは異なるそれぞれのプロバイダに属す、別個のバックボーン、固定ホットスポット・アクセス・ネットワーク、および／またはモバイル・ホットスポット・アクセス・ネットワークに同時にアクセスすることができる。加えて、例えば、デバイスは他のデバイス／物体に複数のアクセスを（例えば、異なるチャネル、ラジオ等を通じて）付与することができる。
【００６１】
[0072]  再度図１を参照すると、例示のエンド・ユーザ・デバイスは、バックボーン・プロバイダ（例えば、１つ以上のバックボーン・プロバイダおよび／またはローカル・インフラストラクチャ・プロバイダ）への無線通信リンク、固定ホットスポット・アクセス・ネットワークへの無線通信リンク、モバイル・ホットスポット・アクセス・ネットワークへの無線通信リンク、および環境への無線通信リンクと共に示されている。また、例えば、例示のエンド・ユーザ・デバイスは、バックボーン・プロバイダ、固定ホットスポット・アクセス・ネットワーク、モバイル・ホットスポット・アクセス・ネットワーク、および環境への有線通信リンクと共に示されている。
【００６２】
[0073]  図１に示す例示のネットワーク１００は、実施時に（例えば、異なるユーザ事例毎に）適応可能であり、および／または、例えば、ネットワーク・コンポーネントがサービスに加入および離脱するに連れてリアル・タイムで適応可能である、柔軟なアーキテクチャを有する。図５Ａ〜図５Ｃは、モード（または構成）例を示すことによって、このような柔軟性を例示する。例示のネットワーク５００〜５７０は、例えば、任意のまたは全ての特性を、本明細書において論ずる、他の例示のネットワークおよび／またはネットワーク・コンポーネント１００、２００、３００、４００、および６００と共有することができる。例えば、そして限定ではなく、例示のネットワーク５００〜５７０において示される通信リンク（例えば、有線リンク、無線リンク等）の内任意または全ては、総じて、図１の例示のネットワーク１００において示される、同様に位置する通信リンクと類似する。
【００６３】
[0074]  例えば、本開示の種々の態様は、静止およびモバイル通信ノード双方の複雑なアレイを含む、動的に構成変更可能な通信ネットワーク（例えば、移動物体のインターネット）をサポートするための通信ネットワーク・アーキテクチャ、システム、および方法を提供する。例えば、本開示の種々の態様にしたがって実現される通信ネットワークは、種々の固定ノード、モバイル・ノード、および／またはその組み合わせを含む複数の様式(modalities)の内１つで動作することができ、複数の様式は種々のシステムの目的の内任意のものを達成するために選択可能である（例えば、スループット向上、レイテンシ短縮およびパケット損失低減、システムの利用可能性およびロバスト性向上、余裕のある冗長性(extra redundancy)、応答性向上、データおよび／または制御パケットの送信におけるセキュリティ向上、スマート閾値を組み込むことによる構成変更（例えば、技術の変更、証明書の変更、ＩＰの変更等）の回数削減、アクセスが困難な１つまたは複数のデッド・ゾーンにおける接続(connectivity)の提供、保守および更新／アップグレード等のために機器にアクセスする際のコスト低減）。このような様式の少なくとも一部は、例えば、永続的ではないにしても少なくとも一時的に、位置固定ノードによって全体的に構成することができる。
【００６４】
[0075]  図示を簡単にするために、図１（および本明細書におけるその他の図）のシステムまたは例示のネットワーク１００において示される態様例の多くが図５Ａ〜図５Ｃから省略されているが、存在してもよい。例えば、図１およびその他の図に示すクラウド、インターネット、およびＩＳＰの態様は、図５Ａ〜図５Ｃには明示的に示されていないが、これらの構成例のいずれにおいても存在してもよい（例えば、バックボーン・プロバイダ・ネットワークの一部としてまたはそれに結合されて存在する、ローカル・インフラストラクチャ・プロバイダ・ネットワークの一部としてまたはそれに結合されて存在する等）。
【００６５】
[0076]  例えば、第１モード例５００は、通常実行モード、例えば、本明細書において論ずるコンポーネントの全てが存在するモード（または構成）として紹介されている。例えば、第１モード例５００における通信システムは、バックボーン・プロバイダ・ネットワーク、ローカル・インフラストラクチャ・プロバイダ・ネットワーク、固定ホットスポット・アクセス・ネットワーク、モバイル・ホットスポット・アクセス・ネットワーク、エンド・ユーザ・デバイス、および環境デバイスを含む。
【００６６】
[0077]  図５Ａにおいて、そして図１において更に詳しく示すように、バックボーン・プロバイダ・ネットワークは、１つ以上の有線（または繋留）リンクを介して、第１モード例５００（または構成）において存在する他のエレメントの内任意のものまたは全てに通信可能に結合することができる。例えば、バックボーン・プロバイダ・ネットワークは、ローカル・インフラストラクチャ・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、有線リンクを介して通信可能に結合することができる。尚、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（繋留）リンクを介して、通信可能に結合できることも注記しておく。
【００６７】
[0078]  また、図５Ａにおいて、そして図１において更に詳しく示すように、バックボーン・プロバイダ・ネットワークは、第１モード例５００（または構成）において存在する他のエレメントの内任意のものまたは全てに、１つ以上の無線リンク（例えば、ＲＦリンク、非繋留光リンク等）を介して通信可能に結合することができる。例えば、バックボーン・プロバイダ・ネットワークは、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して通信可能に結合することができる。また、種々の構成例において、バックボーン・プロバイダ・ネットワークは、ローカル・インフラストラクチャ・プロバイダ・ネットワークにも１つ以上の無線リンク（または非繋留）リンクを介して通信可能に結合することができる。
【００６８】
[0079]  第１モード例５００（または図５Ａ〜図５Ｃのモード例の内任意のもの）には示されていないが、１つ以上のサーバをバックボーン・プロバイダ・ネットワークおよび／またはローカル・インフラストラクチャ・ネットワークに通信可能に結合することもできる。図１は、インターネットを通じてバックボーン・プロバイダ・ネットワークに通信可能に結合されたクラウド・サーバの一例を示す。
【００６９】
[0080]  更に図５Ａにおいて、そして図１において更に詳しく示すように、ローカル・インフラストラクチャ・プロバイダ・ネットワークを、第１モード例５００（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークをバックボーン・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることを注記しておく。
【００７０】
[0081]  また、明示的には示されていないが、ローカル・インフラストラクチャ・プロバイダ・ネットワークは、第１モード例５００（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク（またはその任意のコンポーネント）、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。尚、図５Ａの第１モード例５００に示されている、ローカル・インフラストラクチャ・プロバイダ・ネットワークと固定ホットスポット・アクセス・ネットワークとの間における通信リンクは、有線および／または無線でもよいことを注記しておく。
【００７１】
[0082]  また、第１モード例５００では、固定ホットスポット・アクセス・ネットワークが、モバイル・ホットスポット・アクセス・ネットワーク、エンド・ユーザ・デバイス、および／または環境デバイスに、１つ以上の無線リンクを介して通信可能に結合されていることも示されている。このような無線結合の多くの例が、本明細書において示されている。加えて、モバイル・ホットスポット・アクセス・ネットワークも、第１モード例５００において、エンド・ユーザ・デバイスおよび／または環境デバイスに、１つ以上の無線リンクを介して通信可能に結合されていることも示されている。このような無線結合の多くの例が、本明細書において示されている。更に、第１モード例５００では、エンド・ユーザ・デバイスが環境デバイスに１つ以上の無線リンクを介して通信可能に結合されていることも示されている。このような無線結合の多くの例が、本明細書において示されている。尚、種々の例示の実装態様において、このような無線リンクの内任意のものが、代わりに（または加えて）有線（または繋留）リンクを含んでもよいことを注記しておく。
【００７２】
[0083]  第１モード例５００（例えば、通常モード）では、エンド・ユーザ・デバイスとサーバ（例えば、コンピュータ・システム）との間で、モバイル・ホットスポット・アクセス・ネットワーク、固定ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。本明細書において紹介する種々のモード例に見られるように、このような伝達は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、固定ホットスポット・アクセス・ネットワーク、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）伝達することができる。また、例えば、エンド・ユーザ・デバイスとサーバとの間で伝達される情報は、バックボーン・プロバイダ・ネットワークを通じて（例えば、モバイル・ホットスポット・アクセス・ネットワーク、固定ホットスポット・アクセス・ネットワーク、および／またはローカル・インフラストラクチャ・プロバイダ・ネットワークを飛ばして）伝達することもできる。
【００７３】
[0084]  同様に、第１モード例５００（例えば、通常モード）では、環境デバイスとサーバとの間において、モバイル・ホットスポット・アクセス・ネットワーク、固定ホットスポット・アクセス・ネットワーク、ローカル・インフラストラクチャ・プロバイダ・ネットワーク、および／またはバックボーン・プロバイダ・ネットワークを通じて情報（またはデータ）を伝達することができる。また、例えば、環境デバイスは、エンド・ユーザ・デバイスと、またはエンド・ユーザ・デバイスを介して通信することもできる（例えば、モバイル・ホットスポット・アクセス・ネットワークの代わりに、またはこれに加えて）。本明細書において紹介する種々のモード例に見られように、このような通信は、環境デバイスとサーバ（例えば、ローカル・インフラストラクチャ・プロバイダ・ネットワークおよび／またはバックボーン・プロバイダ・ネットワークに通信可能に結合されている）との間で、 種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【００７４】
[0085]  例えば、環境デバイスとサーバとの間で伝達される情報は、固定ホットスポット・アクセス・ネットワーク、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）伝達することができる。また、例えば、環境デバイスとサーバとの間で伝達される情報は、バックボーン・プロバイダ・ネットワークを通じて（例えば、モバイル・ホットスポット・アクセス・ネットワーク、固定ホットスポット・アクセス・ネットワーク、および／またはローカル・インフラストラクチャ・プロバイダ・ネットワークを飛ばして）伝達することもできる。加えて、例えば、環境デバイスとサーバとの間で伝達される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）伝達することもできる。
【００７５】
[0086]  本明細書において論ずるように、ここで紹介する例示のネットワークは、種々の異なるモード（または構成）の内任意のもので動作するように適応的に構成変更可能である。このような適応型構成は、最初の設置時に、および／またはその後の被制御ネットワークの評価時（例えば、本明細書において論ずるネットワーク・コンポーネントの内任意のものまたは全てを追加あるいは除去するとき、ネットワーク容量を拡大または除去するとき、カバレッジ・エリアを追加または除去するとき、サービスを追加または除去するとき等）に行うことができる。また、このような適応型構成は、リアル・タイムで、例えば、ネットワーク条件のリアル・タイムの変更（例えば、車両またはユーザ・デバイスの移動、ネットワークまたはコンポーネントの障害、ネットワークまたはコンポーネントの交換あるいは増強活動、ネットワークの過負荷等に基づいて、ネットワークまたはそのコンポーネントが利用可能な否か）に応答して行うこともできる。通信システムが本開示の種々の態様に従って動作することができる種々のモードの特性を例示するために、以下のモード例を紹介する。全体的に、第１モード例５００（例えば、通常実行モード）に関係付けて以下の例を論ずる。尚、このような例示のモードは、単なる例示であり限定でないことを注記しておく。
【００７６】
[0087]  第２モード例（または構成）５１０（例えば、バックボーン利用不可モード）は、例えば、任意のまたは全ての特性を第１モード例５００と共有することができるが、バックボーン・プロバイダ・ネットワークおよびそれとの通信リンクがない。例えば、第２モード例５１０における通信システムは、ローカル・インフラストラクチャ・プロバイダ・ネットワーク、固定ホットスポット・アクセス・ネットワーク、モバイル・ホットスポット・アクセス・ネットワーク、エンド・ユーザ・デバイス、および環境デバイスを含む。
【００７７】
[0088]  図５Ａにおいて、そして図１において更に詳しく示すように、ローカル・インフラストラクチャ・プロバイダ・ネットワークは、第２モード例５１０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００７８】
[0089]  また、明示的には示されていないが、ローカル・インフラストラクチャ・プロバイダ・ネットワークは、第２モード例５１０（または構成）において存在する他のエレメントの内任意のものまたは全てに、１つ以上の無線リンク（例えば、ＲＦリンク、非繋留光リンク等）を介して通信可能に結合することができる。例えば、ローカル・インフラストラクチャ・プロバイダ・ネットワークは、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して通信可能に結合することができる。尚、図５Ａの第２モード例５１０において、ローカル・インフラストラクチャ・プロバイダ・ネットワークと固定ホットスポット・アクセス・ネットワーク間に示されている通信リンク（１つまたは複数）は有線および／または無線でもよいことを注記しておく。
【００７９】
[0090]  また、第２モード例５１０では、固定ホットスポット・アクセス・ネットワークが、モバイル・ホットスポット・アクセス・ネットワーク、エンド・ユーザ・デバイス、および／または環境デバイスに、１つ以上の無線リンクを介して、通信可能に結合されていることも示されている。このような無線結合の多くの例が本明細書では示されている。加えて、第２モード例５１０では、モバイル・ホットスポット・アクセス・ネットワークが、更に、エンド・ユーザ・デバイスおよび／または環境デバイスに１つ以上の無線リンクを介して通信可能に結合されていることも示されている。このような無線結合の多くの例が本明細書では示されている。更に、第２モード例５１０では、エンド・ユーザ・デバイスが環境デバイスに１つ以上の無線リンクを介して通信可能に結合されていることも示されている。このような無線結合の多くの例が、本明細書において示されている。尚、種々の例示の実装態様において、このような無線リンクの内任意のものが、代わりに（または加えて）、有線（または繋留）リンクを含んでもよいことを注記しておく。
【００８０】
[0091]  第２モード例５１０（例えば、バックボーン利用不可モード）では、エンド・ユーザ・デバイスとサーバ（例えば、コンピュータ等）との間において、モバイル・ホットスポット・アクセス・ネットワーク、固定ホットスポット・アクセス・ネットワーク、および／またはローカル・インフラストラクチャ・プロバイダ・ネットワークを通じて、情報（またはデータ）を伝達することができる。本明細書において紹介する種々のモード例において見られるように、このような伝達は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、固定ホットスポット・アクセス・ネットワークおよび／またはローカル・インフラストラクチャ・プロバイダ・ネットワークを通じて（例えば、モバイル・ホットスポット・アクセス・ネットワークを飛ばして）伝達することができる。また、例えば、エンド・ユーザ・デバイスとサーバとの間で伝達される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）伝達することもできる。
【００８１】
[0092]  同様に、第２モード例５１０（例えば、バックボーン利用不可モード）では、環境デバイスとサーバとの間において、モバイル・ホットスポット・アクセス・ネットワーク、固定ホットスポット・アクセス・ネットワーク、および／またはローカル・インフラストラクチャ・プロバイダ・ネットワークを通じて情報（またはデータ）を伝達することができる。また、例えば、環境デバイスがエンド・ユーザ・デバイスと、またはエンド・ユーザ・デバイスを介して通信することもできる（例えば、モバイル・ホットスポット・アクセス・ネットワークの代わりに、またはそれに加えて）。本明細書において紹介する種々のモード例に見られように、このような通信は、環境デバイスとサーバ（例えば、ローカル・インフラストラクチャ・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【００８２】
[0093]  例えば、環境デバイスとサーバとの間において伝達される情報は、固定ホットスポット・アクセス・ネットワークおよび／またはローカル・インフラストラクチャ・プロバイダ・ネットワークを通じて（例えば、モバイル・ホットスポット・アクセス・ネットワークを飛ばして）伝達することができる。また、例えば、環境デバイスとサーバとの間において伝達される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）伝達することもできる。
【００８３】
[0094]  第２モード例５１０は、種々の理由の内任意のもののために利用することができ、その非限定的な例が本明細書において示されている。例えば、セキュリティおよび／またはプライバシーの目的のために、パブリック・クラウド・システムやインターネット全般等への通信アクセスが許可されないように、第２モード例５１０を利用することができる。例えば、全てのネットワーク制御および管理機能が、ローカル・インフラストラクチャ・プロバイダ・ネットワーク（例えば、有線ローカル・ネットワーク等）および／または固定アクセス・ポイント・ネットワーク内にあってもよい。
【００８４】
[0095]  例示の実装態様では、通信システムがローカルの湾港当局(local port authority)によって全面的に所有、運営、および／または制御されるのでもよい。セルラ接続に伴う余分な出費を払う必要がない。例えば、セルラ接続能力（例えば、モバイルＡＰ、固定ＡＰ、エンド・ユーザ・デバイス、環境デバイス等において）を設ける必要がない。また、バックボーン・プロバイダ・ネットワークは通常利用可能であるが、現在は利用可能でないというシナリオにおいて（例えば、サーバ障害のため、通信リンク障害のため、停電のため、一時的なサービスの拒否のため等）、第２モード例５１０を利用できることを注記しておく。
【００８５】
[0096]  第３モード例（または構成）５２０（例えば、ローカル・インフラストラクチャおよび固定ホットスポット利用不可モード）は、例えば、任意のまたは全ての特性を第１モード例５００と共有することができるが、ローカル・インフラストラクチャ・プロバイダ・ネットワーク、固定ホットスポット・アクセス・ネットワーク、およびこれらとの通信リンクがない。例えば、第３モード例５２０における通信システムは、バックボーン・プロバイダ・ネットワーク、モバイル・ホットスポット・アクセス・ネットワーク、エンド・ユーザ・デバイス、および環境デバイスを含む。
【００８６】
[0097]  図５Ａにおいて、そして図１において更に詳しく示すように、バックボーン・プロバイダ・ネットワークは、第３モード例５２０（または構成）において存在する他のエレメントの内任意のものまたは全てに、１つ以上の有線（または繋留）リンクを介して、通信可能に結合することができる。例えば、バックボーン・プロバイダ・ネットワークは、エンド・ユーザ・デバイスおよび／または環境デバイスに、１つ以上の有線リンクを介して、通信可能に結合することができる。尚、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００８７】
[0098]  また、図５Ａにおいて、そして図１において更に詳しく示すように、バックボーン・プロバイダ・ネットワークは、第３モード例５２０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。
【００８８】
[0099]  更に、第３モード例５２０では、モバイル・ホットスポット・アクセス・ネットワークが、エンド・ユーザ・デバイスおよび／または環境デバイスに、１つ以上の無線リンクを介して通信可能に結合されていることも示されている。このような無線結合の多くの例が、本明細書において示されている。更に、第３モード例５２０では、エンド・ユーザ・デバイスが環境デバイスに１つ以上の無線リンクを介して通信可能に結合されていることも示されている。このような無線結合の多くの例が、本明細書において示されている。尚、種々の例示の実装態様において、このような無線リンクの内任意のものが、代わりに（または加えて）、有線（または繋留）リンクを含んでもよいことを注記しておく。
【００８９】
[00100]  第３モード例５２０（例えば、ローカル・インフラストラクチャおよび固定ホットスポット利用不可モード）では、エンド・ユーザ・デバイスとサーバ（例えば、コンピュータ等）との間において、モバイル・ホットスポット・アクセス・ネットワークおよび／またはバックボーン・プロバイダ・ネットワークを通じて、情報（またはデータ）を伝達することができる。本明細書において紹介する種々のモード例において見られるように、このような伝達は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、バックボーン・プロバイダ・ネットワークを通じて（例えば、モバイル・ホットスポット・アクセス・ネットワークを飛ばして）伝達することができる。
【００９０】
[00101]  同様に、第３動作モード５２０（例えば、ローカル・インフラストラクチャおよび固定ホットスポット利用不可モード）では、環境デバイスとサーバとの間で、モバイル・ホットスポット・アクセス・ネットワークおよび／またはバックボーン・プロバイダ・ネットワークを通じて情報（またはデータ）を伝達することができる。また、例えば、環境デバイスは、エンド・ユーザ・デバイスと、またはエンド・ユーザ・デバイスを介して通信することができる（例えば、モバイル・ホットスポット・アクセス・ネットワークの代わりに、またはそれに加えて）。本明細書において紹介する種々のモード例において見られるように、このような通信は、環境デバイスとサーバ（例えば、バックボーン・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、環境デバイスとサーバとの間で伝達される情報は、バックボーン・プロバイダ・ネットワークを通じて（例えば、モバイル・ホットスポット・アクセス・ネットワークを飛ばして）伝達することができる。
【００９１】
[00102]  第３モード例５２０では、全ての制御／管理機能を、例えば、クラウド内に実装することができる。例えば、モバイル・ホットスポット・アクセス・ネットワークは、固定ホットスポット・アクセス・ネットワークを経由する通信リンクを有していないので、モバイルＡＰはバックボーン・プロバイダ・ネットワーク（またはクラウド）との直接接続（例えば、セルラ接続）を利用することができる。モバイルＡＰがこのような能力を有していない場合、モバイルＡＰは、例えば、それに通信可能に結合されたエンド・ユーザ・デバイスによって付与されるデータ・アクセスを利用することもできる（例えば、エンド・ユーザ・デバイスのデータ・プランを利用する）。
【００９２】
[00103]  第３モード例５２０は、種々の理由の内任意のもののために利用することができ、その非限定的な例をここに示す。例示の実装態様では、第３モード例５２０は、通信システム機器の設置が増えるに連れて大きくなるデプロイ、例えば、他のモード（例えば、第１モード例５００、第４モード例５３０等）に成長するデプロイの早期段階において利用することができる。また、第３モード例５２０は、ローカル・インフラストラクチャ・プロバイダ・ネットワークおよび固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、利用できることも注記しておく。
【００９３】
[00104]  第４モード例（または構成）５３０（例えば、固定ホットスポット利用不可モード）は、例えば、任意のまたは全ての特性を第１モード例５００と共有することができるが、固定ホットスポット・アクセス・ネットワークおよびそれとの通信リンクがない。例えば、第４モード例５３０における通信システムは、バックボーン・プロバイダ・ネットワーク、ローカル・インフラストラクチャ・プロバイダ・ネットワーク、モバイル・ホットスポット・アクセス・ネットワーク、エンド・ユーザ・デバイス、および環境デバイスを含む。
【００９４】
[00105]  図５Ｂにおいて、そして図１において更に詳しく示すように、バックボーン・プロバイダ・ネットワークは、第４モード例５３０（または構成）において存在する他のエレメントの内任意のものまたは全てに、１つ以上の有線（または繋留）リンクを介して、通信可能に結合することができる。例えば、バックボーン・プロバイダ・ネットワークは、ローカル・インフラストラクチャ・プロバイダ・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００９５】
[00106]  また図５Ｂにおいて、そして図１において更に詳しく示すように、バックボーン・プロバイダ・ネットワークは、第４モード例５３０（または構成）において存在する他のエレメントの内任意のものまたは全てに、１つ以上の無線リンク（例えば、ＲＦリンク、非繋留光リンク等）を介して、通信可能に結合することもできる。例えば、バックボーン・プロバイダ・ネットワークは、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。また、種々の構成例において、バックボーン・プロバイダ・ネットワークは、ローカル・インフラストラクチャ・プロバイダ・ネットワークにも、１つ以上の無線（または非繋留）リンクを介して、注記しておく。
【００９６】
[00107]  加えて、図５Ｂにおいて、そして図１において更に詳しく示すように、ローカル・インフラストラクチャ・プロバイダ・ネットワークは、第４モード例５３０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、バックボーン・プロバイダ・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合することもできることも注記しておく。
【００９７】
[00108]  また、明示的には示されていないが、ローカル・インフラストラクチャ・プロバイダ・ネットワークは、第４モード例５３０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。
【００９８】
[00109]  モバイル・ホットスポット・アクセス・ネットワークは、更に、第４モード例５３０では、エンド・ユーザ・デバイスおよび／または環境デバイスに、１つ以上の無線リンクを介して通信可能に結合されていることも示されている。このような無線結合の多くの例が、本明細書において示されている。更に、第４モード例５３０では、エンド・ユーザ・デバイスが環境デバイスに１つ以上の無線リンクを介して通信可能に結合されていることも示されている。このような無線結合の多くの例が、本明細書において示されている。
【００９９】
[00110]  第４モード例５３０（例えば、固定ホットスポット除外モード）では、エンド・ユーザ・デバイスとサーバとの間において、モバイル・ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。本明細書において紹介する種々のモード例において見られるように、このような伝達は、エンド・ユーザ・デバイスとサーバとの間において、 種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、ローカル・インフラストラクチャ・プロバイダ・ネットワークおよび／またはバックボーン・プロバイダ・ネットワークを通じて（例えば、モバイル・ホットスポット・アクセス・ネットワークを飛ばして）伝達することができる。また、例えば、エンド・ユーザ・デバイスとサーバとの間で伝達される情報は、バックボーン・プロバイダ・ネットワークを通じて（例えば、モバイル・ホットスポット・アクセス・ネットワークおよび／またはローカル・インフラストラクチャ・プロバイダ・ネットワークを飛ばして）伝達することもできる。
【０１００】
[00111]  同様に、第４モード例５３０（例えば、固定ホットスポット利用不可モード）では、環境デバイスとサーバとの間において、モバイル・ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。また、例えば、環境デバイスは、エンド・ユーザ・デバイスと、またはこれを介して（例えば、モバイル・ホットスポット・アクセス・ネットワークの代わりに、またはこれに加えて）通信することもできる。本明細書において紹介する種々のモード例において見られるように、このような伝達は、環境デバイスとサーバ（例えば、ローカル・インフラストラクチャ・プロバイダ・ネットワークおよび／またはバックボーン・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【０１０１】
[00112]  例えば、環境デバイスとサーバとの間で伝達される情報は、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）伝達することができる。また、例えば、環境デバイスとサーバとの間で伝達される情報は、バックボーン・プロバイダ・ネットワークを通じて（例えば、モバイル・ホットスポット・アクセス・ネットワークおよび／またはローカル・インフラストラクチャ・プロバイダ・ネットワークを飛ばして）伝達することもできる。加えて、例えば、環境デバイスとサーバとの間で伝達される情報は、ローカル・インフラストラクチャ・プロバイダ・ネットワークを通じて（例えば、モバイル・ホットスポット・アクセス・ネットワークおよび／またはバックボーン・プロバイダ・ネットワークを飛ばして）伝達することもできる。
【０１０２】
[00113]  第４モード例５３０における例示の実装態様では、制御／管理機能の一部を、例えば、ローカル・バックボーン・プロバイダ・ネットワーク内（例えば、クライアント構内）に実装することもできる。例えば、ローカル・インフラストラクチャ・プロバイダへの通信は、バックボーン・プロバイダ・ネットワーク（またはクラウド）を通じて実行することができる。尚、ローカル・インフラストラクチャ・プロバイダ・ネットワークとモバイル・ホットスポット・アクセス・ネットワークとの間に直接通信経路があるシナリオでは、このような通信経路を利用できることを注記しておく。
【０１０３】
[00114]  例えば、モバイル・ホットスポット・アクセス・ネットワークは、固定ホットスポット・アクセス・ネットワークを経由する通信リンクを有していないので、モバイルＡＰはバックボーン・プロバイダ・ネットワーク（またはクラウド）との直接接続（例えば、セルラ接続）を利用することができる。モバイルＡＰがこのような能力を有していない場合、モバイルＡＰは、例えば、それに通信可能に結合されたエンド・ユーザ・デバイスによって付与されるデータ・アクセスを利用することもできる（例えば、エンド・ユーザ・デバイスのデータ・プランを利用する）。
【０１０４】
[00115]  第４モード例５３０は、種々の理由の内任意のもののために利用することができ、その非限定的な例をここに示す。例示の実装態様では、第４モード例５３０は、通信システム機器の設置が増えるに連れて大きくなるデプロイ、例えば、他のモード（例えば、第１モード例５００等）に成長するデプロイの早期段階において利用することができる。第４モード例５３０は、例えば、固定ＡＰにファイバ（またはその他の）接続が利用できないというシナリオ（例えば、海上におけるシナリオ、農園におけるシナリオ等）、または固定ＡＰにアクセスまたは接続することが難しいというシナリオにおいて利用することができる。例えば、モバイル・ホットスポット・アクセス・ネットワークの１つ以上のモバイルＡＰを、クラウドに到達するためのゲートウェイとして使用することができる。また、第４モード例５３０は、例えば、車両隊および／またはそれに関連するモバイルＡＰが第１エンティティによって所有され、固定ＡＰが他のエンティティによって所有され、モバイルＡＰと固定ＡＰとの間の通信について現在同意がないときに利用することもできる。また、第４モード例５３０は、固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、利用できることも注記しておく。
【０１０５】
[00116]  第５モード例（または構成）５４０（例えば、モバイル・ホットスポット利用不可モード）は、例えば、任意のまたは全ての特性を第１モード例５００と共有することができるが、モバイル・ホットスポット・アクセス・ネットワークおよびその通信リンクがない。例えば、第５モード例５４０における通信システムは、バックボーン・プロバイダ・ネットワーク、ローカル・インフラストラクチャ・プロバイダ・ネットワーク、固定ホットスポット・アクセス・ネットワーク、エンド・ユーザ・デバイス、および環境デバイスを含む。
【０１０６】
[00117]  図５Ｂにおいて、そして図１において更に詳しく示すように、バックボーン・プロバイダ・ネットワークは、第５モード例５４０（または構成）において存在する他のエレメントの内任意のものまたは全てに、１つ以上の有線（または繋留）リンクを介して、通信可能に結合することができる。例えば、バックボーン・プロバイダ・ネットワークは、ローカル・インフラストラクチャ・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。
【０１０７】
[00118]  また、図５Ｂにおいて、そして図１において更に詳しく示すように、バックボーン・プロバイダ・ネットワークは、第５モード例５４０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、固定ホットスポット・アクセス・ネットワーク（またはその任意のコンポーネント）、エンド・ユーザ・デバイス、および／または環境デバイスに、１つ以上の無線リンクを介して、通信可能に結合することができる。また、種々の構成例において、バックボーン・プロバイダ・ネットワークは、ローカル・インフラストラクチャ・プロバイダ・ネットワークにも、１つ以上の無線（または非繋留）リンクを介して、通信可能に結合できることも注記しておく。
【０１０８】
[00119]  加えて、図５Ｂにおいて、そして図１において更に詳しく示すように、ローカル・インフラストラクチャ・プロバイダ・ネットワークは、第５モード例５４０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、バックボーン・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【０１０９】
[00120]  また、明示的には示されていないが、ローカル・インフラストラクチャ・プロバイダ・ネットワークは、第５モード例５４０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク、固定ホットスポット・アクセス・ネットワーク（またはその任意のコンポーネント）、エンド・ユーザ・デバイス、および／または環境デバイスに、１つ以上の無線リンクを介して、通信可能に結合することができる。尚、図５Ｂの第５モード例５４０において、ローカル・インフラストラクチャ・プロバイダ・ネットワークと固定ホットスポット・アクセス・ネットワークとの間における通信リンク（１つまたは複数）は、有線および／または無線であってもよいことを注記しておく。
【０１１０】
[00121]  また、固定ホットスポット・アクセス・ネットワークは、第５モード例５４０では、エンド・ユーザ・デバイスおよび／または環境デバイスに、１つ以上の無線リンクを介して通信可能に結合されていることも示されている。このような無線結合の多くの例が、本明細書において示されている。更に、第５モード例５４０では、エンド・ユーザ・デバイスが環境デバイスに１つ以上の無線リンクを介して通信可能に結合されていることも示されている。このような無線結合の多くの例が、本明細書において示されている。
【０１１１】
[00122]  第５モード例５４０（例えば、モバイル・ホットスポット利用不可モード）では、エンド・ユーザ・デバイスとサーバとの間において、固定ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。本明細書において紹介する種々のモード例において見られるように、このような伝達は、エンド・ユーザ・デバイスとサーバとの間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間において伝達される情報は、ローカル・インフラストラクチャ・プロバイダ・ネットワーク、および／またはバックボーン・プロバイダ・ネットワークを通じて（例えば、固定ホットスポット・アクセス・ネットワークを飛ばして）伝達することができる。また、例えば、エンド・ユーザ・デバイスとサーバとの間において伝達される情報は、バックボーン・プロバイダ・ネットワークを通じて（例えば、固定ホットスポット・アクセス・ネットワークおよび／またはローカル・インフラストラクチャ・プロバイダ・ネットワークを飛ばして）伝達することもできる。
【０１１２】
[00123]  同様に、第５モード例５４０（例えば、モバイル・ホットスポット利用不可モード）では、環境デバイスとサーバとの間において、固定ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。また、例えば、環境デバイスは、エンド・ユーザ・デバイスと、またはこれを介して（例えば、固定ホットスポット・アクセス・ネットワークの代わりに、またはこれに加えて）通信することができる。本明細書において紹介する種々のモード例において見られるように、このような伝達は、環境デバイスとサーバ（例えば、ローカル・インフラストラクチャ・プロバイダ・ネットワークおよび／またはバックボーン・プロバイダ・ネットワークに通信可能に結合されている）との間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【０１１３】
[00124]  例えば、環境デバイスとサーバとの間において伝達される情報は、ローカル・インフラストラクチャ・プロバイダ・ネットワークおよび／またはバックボーン・プロバイダ・ネットワークを通じて（例えば、固定ホットスポット・アクセス・ネットワークを飛ばして）伝達することができる。また、例えば、環境デバイスとサーバとの間において伝達される情報は、バックボーン・プロバイダ・ネットワークを通じて（例えば、固定ホットスポット・アクセス・ネットワークおよび／またはローカル・インフラストラクチャ・プロバイダ・ネットワークを飛ばして）伝達することもできる。加えて、例えば、環境デバイスとサーバとの間において伝達される情報は、ローカル・インフラストラクチャ・プロバイダ・ネットワークを通じて（例えば、固定ホットスポット・アクセス・ネットワークおよび／またはバックボーン・プロバイダ・ネットワークを飛ばして）伝達することができる。
【０１１４】
[00125]  第５モード例５４０における例示の実装態様では、エンド・ユーザ・デバイスおよび環境デバイスは固定ＡＰに直接（例えば、イーサネット（登録商標）、Ｗｉ−Ｆｉ等を利用して）通信することができる。また、例えば、エンド・ユーザ・デバイスおよび／または環境デバイスは、バックボーン・プロバイダ・ネットワークと直接（例えば、セルラ接続等を利用して）通信することもできる。
【０１１５】
[00126]  第５モード例５４０は、種々の理由の内任意のもののために利用することができ、その非限定的な例をここに示す。エンド・ユーザ・デバイスおよび／または環境デバイスが固定ＡＰと直接通信することができる例示の実装態様では、このような通信をモバイルＡＰ通信の代わりに利用することができる。例えば、固定ホットスポット・アクセス・ネットワークは、全ての所望のエリアに対してカバレッジを提供することもできる。
【０１１６】
[00127]  また、固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第５モード例５４０を利用できることを注記しておく。
【０１１７】
[00128]  第６モード例（または構成）５５０（例えば、固定／モバイル・ホットスポットおよびローカル・インフラストラクチャ利用不可モード）は、例えば、任意のまたは全ての特性を第１モード例５００と共有することができるが、ローカル・インフラストラクチャ・プロバイダ・ネットワーク、固定ホットスポット・アクセス・ネットワーク、モバイル・ホットスポット・アクセス・ネットワーク、およびこれらとの通信リンクがない。例えば、第６モード例５５０における通信システムは、バックボーン・プロバイダ・ネットワーク、エンド・ユーザ・デバイス、および環境デバイスを含む。
【０１１８】
[00129]  図５Ｂにおいて、そして図１において更に詳しく示すように、バックボーン・プロバイダ・ネットワークは、第６モード例５５０（または構成）において存在する他のエレメントの内任意のものまたは全てに、１つ以上の有線（または繋留）リンクを介して、通信可能に結合することができる。例えば、バックボーン・プロバイダ・ネットワークは、エンド・ユーザ・デバイスおよび／または環境デバイスに、１つ以上の有線リンクを介して、通信可能に結合することができる。尚、このような有線結合は一時的であってもよいことを注記しておく。
【０１１９】
[00130]  また、図５Ｂにおいて、そして図１において更に詳しく示すように、バックボーン・プロバイダ・ネットワークは、第６モード例５５０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、エンド・ユーザ・デバイスおよび／または環境デバイスに１つ以上の無線リンクを介して通信可能に結合することができる。
【０１２０】
[00131]  また、第６モード例５５０では、エンド・ユーザ・デバイスは、１つ以上の無線リンクを介して環境デバイスに通信可能に結合されていることも示されている。このような無線結合の多くの例が、本明細書において示されている。
【０１２１】
[00132]  第６モード例５５０（例えば、固定／モバイル・ホットスポットおよびローカル・インフラストラクチャ利用不可モード）では、エンド・ユーザ・デバイスとサーバとの間において、バックボーン・プロバイダ・ネットワークを通じて情報（またはデータ）を伝達することができる。同様に、第６モード例５５０（例えば、固定／モバイル・ホットスポットおよびローカル・インフラストラクチャ利用不可モード）では、環境デバイスとサーバとの間において、バックボーン・プロバイダ・ネットワークを通じて情報（またはデータ）を伝達することができる。また、例えば、環境デバイスは、エンド・ユーザ・デバイスと、またはこれを介して（例えば、モバイル・ホットスポット・アクセス・ネットワークの代わりに、またはそれに加えて）通信することができる。
【０１２２】
[00133]  第６モード例５５０は、種々の理由の内任意のもののために利用することができ、その非限定的な例をここに示す。例えば、エンド・ユーザが未だ通信システムに加入していないという例示の実装態様では、エンド・ユーザ・デバイスは、クラウド・アプリケーションを介して、そしてバックボーン・プロバイダ・ネットワークと直接通信することによって（例えば、セルラ・リンク等を介して）、システムに加入することができる。また、第６モード例５５０は、例えば、モバイルＡＰの存在がまばらであり、固定ＡＰの設置が困難であるまたは実用的でない等の地方エリアにおいて利用することができる。
【０１２３】
[00134]  また、インフラストラクチャ・プロバイダ・ネットワーク、固定ホットスポット・アクセス・ネットワーク、および／またはモバイル・ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第６モード例５５０を利用できることを注記しておく。
【０１２４】
[00135]  第７モード例（または構成）５６０（例えば、バックボーンおよびモバイル・ホットスポット利用不可モード）は、例えば、任意のまたは全ての特性を第１モード例５００と共有することができるが、バックボーン・プロバイダ・ネットワーク、モバイル・ホットスポット・アクセス・ネットワーク、およびそれらとの通信リンクがない。例えば、第６モード例５６０における通信システムは、ローカル・インフラストラクチャ・プロバイダ・ネットワーク、固定ホットスポット・アクセス・ネットワーク、エンド・ユーザ・デバイス、および環境デバイスを含む。
【０１２５】
[00136]  図５Ｃにおいて、そして図１において更に詳しく示すように、ローカル・インフラストラクチャ・プロバイダ・ネットワークは、第７モード例５６０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の有線リンクを介して、通信可能に結合することができる。このような有線結合は一時的であってもよいことを注記しておく。
【０１２６】
[00137]  また、明示的には示されていないが、ローカル・インフラストラクチャ・プロバイダ・ネットワークは、第７モード例５６０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の無線リンクを介して、通信可能に結合することができる。尚、図５Ｃの第７モード例５６０において示されている、ローカル・インフラストラクチャ・プロバイダ・ネットワークと固定ホットスポット・アクセス・ネットワークとの間の通信リンクは、有線および／または無線でもよいことを注記しておく。
【０１２７】
[00138]  また、第７モード例５６０では、固定ホットスポット・アクセス・ネットワークが、エンド・ユーザ・デバイスおよび／または環境デバイスに、１つ以上の無線リンクを介して、通信可能に結合されていることも示されている。このような無線結合の多くの例が、本明細書において示されている。加えて、第７モード例５６０では、エンド・ユーザ・デバイスが環境デバイスに１つ以上の無線リンクを介して通信可能に結合されていることも示されている。このような無線結合の多くの例が、本明細書において示されている。
【０１２８】
[00139]  第７モード例５６０（例えば、バックボーンおよびモバイル・ホットスポット利用不可モード）では、エンド・ユーザ・デバイスとサーバとの間において、固定ホットスポット・アクセス・ネットワークおよび／またはローカル・インフラストラクチャ・プロバイダ・ネットワークを通じて情報（またはデータ）を伝達することができる。本明細書において紹介する種々のモード例において見られるように、このような伝達は、エンド・ユーザ・デバイスとサーバとの間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間において伝達される情報は、ローカル・インフラストラクチャ・プロバイダ・ネットワークを通じて（例えば、固定ホットスポット・アクセス・ネットワークを飛ばして）伝達することができる。
【０１２９】
[00140]  同様に、第７モード例５６０（例えば、バックボーンおよびモバイル・ホットスポット利用不可モード）では、環境デバイスとサーバとの間において、固定ホットスポット・アクセス・ネットワークおよび／またはローカル・インフラストラクチャ・プロバイダ・ネットワークを通じて、情報（またはデータ）を伝達することができる。また、例えば、環境デバイスは、エンド・ユーザ・デバイスと、またはこれを介して（例えば、モバイル・ホットスポット・アクセス・ネットワークの代わりに、またはこれに加えて）通信することができる。本明細書において紹介する種々のモード例において見られるように、このような通信は、環境デバイスとサーバ（例えば、ローカル・インフラストラクチャ・プロバイダ・ネットワークに通信可能に結合されている）との間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、環境デバイスとサーバとの間において伝達される情報は、ローカル・インフラストラクチャ・プロバイダ・ネットワークを通じて（例えば、固定ホットスポット・アクセス・ネットワークを飛ばして）伝達することができる。
【０１３０】
[00141]  第７モード例５６０は、種々の理由の内任意のもののために利用することができ、その非限定的な例をここに示す。被制御空間の例示の実装態様では、クラウド・アクセスが付与されないかもしれず（例えば、セキュリティの理由、プライバシーの理由等から）、カバレッジ・エリアの全（または十分な）カバレッジが、固定ホットスポット・アクセス・ネットワークによって提供される。つまり、モバイル・ホットスポット・アクセス・ネットワークは不要となる。例えば、エンド・ユーザ・デバイスおよび環境デバイスは、直接固定ＡＰと（例えば、イーサネット、Ｗｉ−Ｆｉ等によって）通信することができる。
【０１３１】
[00142]  また、バックボーン・プロバイダ・ネットワークおよび／または固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第７モード例５６０を利用できることを注記しておく。
【０１３２】
[00143]  第８モード例（または構成）５７０（例えば、バックボーン、固定ホットスポット、およびローカル・インフラストラクチャ利用不可モード）は、例えば、任意のまたは全ての特性を第１モード例５００と共有することができるが、バックボーン・プロバイダ・ネットワーク、ローカル・インフラストラクチャ・プロバイダ・ネットワーク、固定ホットスポット・アクセス・ネットワーク、およびこれらとの通信リンクがない。例えば、第８モード例５７０における通信システムは、モバイル・ホットスポット・アクセス・ネットワーク、エンド・ユーザ・デバイス、および環境デバイスを含む。
【０１３３】
[00144]  図５Ｃにおいて、そして図１において更に詳しく示すように、モバイル・ホットスポット・アクセス・ネットワークは、第８モード例５７０では、エンド・ユーザ・デバイスおよび／または環境デバイスに、１つ以上の無線リンクを介して、通信可能に結合されていることが示されている。このような無線結合の多くの例が、本明細書において示されている。更に、エンド・ユーザ・デバイスは、第８モード例５７０において、環境デバイスに１つ以上の無線リンクを介して通信可能に結合されていることも示されている。このような無線結合の多くの例が、本明細書において示されている。
【０１３４】
[00145]  第８モード例５７０（例えば、バックボーン、固定ホットスポット、およびローカル・インフラストラクチャ利用不可モード）では、エンド・ユーザ・デバイスとサーバ（例えば、バックボーン・プロバイダ・ネットワーク、ローカル・インフラストラクチャ・プロバイダ・ネットワーク等に結合されている）との間において、情報（またはデータ）を（少なくとも現在は）伝達できない場合がある。同様に、環境デバイスとサーバ（例えば、バックボーン・プロバイダ・ネットワーク、ローカル・インフラストラクチャ・プロバイダ・ネットワーク等に結合されている）との間において、情報（またはデータ）を（少なくとも現在は）伝達できない場合がある。尚、環境デバイスは、エンド・ユーザ・デバイスと、またはこれを介して（例えば、モバイル・ホットスポット・アクセス・ネットワークの代わりに、またはこれに加えて）通信できることを注記しておく。
【０１３５】
[00146]  第８モード例５７０は、種々の理由の内任意のもののために利用することができ、その非限定的な例をここに示す。例示の実装態様では、第８モード例５７０は、データを収集するおよび／または供給する(serve)（例えば、遅延耐性ネットワーキングのシナリオにおいて）、モバイル・ホットスポット・アクセス・ネットワークを通じたピア・ツー・ピア通信を提供する（例えば、１つのモバイルＡＰのクライアント間、それぞれ異なるモバイルＡＰのクライアント間等）等のために利用することができる。他の例示のシナリオでは、第８モード例５７０は、車両間通信が車両対インフラストラクチャ通信よりも優先されるというシナリオにおいて利用することができる。更に他の例示のシナリオでは、第８モード例５７０は、全てのインフラストラクチャ・アクセスが失われる（例えば、トンネル、駐車場等において）というシナリオにおいて利用することができる。
【０１３６】
[00147]  また、バックボーン・プロバイダ・ネットワーク、ローカル・インフラストラクチャ・プロバイダ・ネットワーク、および／または固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第８モード例５７０を利用できることを注記しておく。
【０１３７】
[00148]  以上で示しそして論じたように、複数の技術による複数のデバイスを使用する異なる環境内において、複数の技術によって複数の移動物体／静止物体に結合され、異なる環境に跨がって無線（メッシュ）ホットスポット・ネットワークを形成し、複数の有線／無線インフラストラクチャ／ネットワーク・バックボーン・プロバイダに接続され、最終的にインターネット、クラウドまたはプライベート・ネットワーク・インフラストラクチャに接続される複数のユーザまたは機械のマルチモード通信を可能にする包括的プラットフォームを有することは有益である。
【０１３８】
[00149]  図６は、本開示の種々の態様によるネットワーク構成例の更に他のブロック図を示す。例示のネットワーク６００は、例えば、本明細書において論じた、他の例示の方法、ネットワークおよび／またはネットワーク・コンポーネント１００、２００、３００、４００、５００〜５７０、７００、８００、９００、１０００、１１００、１２００、１３００、１４００、および１５００と任意のまたは全ての特性を共有することができる。注記すべきこととして、例示のネットワーク６００は、複数のモバイルＡＰ（またはＯＢＵ）を示し、各々固定ＡＰ（またはＲＳＵ）に通信可能に結合され、各モバイルＡＰがネットワーク・アクセスを車両ネットワーク（例えば、他の車両または車両ネットワーク、ユーザ・デバイス、センサ・デバイス等を含む）に付与することができる。
【０１３９】
[00150]  本開示の種々の態様によれば、とりわけ、安定的なＴＣＰ／ＩＰインターネット接続を提供する手法で、例えば、ネットワーク・ノードおよびエンド・ユーザ・デバイスの位置にしたがって、車両通信ネットワークを管理するシステムおよび方法が提供される。本開示の種々の態様によれば、車両は、例えば、この例に限定されないが、自動車、タクシー、バン、バス、電車、自律型の（例えば、自動運転／ナビゲート）車両等の任意のものを含むことができる。例えば、エンド・ユーザには、クリーンで安定的なＷｉ−Ｆｉインターネット接続が提供され、エンド・ユーザには、エンド・ユーザの家、エンド・ユーザの仕事場所、固定公衆Ｗｉ−Ｆｉホットスポット等でのＷｉ−Ｆｉインターネット接続と同一であるように見える。例えば、本明細書で説明する通信ネットワークを利用しているエンド・ユーザにとって、ＴＣＰセッションはアクティブ状態を保ち、ダウンロードを通常どおり処理し、通話呼を中断することなく続行する等ができる。本明細書で論じるように、本開示の種々の態様による車両通信ネットワークは、通常のインターネット・トラフィックに対して、および／またはプライベート・ネットワーク・トラフィック（例えば、有線ネットワークから車両およびその周りのエンド・ユーザまでの顧客のプライべートＬＡＮにおけるアクセスを拡張したもの）に対して、トランスポート層として適用される。
【０１４０】
[00151]  例示のネットワーク実装態様によれば、エンド・ユーザは、車両における単一のＷｉ−Ｆｉ ＡＰに常時接続されることになるが、車両（またはそのアクセス・ポイント、例えば、オンボード・ユニット（ＯＢＵ））は、複数のアクセス・ポイント（例えば、固定ＡＰ、他のモバイルＡＰ、セルラ基地局、固定Ｗｉ−Ｆｉホットスポット等）の間を移動することがある。例えば、本開示の種々の態様により実装される移動性管理は、異なる通信技術（例えば、ＩＥＥＥ８０２．１１ｐ、セルラ、Ｗｉ−Ｆｉ（例えば、ＩＥＥＥ８０２．１１ａ／ｂ／ｇ／ｎ／ａｃ／ａｆ等）にわたり、固定ＡＰ（および／若しくは他のモバイルＡＰ）間のモバイルＡＰ移行として、並びに／またはモバイルＡＰ間のエンド・ユーザ移行として、各車両およびそのユーザの移動性をサポートする。
【０１４１】
[00152]  本開示の種々の態様によれば、ネットワーク・コントローラ（ＮＣ）（「移動性コントローラ」との称されることもある。）は、種々のネットワーク・ノード（例えば、モバイルＡＰ等）の位置（例えば、ネットワーク位置、地理的位置等）、および／または、それらを通じて接続されたエンド・ユーザの位置を監視する。ネットワーク・コントローラ（ＮＣ）は、例えば、異なるアクセス・ポイント（ＡＰ）の間、並びに／または低リンク・レイテンシおよび低ハンドオーバ時間を有する異なる技術間で、シームレスなハンドオーバ（例えば、通信セッションの連続性の維持）を提供する。「垂直ハンドオーバ」（即ち、異なる通信技術の間、例えば、ＤＳＲＣ（例えば、ＩＥＥＥ８０２．１１ｐ）、第４世代ロング・ターム・エボリューション（ＬＴＥ）、および／またはＷｉ−Ｆｉ（例えば、ＩＥＥＥ８０２．１１ａ／ｂ／ｇ／ｎ／ａｃ／ａｆ）の間）のためのハンドオーバ時間は、ほぼゼロからミリ秒で測定される時間までの範囲で認められてきた。何故ならば、次のアクセス・ポイントの新規エア・インタフェースが事前に用意されるからである。この場合には、ハンドオーバ遅延は、メッセージが、わずかモバイルＡＰからＮＣへ進む時間にすぎない。「水平ハンドオーバ」の場合は、ハンドオーバ時間は、使用している通信技術に依存することになる（例えば、ＤＳＲＣだと１〜２０ミリ秒、ＷｉーＦｉだと０．１〜５秒。また、第４世代ＬＴＥについては、ハンドオーバ時間はインターネット・サービス・プロバイダのアーキテクチャに依存する）。また、ＮＣへのアクセスを提供しているバックボーンに依存することになる（例えば、１〜５ミリ秒）。リンク・レイテンシは、推定するのが非常に難しいが、ＤＳＲＣ（例えば、ＩＥＥＥ８０２．１１ｐ）については１〜５ミリ秒の範囲、Ｗｉ−Ｆｉ（例えば、ＩＥＥＥ８０２．１１ａ／ｂ／ｇ／ｎ／ａｃ／ａｆ）については１０〜４０ミリ秒の範囲、また、第４世代ＬＴＥについては５０〜５００ミリ秒の範囲となるものと認められている。
【０１４２】
[00153]  本明細書に提供されるアーキテクチャはスケーラブルであり、例えば、冗長性エレメントおよび／または機能性を利用して、制御の負荷バランスおよび／またはデータ通信の機能性を提供すると共に、障害の可能性を低減させる。本開示の種々の態様はまた、（例えば、量および／または頻度の点で）減少した制御シグナリングを提供する。制御シグナリングは、例えば、バックエンド・サーバおよびＡＰ（例えば、固定ＡＰおよび／またはモバイルＡＰ）の両方において、制御オーバヘッドを低減させると共に、制御テーブルのサイズおよびトンネリング（例えば、「ＩＰトンネル」の使用）を低減させる。「トンネリング」という用語が本明細書において用いられ、全般的に、トランスポート・ネットワークに固有の別のパケット・フォーマット内において、（例えば、そのソース・ネットワークおよび宛先ネットワークのアドレス情報を含む）パケットのカプセル化によって、別のネットワーク・プロトコルのトランスポートに関する。
【０１４３】
[00154]  加えて、本開示の種々の態様による通信ネットワーク（またはそのコンポーネント）は、モバイル・デバイスと相互作用する能力を含むことができ、その結果、それら接続の選択の一部若しくは全部を制御し、および／またはそれら制御機能性をレバレッジすることができる。例えば、例示の実装態様では、モバイル・アプリケーションは、バックグラウンドで起動して、利用可能なネットワークおよび／またはそのノードを管理すると共に、最も適合する１つを選択する。次いで、現在の接続が断絶しないうちに、選択されたネットワーク（またはそのノード）へのハンドオフをトリガする。
【０１４４】
[00155]  通信ネットワーク（またはそのコンポーネント）はまた、インフラストラクチャ要件および各クライアントの移動性ニーズにしたがって構成可能である。例えば、通信ネットワーク（またはそのコンポーネント）は、異なるレイヤ２（Ｌ２）またはレイヤ３（Ｌ３）の実装を、ＩＰｖ４／ＩＰｖ６トラフィックと同様にサポートする性能を含んでもよい。
【０１４５】
[00156]  図７は、本開示の種々の態様による７００の更なる他のブロック図を示す。例示のネットワーク７００は、例えば、任意または全ての特性を、例えば、本明細書において論じた、他の例示の方法、ネットワークおよび／またはネットワーク・コンポーネント１００、２００、３００、４００、５００〜５７０、６００、８００、９００、１０００、１１００、１２００、および１３００と共有することができる。
【０１４６】
[00157]  例示のネットワーク７００は、バスおよびタクシーを含む複数の車両を備える。それぞれはモバイルＡＰ（例えば、ＯＢＵ）を備え、固定ＡＰ（またはＲＳＵ）（例えば、ＡＰ１、ＡＰ２、ＡＰ Ｙ）または近隣の車両のモバイルＡＰに通信可能にそれぞれ結合される。各モバイルＡＰは、車両ネットワーク（例えば、他の車両または車両ネットワーク、エンド・ユーザ・デバイス、センサ・デバイス等を備える。）にネットワーク・アクセスを提供する。車両ネットワークには、例えば、エンド・ユーザ・デバイスが接続し、センサ（センサ１〜７）との通信が実行される等、それぞれのＷｉ−Ｆｉ（例えば、ＩＥＥＥ８０２．１１ａ／ｂ／ｇ／ｎ／ａｃ／ａｆ）ネットワークが含まれる。車両のモバイルＡＰは、例えば、種々のセンサ（例えば、センサ１〜７）の通信範囲内および範囲外を移動する。モバイルＡＰは、例えば、このようなセンサの範囲内にあるときに、電力効率的およびネットワーク効率的な手法でこのようなセンサから情報を収集する。この数多くの例が本明細書に提供される。
【０１４７】
[00158]  例示のネットワーク７００はまた、（例えば、１つ以上のＡＰＩ（例えば、クラウドＡＰＩ）等を含んだ）クラウドと、本明細書においてＬＭＡとも称されることがある複数のモバイル・コントローラ（例えば、ＮＣ、ＮＣ１、ＮＣ２、ＮＣ３）と、本明細書においてＲＳＵと称されることもある複数の固定ＡＰ（例えば、ＦＡＰ、ＡＰ１、ＡＰ２、ＡＰ Ｙ）と、本明細書においてＯＢＵと称されることもある複数のモバイルＡＰ（ＭＡＰ）と、を備える。
【０１４８】
[00159]  クラウド移動性バックエンド（ＣＭＢ）は、１つ以上のＮＣから成り、例えば、ネットワーク・コントローラ（例えば、ＮＣ１、ＮＣ２、またはＮＣ３）を種々の車両のＭＡＰにマッチングする。例えば、ＣＭＢは、特定のＭＡＰのために現在の最良のＮＣのコンテキスト・アウェア判定を実行してもよい。システム・コンポーネントおよび／または方法の種々の非限定的な例が、"Systems and Methods for Managing Mobility Controllers and Their Network Interactions in a Network of Moving Things"（移動物体のネットワークにおいて移動性コントローラおよびそれらのネットワーク相互作用を管理するシステムならびに方法）と題し、２０１５年１２月３１日に出願された米国仮特許出願第６２／２７３，７１５号に示されている。この特許出願をここで引用したことにより、その内容全体が本願にも含まれるものとする。
【０１４９】
[00160]  本開示の種々の態様によれば、ＮＣは、例えば、割り当てられたＭＡＰのグループを管理するネットワーク・エンティティを備える。例示の実装態様では、ＮＣがＭＡＰからネットワーク位置更新を受け取ると、ＮＣは、移動性サービスによって利用される手順を更新する。例えば、ＮＣは、ＭＡＰのデータ・トラフィック（または１つ以上のＭＡＰに接続されるエンド・ユーザのデータ・トラフィック）を更新済みネットワーク位置に転送するように利用されるルートおよび／またはトンネルを更新する。図７の例示のネットワーク７００は、３つのＮＣ（ＮＣ１、ＮＣ２、ＮＣ３）を示すが、任意の数のＮＣを利用してもよい。
【０１５０】
[00161]  本願明細書において、ＮＣはネットワーク・バックボーン（またはバック・エンド）のエンティティとして一例で提示されるが、ＮＣは多様なネットワーク位置（またはネットワーク・ノードのタイプ）の任意のものに実装されてもよいことを注記しておく。例えば、ＮＣ（またはその一部）は、単一のＡＰ内に（例えば、固定ＡＰ等に）実装されてもよい。また例えば、ＮＣの機能性は、複数のＡＰの間で（例えば、複数の固定ＡＰ等で）分散されてもよい。ＡＰベースの実装態様では、ネットワーク内のモバイルＡＰ（例えば、ＣＭＢ機能性等）の位置の管理は、固定ＡＰによって実行される。固定ＡＰは、モバイルＡＰ（または各ユーザに割り当てられたモバイルＡＰ）、その接続の位置、その現在サービスしているＮＣ、および登録タイムアウトを識別する特定の制御メッセージを使用して、固定ＡＰの間で情報を共有する。１つまたは幾らかの固定ＡＰはまた、例えば、プロキシとして動作し、モバイルＡＰによって外部ネットワーク（例えば、セルラ等）を通じて接続するのを許可することができる。ＮＣまたはその一部が固定ＡＰに実装される例示の実装態様では、スケーラビリティおよび冗長性が増強され、レイテンシが低減されることができる等である。
【０１５１】
[00162]  固定ＡＰ（ＦＡＰ）は、例えば、有線バックボーンおよび無線環境の間のブリッジとして動作するネットワーク・エンティティを備えてもよい。ＦＡＰは、例えば、ＮＣと、ＦＡＰの無線カバレッジ領域内にあるＭＡＰとの間でトラフィックを転送する。
【０１５２】
[00163]  ＦＡＰは、例えば、ＮＣと同一のネットワークに配備される。ＦＡＰはまた、例えば、異なる（または外国の）ネットワークに配備されてもよく、その場合には、ＦＡＰはセキュアなＶＰＮ接続によるＭＣに接続する。ＦＡＰは更に、例えば、他のＦＡＰを通じて（例えば、他のＦＡＰへの無線リンクを利用して）ＭＣに接続してもよい。
【０１５３】
[00164]  モバイルＡＰ（ＭＡＰ）は、例えば、車両または他の移動物体にインストールされてもよい。例示のネットワーク７００には４つの例示の車両が示されているが、任意の数の車両（つまり、ＯＢＵ／ＭＡＰ）が存在してもよい。例えば、ＭＡＰは、例えばこれには限定されないが、Ｗｉ−Ｆｉネットワーク（例えば、ＩＥＥＥ８０２．１１ａ／ｂ／ｇ／ｎ／ａｃ／ａｆ）、セルラ・ネットワーク、および／またはＤＳＲＣ（例えば、ＩＥＥＥ８０２．１１ｐ）ネットワークを含んだ複数の通信技術のうち任意の１つ以上を利用して、バックボーン・ネットワーク（またはバック・エンド・ネットワーク）と通信する。ＭＡＰが通信技術（例えば、無線インタフェース技術）またはアクセス・ポイント（例えば、ＦＡＰ）を切り替えるとき、ＭＡＰは、その割り当てられたＮＣに、ＭＡＰの新規の移動性コンテキスト（例えば、ネットワーク位置、地理的位置、接続性（例えば、近隣のＦＡＰ／ＭＡＰ）等）を通知する。各ＭＡＰは、例えば、１つ以上のローカルＷｉ−Ｆｉ ＡＰを備え、それを通じて、ＭＡＰのユーザ（またはクライアント）が接続することができ、また、それを通じて、ＭＡＰはセンサおよび／または他のデバイスと通信を行うことができる等となる。
【０１５４】
[00165]  動作の間、ＭＡＰは、例えば、接続すべき最良の利用可能なアクセス・ポイントを検索する。多様な測定基準の任意のもの（例えば、信号強度、地理的位置またはネットワーク位置、車両速度、ホップ・カウント、負荷（例えば、現在のユーザ数）、サービス品質（ＱｏＳ）、ユーザ・エクスペリエンス品質（ＱｏＥ）等）に基づいて、ＭＡＰは、最良の利用可能なＡＰ（例えば、ＦＡＰ、他のＭＡＰ、アクセス・ポイント、またはベース・ネットワーク（例えば、セルラ）とは異なる他のネットワークの基地局等）を識別することができる。このような検索は、例えば、ＭＡＰの接続マネージャによって実行される。
【０１５５】
[00166]  ＭＡＰが接続のために固定ＡＰ（ＦＡＰ）を選択する場合は、選択するＭＡＰは、選択されたＦＡＰに接続し、また、選択するＭＡＰが割り当てられるＮＣに制御メッセージを送信する。ここでは、制御メッセージは、移動性コンテキスト情報（例えば、選択するＭＡＰの識別情報、選択するＭＡＰがこれから接続されるＦＡＰの識別情報、選択するＭＡＰおよび／または選択されるＦＡＰの地理的位置等）を含む。
【０１５６】
[00167]  ＭＡＰが、接続のために他のモバイルＡＰ（ＭＡＰ）を選択する場合は、選択するＭＡＰは、選択されたモバイルＡＰに接続し、また、選択するＭＡＰが割り当てられる ＮＣに制御メッセージを送信する。ここでは、制御メッセージは、移動性コンテキスト情報（例えば、選択するＭＡＰの識別情報、選択されたＭＡＰを介したマルチホップ接続のルートとなる固定ＡＰの識別情報、選択されたＭＡＰの識別情報、選択するＭＡＰおよび／または選択されたＭＡＰの地理的位置等）を含む。このメッセージは、例えば、メッセージが適切なＦＡＰに到達するまで、マルチ・ホップ・チェーンを組成する複数のノードを通じてリレーされ、次いで、適切なＦＡＰはメッセージをＮＣに転送する。
【０１５７】
[00168]  利用可能なＡＰが存在しない（または種々の要件を満たす利用可能ＡＰが存在しない）場合は、ＭＡＰは、セルラ・リンクを通じてセルラ基地局と接続し、ＭＡＰが割り当てられるＮＣに制御メッセージを送信する。ここでは、メッセージは移動性コンテキスト情報（例えば、ＭＡＰの識別情報、そのセルラ制御ＩＰ情報、ＭＡＰの地理的位置等）を含む。本開示の種々の態様による動的なネットワークにおいて、モバイルＡＰが頻繁に（例えば、1秒当たり２回以上、１０秒当たり２回以上等）接続されるＡＰを、モバイルＡＰは変更してもよいことを注記しておく。
【０１５８】
[00169]  ＮＣは、制御メッセージを受信および検証すると、例えば、（ＭＡＰが内部データベースに未だ存在しない場合には）内部データベースにＭＡＰを登録し、また、ＭＡＰまでに必要とされるルート、トンネル、および／またはアドレスを更新する。その結果、ＭＡＰのトラフィックおよびＭＡＰのクライアントのトラフィックを、それぞれ、更新したネットワーク位置に転送する。本開示の種々の態様によれば、制御メッセージ（または少なくともそのペイロード部）は、例えばＮＣおよびＭＡＰの間で鍵情報を交換することによって、暗号化されることを注記しておく。
【０１５９】
[00170]  ＭＡＰが特定の時間内に（例えば、ＮＣおよび／または他のネットワーク・エンティティから）有効な応答を受信しない場合は、ＭＡＰはリトライを行う（例えば、同一または異なるノードへの接続のリトライを行う）ことを注記しておく。
【０１６０】
[00171]  エンド・ユーザが新規ＭＡＰ（またはＦＡＰ）へと変更する例示のシナリオでは、新規ＭＡＰ（またはＦＡＰ）がＮＣに通知を行う結果、ＮＣはエンド・ユーザの新規のネットワーク位置を知ることができる。ＮＣは、 例えば、この情報をＭＡＰから受信した後に、それを他の利用可能なＮＣと共有する結果、エンド・ユーザ位置が利用可能なＮＣの全てにおいて更新される。
【０１６１】
[00172]  本願明細書で論ずるように、本開示の種々の態様によれば、移動性サポートは１つ以上のネットワーク・コントローラ（ＮＣ）によって提供される。１つ以上のネットワーク・コントローラ（ＮＣ）は、モバイルＡＰおよびそれらが接続されたエンド・ユーザとの通信経路を維持する責務を全般に有し、例えば、モバイルＡＰの全ておよびそのクライアント・ユーザが、ネットワーク内で到達可能であることを確実にする。ＮＣは、例えば、データ・トラフィック（例えば、ＹｏｕＴｕｂｅ（登録商標）、Ｓｋｙｐｅ（登録商標）、メディア・プレゼンテーション・サービス、ナビゲーション・サービス等）のためのセッション接続性を確実にする責務を全般的に有する。モバイルＡＰが異なる固定／モバイルＡＰやセルラ基地局等に継続的に接続している間、ＮＣは、例えば、モバイルＡＰおよびこれらのエンド・ユーザのために、データ・トラフィック（例えば、インターネット・トラフィック、仮想ＬＡＮトラフィック、仮想プライベート・ネットワーク・トラフィック等）を転送する（またはルーティングする）責務を有する。例示の実装態様では、モバイルＡＰおよびＮＣは、これらの間でＩＰトンネルを維持する。モバイルＡＰが固定／モバイルＡＰの間を変更する（またはハンドオフする）とき、および／またはモバイルＡＰが異なる通信技術の間を切り替えるときに、ＩＰトンネルは更新される。
【０１６２】
[00173]  ハンドオーバ（またはハンドオフ）は、一般的に、ネットワークにおけるモバイルＡＰの接続性および／または到達可能性を維持するために、（例えば、他のモバイルＡＰ、固定ＡＰ、セルラ基地局、Ｗｉ−Ｆｉホットスポット、衛星等と共に）ネットワークへのアタッチメントの位置をモバイルＡＰが変更するときに適用されるプロセスである。ハンドオーバは時間を要する結果、少なくともサービスのわずかな一時的中断となることがあるので、ハンドオーバ時間を削減することが望ましい。例えば、非常に動的なネットワーク（例えば、車両ネットワーク、スマート・シティネットワーク、自律型車両のネットワーク等）のコンテキストでは、ハンドオーバは定期的に発生し、ハンドオーバの影響を低減させることが特に望ましい。例えば、エンド・ユーザが相互および／またはリアル・タイムのアプリケーションに関与しているとき、パケット損失の影響である遅延およびサービス中断は、このようなネットワークのユーザによって即座に通知可能である。
【０１６３】
[00174]  ハンドオーバのプロセスは、理想的には可能な限り素早く、且つパケット損失をなくすべきである。そのため、ハンドオーバは、モバイルＡＰに接続されるユーザ（１つまたは複数）が認識することができず、また、ネットワークの種々のノード（例えば、エンド・ユーザ端末ノード、モバイルＡＰノード等）において実行するアプリケーションに不都合に影響することにはならない。
【０１６４】
[00175]  ハンドオーバの手順は、種々の段階（例えば、準備段階および実行段階）に分けることができる。準備段階は、例えば、モバイルＡＰの接続性が途絶（または変更）されないうちに発生する動作または処理として考察することができる。この段階の間、モバイルＡＰは、例えば、ハンドオフのアクティビティを予期することを試行して、起こり得る（または予測される）一時的な接続解除に対処することができる。実行段階は、例えば、モバイルＡＰがその接続性およびトラフィック・セッションをリカバリするまで、接続解除時間から生ずる動作または処理（例えば、メッセージ交換、および再構成、再ルーティング等）として考察される。実行段階はデバイスの一時的な接続解除を含む段階であるので、例えば、実行段階に必要とされる時間を削減するために、準備段階の間に可能な限りのハンドオーバに関連するアクティビティを実行するのは有益である。
【０１６５】
[00176]  一般的に、ハンドオフの準備アクティビティの全ては、ハンドオーバが必要とされる前に終了することができるように、準備段階を十分速やかに開始および完了するのが好ましい。準備段階の開始は、例えば、種々の定期的な測定および予測メカニズム（例えば、接続途絶が発生する前に、見込まれる接続途絶の予測および予期を試行するもの）に依存する。準備段階の開始は、例えば、利用可能なコンテキスト情報（例えば、現在の接続および近隣の接続ポイント（例えば、固定ＡＰおよび／またはモバイルＡＰ）からの信号のＲＳＳＩ測定値、利用可能な接続ポイントおよびそれらリソース、ネットワーク・ノードの地理的位置等）に少なくとも部分的に基づくのがよい。
【０１６６】
[00177]  実行段階に可能な限り短くなければならない。また、本開示の種々の態様によれば、種々の通信技術は特徴を含み、例えば、複数の他のネットワーク・ノード（例えば、現在の接続ポイントおよび将来の接続ポイント）へのモバイルＡＰの接続を許可して、それらの間のセッションをスムーズに移行させるように利用することができる。
【０１６７】
[00178]  ハンドオーバは、本明細書において「水平ハンドオーバ」および「垂直ハンドオーバ」とも称されるものに分類することができる。水平ハンドオーバは、例えば、（例えば２つのＤＳＲＣ ＡＰ間で）同一のエア・インタフェースまたは技術によって他のアクセス・ポイントとの新規の接続を確立するときに生じる。つまり、水平ハンドオーバは、内部技術による再接続(intra-technology reconnection)と称されることがある。垂直ハンドオーバは、例えば、異なるインタフェースの間、または異なる無線技術の間（例えば、ＤＳＲＣ無線エア・インタフェースの使用から、セルラ無線エア・インタフェースへ、およびその逆）で生じる。本明細書で論じるように、垂直ハンドオーバは、例えば準備段階において、例えば、複数のネットワーク（および／または複数のそれぞれの通信技術）との接続性を（少なくとも一時的に）維持することを提供する。
【０１６８】
[00179]  したがって、本開示の種々の態様は、垂直ハンドオーバおよび水平ハンドオーバの両方について予測および準備するのに使用される車両コンテキスト情報を収集および共有するシステムおよび方法を提供する。また、本開示の種々の態様は、高速のハンドオーバを提供するシステムおよび方法を提供する。
【０１６９】
[00180]  例えば、本明細書で論じるように、種々のローカル移動性アンカー（ＬＭＡ／ＮＣ）機能性は、異なるネットワーク・ノード（例えば、ネットワーク・コントローラ・ノード、固定ＡＰノード、モバイルＡＰノード、セルラ基地局ノード等）によって実行されてもよい。モバイルＡＰレベルに近い種々の移動性制御機能性をプッシュすることは、例えば、ＮＣとＭＡＰの間(to/from)の通信において低減したレイテンシを提供し、ハンドオフ動作の準備および／または実行において低減したレイテンシを提供する等となる。
【０１７０】
[00181]  本開示の種々の態様はまた、より高いスループットおよびより低い遅延を確実にするハンドオーバの後に、ルートの最適化を提供するシステムおよび方法を提供して、例えば、モバイルＡＰとそのＮＣの間の最良のルーティング経路の利用を確実にする。
【０１７１】
[00182]  本開示の種々の態様によれば、本明細書で論じるように、モバイルＡＰは、異なる通信技術（例えば、ＤＳＲＣまたは８０２．１１ｐ、セルラ、Ｗｉ―Ｆｉ、衛星、Ｂｌｕｅｔｏｏｔｈ等）をそれぞれ利用して通信を行うための複数の無線通信インタフェースを備える。このようなアーキテクチャは、フレキシビリティを提供して、モバイルＡＰに利用可能な最良の無線インタフェースを提供するようレバレッジすることができ、また、継続中(on-going)の通信セッションに不利な影響を及ぼすことなく、異なる技術をそれぞれ利用する接続ポイント間で効率的なハンドオーバを提供するように、レバレッジすることができる。
【０１７２】
[00183]  （例えば、インターネットを介した、仮想ＬＡＮを介した、仮想プライベート・ネットワークを介した等の）通信セッションの他方の終了では、他のノード（例えば、ＹｏｕＴｕｂｅ（登録商標）サーバ、Ｓｋｙｐｅ（登録商標）サーバ、ゲーム・サーバ、相互メディア・サーバ、データベース・サーバ、ｗｅｂサーバ等）は、一貫したアドレス（例えば、同一のＩＰアドレス）によってモバイルＡＰに対応することができる。
【０１７３】
[00184]  モバイルＡＰがＤＳＲＣアクセス・ポイント（例えば、ＦＡＰ）からセルラ基地局へ切り替える例示のシナリオでは、モバイルＡＰは、例えば、異なるＩＰアドレスを用いて、異なるインタフェースへの送信／インタフェースからの受信を行う。しかし、これは次いで、ＮＣによって効率的に隠され、例えば、他のノード（１つまたは複数）によるシームレスな動作を通信に提供する。
【０１７４】
[00185]  モバイルＡＰが第１固定ＡＰ（例えば、第１ＤＳＲＣアクセス・ポイント）から第２固定ＡＰ（例えば、第２ＤＳＲＣアクセス・ポイント）に切り替える別の例示のシナリオでは、モバイルＡＰのＩＰアドレスは同一のままとなる一方で、ルーティングがネットワーク・コントローラによって修正される結果、ＮＣはハンドオフの後にデータを第２固定ＡＰに向けることができる。
【０１７５】
[00186]  本明細書で論じるように、ハンドオーバは水平ハンドオーバおよび垂直ハンド―バに分類することができる。例示の水平ハンド―バのシナリオでは、本開示の種々の態様によれば、以前のＡＰ（例えば、固定ＡＰ、モバイルＡＰ等）は、例えばハンドオーバの実行の間に、次にＡＰにハンドオーバするためのローカル移動性アンカーとして（例えば、少なくとも部分的に）利用される。このような動作は、例えば、ＮＣがクライアント・ネットワーク内部に位置することができない結果、よりレイテンシが高くなる場合に特に有用となる。例示の実装態様では、一時的なトンネルが、以前のＡＰと新規のＡＰの間で生成される。モバイルＡＰの情報は次いで、ＮＣが新規のＡＰに対して情報を直接再ルーティングすることを完了するまで、以前のＡＰと新規のＡＰの間でルーティングされる。
【０１７６】
[00187]  図８は、本開示の種々の態様による、モバイル・アクセス・ポイント（ＭＡＰ）をハンドオフする方法８００のフロー図を示す。図９Ａ〜図９Ｃは、本開示の種々の態様による、図８の例示の方法８００の種々の態様を例示するブロック図を示す。例示の方法８００は、例えば、任意のまたは全ての特性を、本明細書において論じるネットワークおよび／またはネットワーク・コンポーネント１００、２００、３００、４００、５００〜５７０、６００、７００、９００、１０００、１１００、１２００および１３００に関し、本明細書で論じる他の例示の方法および／またはネットワーク若しくはコンポーネントの機能性と共有することができる。これより、図８および図９Ａ〜図９Ｃを併せて、包括的に検討を行う。
【０１７７】
[00188]  例示の方法８００は 、ブロック８１０で、モバイルＡＰが、通信ネットワークへの接続性のために、次のアクセス・ポイント（例えば、固定ＡＰ、モバイルＡＰ等）を利用することを決定するステップを含む。モバイルＡＰは、任意の態様な手法で、次のアクセス・ポイントを利用することを決定し、その非限定的な例が本明細書に提供される。
【０１７８】
[00189]  例えば、モバイルＡＰは、その現在のアクセス・ポイントおよび近隣のアクセス・ポイントにおける種々の通信信号の特性を連続的に（例えば定期的に）評価するのがよい。例えば、モバイルＡＰは、このようなアクセス・ポイントから受信した信号の信号強度（例えば、ＲＳＳＩ）、信号対ノイズ比（Ｓ／Ｎ）等を評価してもよく、また、このような信号特性に少なくとも部分的に基づいて、次のアクセス・ポイントに移ることを決定してもよい。例えば、モバイルＡＰは、現在のアクセス・ポイントよりも強度がある（例えば、より強度がある、少なくとも閾値限界分だけ強度がある等）、より良いＳ／Ｎ比率（例えば、より高い、少なくとも閾値限界分だけ高い等）信号を用いて、次のアクセス・ポイントに移ることを決定してもよい。
【０１７９】
[00190]  また、例えば、モバイルＡＰは、その位置（例えば、ＧＮＳＳ／ＧＰＳ位置等）、および／またはアクセス・ポイントの各位置を監視し、そして、このような位置（１つまたは複数）に少なくとも部分的に基づいて、次のアクセス・ポイントに移ることを決定してもよい。例えば、モバイルＡＰは、現在のアクセス・ポイントよりも、地理的にそれにより近い（例えば、より近い、少なくとも閾値限界分だけ近い等）アクセス・ポイントに移ることを決定してもよい。また、例えば、モバイルＡＰは、履歴上、ハンドオフに関連付けられている位置に近づくことに基づいて、次のアクセス・ポイントに移ることを決定してもよい。
【０１８０】
[00191]  また、例えば、モバイルＡＰは、現在のアクセス・ポイントの負荷または利用可能な通信帯域幅に少なくとも部分的に基づいて、他のネットワーク・ノードから受信した命令に少なくとも部分的に基づいて、通信の優先度（例えば、緊急時の通信が自動的にセルラを通じてルーティングされる。）に少なくとも部分的に基づいて等により、次のアクセス・ポイントに移ることを決定してもよい。更に、例えば、他のノード（例えば、ＮＣ、固定ＡＰ、他のネットワーク・ノード等）も同様に、リンク特性および他の要因を監視し、そして、このように監視した特性についての情報を、ハンドオフの決定時にモバイルＡＰによって利用されるためにモバイルＡＰに供給してもよい。代替として、他のネットワーク・ノード（例えば、ＮＣ、固定ＡＰ等）がハンドオフ決定を行ってもよく、モバイルＡＰおよび／または他のネットワーク・ノードに対してメッセージ内でこの決定を示してもよい。
【０１８１】
[00192]  本開示の種々の態様によれば、モバイルＡＰがインストールされた車両は、例えば、自律型車両であってよく、例えば、指定された行き先の位置を使用してこのような車両のシステムによって決定されるルートを移動するか、或いは、自律型車両が次いで移動することになる、該車両に提供されるルートに従う。どちらの例でも、移動しているルートについての情報は、例えば次のアクセス・ポイントの選択に関し、ハンドオフ／ハンドオーバの決定を行う際に使用するために、車両のＯＢＵ／ＭＡＰに供給される。本開示種々の態様によれば、アクセス・ポイント（例えば、固定アクセス・ポイントおよび／またはモバイル・アクセス・ポイント）は、近隣のアクセス・ポイントとの間で、それらの現在の地理的位置（例えば、ＧＮＳＳ／ＧＰＳベースの緯度／経度／高度の位置決め情報）を共有する。移動しているルートについての（例えば、自律型車両システムによって、または、本明細書で説明する移動物体を有するネットワークにおけるクラウド・ベースのシステムによって、ＯＢＵ／ＭＡＰに供給される）ナレッジは、ＯＢＵ／ＭＡＰを搬送する車両によって、移動されているルートに対して近くのアクセス・ポイントの所在をＯＢＵ／ＭＡＰが決定するのを可能にし、ＯＢＵ／ＭＡＰが、どのアクセス・ポイントをハンドオフ／ハンドオーバを実行する際に次のアクセス・ポイントとして選択すべきかについて決定するのを許可する。本開示によるＯＢＵ／ＭＡＰは、それ自体の現在の地理的位置を知ることになり、また、（例えば、ネットワークによってカバーされるエリアについてのマップ情報（例えば、道および固定アクセス・ポイントのマップ位置）であって、ＯＢＵ／ＭＡＰに常駐するまたはＯＢＵ／ＭＡＰに利用可能なマップ情報、或いは、クラウド・ベースのシステムを介することを含んだ、ネットワークを介したＯＢＵ／ＭＡＰとの間で近くのアクセス・ポイントが共有する情報）から、近くのアクセス・ポイントを知ることになる。加えて、ＯＢＵ／ＭＡＰは、インストールされた自律型車両が移動するルート、つまり、当該車両のルートに沿った現在の位置を知ることになる。このような情報を使用して、ＯＢＵ／ＭＡＰは、ＯＢＵ／ＭＡＰを搬送する車両が、移動ルートに更に沿って近くのアクセス・ポイントとの通信を可能にすると予測されるまでの時間量の推定を計算する。これにより、どのアクセス・ポイントが通信に利用可能となることになるかについて、また、いつの時間にそれらのアクセス・ポイントに遭遇することになるかについて予期することができることによって、ＯＢＵ／ＭＡＰが、既知のアクセス・ポイントにハンドオフ／ハンドオーバする機会を予期するのを許可すると共に、例えば、既知の次のアクセス・ポイント、ネットワーク・コントローラ、および／またはクラウド・ベースのシステムとの通信によってこのようなハンドオフ／ハンドオーバを準備するのを許可する。その結果、ハンドオフ／ハンドオーバの速度を上げることができる。このような予期によって改良されることになるハンドオフ／ハンドオーバのタイミングの態様は、例えば、１つ以上のアクセス・ポイントにネットワーク・コントローラを接続するトンネルのセットアップと、アクセス・ポイント間での一時的なトンネルの確立と、（例えば、ＤＳＲＣからセルラ、またはセルラからＤＳＲＣへのハンドオフの際に）他のエア・インタフェース規格を採用するネットワークとの通信と、を含む。その結果、開始されまたは行われることになるこのようなハンドオフのために、潜在的により複雑、および／または時間消費する構成への準備を可能にする。
【０１８２】
[00193]  図９Ａは、ハンドオフを実行するための決定を行う際の例示のネットワーク構成を示す。モバイルＡＰは固定ＡＰ１との通信しており、次いで、ＮＣトンネルを通じてＮＣと通信している。ＮＣは、次いで、（モバイルＡＰを代理して）インターネットを介して通信している。ブロック８１０で、例えばモバイルＡＰは、固定ＡＰ１の代わりに固定ＡＰ２を利用することを開始することを決定する。
【０１８３】
[00194]  例示の方法８００は、 ブロック８２０で、モバイルＡＰが次のアクセス・ポイントと関連付けるステップを含む。例えば、図９Ｂに示すように、モバイルＡＰが固定ＡＰ２を利用することを決定した後に、モバイルＡＰは固定ＡＰ２と関連付ける。この時点で、モバイルＡＰは、固定ＡＰ２とその無線ネットワーク通信を実行する。このコンテキストでは「関連付け」との用語は、モバイルＡＰの固定ＡＰ（例えば、固定ＡＰ２）との「論理的」な関連付けに関するように使用される。本開示の種々の態様によれば、特定の固定ＡＰに関連づけることを望んでいるモバイルＡＰは、該モバイルＡＰが特定の固定ＡＰを通じてデータ・トラフィックを受信したい旨を示すメッセージを、特定の固定ＡＰに送信する。メッセージは、モバイルＡＰが（例えば、識別された）異なる固定ＡＰを通じてデータ・トラフィックを以前に受信していることを示す。例えば、ＤＳＲＣ（すなわち、ＩＥＥＥ８０２．１１ｐ）を使用する際に、任意の所与の固定ＡＰは、当該固定ＡＰを通じて（すなわち、当該固定ＡＰと「論理的」な関連付けが要求されている）データ・トラフィックを受信することを望むモバイルＡＰのリストを保持してもよい。本開示による「論理的」な関連付けの結果、モバイルＡＰが以前に関連付けられた固定ＡＰと、モバイルＡＰと「論理的」にこれより関連付けられる固定ＡＰとの間に、および／または、ＮＣと、モバイルＡＰと「論理的」にこれより関連付けられる固定ＡＰとの間に、トンネル（例えば、ＩＰまたは他の好適なトンネル）が確立されることになる。その結果、データ・トラフィックのモバイルＡＰへの転送が可能となる。
【０１８４】
[00195]  この時点で（または、例示の方法における別の時点で）、モバイルＡＰは、固定ＡＰ１と関連付けを解除する。このような関連付けの解除はまた、例えば、ブロック８３０で実行される。或いは、例示の方法８００の他のブロックで実行されてもよい。
【０１８５】
[00196]  例示の方法８００は、ブロック８３０で、以前のアクセス・ポイント（例えば、モバイルＡＰが移る元のアクセス・ポイントの固定ＡＰ１）と、次のアクセス・ポイント（例えば、モバイルＡＰが移る先のアクセス・ポイントの固定ＡＰ２）との間で一時的なトンネルを形成するステップを含む。このようなトンネルの形成は、多様な手法の任意のもので実行される。
【０１８６】
[00197]  例えば、このようなトンネルを確立するために、次のアクセス・ポイントは、（例えば、直接ＤＳＲＣリンク等を介して）以前のアクセス・ポイントに対する要求を通信する。次いで、以前のアクセス・ポイントは、例えば、次のアクセス・ポイントに返送メッセージを通信することによって、トンネルの形成を確認する。この時点で、通信（例えば、メッセージ、パケット、フレームなど）は（例えば、ＮＣから）以前のアクセス・ポイントに到達し、またモバイルＡＰに宛てられ（例えば、アドレスされ）、モバイルＡＰは、以前のアクセス・ポイントによって、次のアクセス・ポイントに向けられる。次いで、モバイルＡＰにこのような通信を転送する。例えば、図９Ｂを参照すると、通信は、ＮＣから固定ＡＰ１で受信され、モバイルＡＰに宛てられ、固定ＡＰ１によって固定ＡＰ２に向けられる。次いで、モバイルＡＰにこのような通信を転送する。図９Ｂは、固定ＡＰ１と固定ＡＰ２の間の例示の一時的なトンネルを示す。
【０１８７】
[00198]  この時点で、ＮＣと以前のアクセス・ポイント（例えば、固定ＡＰ１）の間のＮＣトンネルは、尚も維持され、利用されている。何らかの理由で、次のアクセス・ポイント（例えば、固定ＡＰ２）が以前のアクセス・ポイント（例えば、固定ＡＰ１）と通信できない場合は、次のアクセス・ポイントは、ＮＣと直接相互作用して、ＮＣとのトンネルを更新する。つまり、一時的なトンネルの形成および利用をスキップする。
【０１８８】
[00199]  例示の方法８００は、 ブロック８４０で、以前のアクセス・ポイントから次のアクセス・ポイントへＮＣトンネルを移すようにＮＣに指示するステップを含む。例えば、（少なくともモバイルＡＰの観点からは）次のアクセス・ポイントへのハンドオーバが完了すると、次のアクセス・ポイントは、モバイルＡＰ用のＮＣトンネルのエンドポイントを、以前のアクセス・ポイントから次のアクセス・ポイントに修正する要求メッセージをＮＣに送信する。例えば、図９Ｂを参照すると、固定ＡＰ１と固定ＡＰ２の間の一時的なトンネルの確立の後に、固定ＡＰ２は、ＮＣにメッセージを送信して、モバイルＡＰ用のトンネルのエンドポイントを、固定ＡＰ１から固定ＡＰ２に修正するように要求する。
【０１８９】
[00200]  例示の方法８００は、ブロック８５０で、モバイルＡＰ用のＮＣトンネルを、以前のアクセス・ポイントから次のアクセス・ポイントに移すステップを含み、つまり、このようなトンネルを最適化する。このようなＮＣトンネルの修正の例は、図９Ｂから図９Ｃへの変化で示される。この時点で、モバイルＡＰに宛てられた通信は、例えば、ＮＣから固定ＡＰ１に、次いで、固定ＡＰ１から固定ＡＰ２に流れるのとは対照的に、ＮＣから直接固定ＡＰ２に流れることになる。
【０１９０】
[00201]  例示の実装態様では、ＮＣは、次のアクセス・ポイント（例えば、図９Ｃの固定ＡＰ２）への応答を行い、トンネル更新の成功または完了を確認する。
【０１９１】
[00202]  例示の方法８００は、ブロック８６０で、移されたＮＣトンネルを通信のために利用するステップを含む。本方法８００は次いで、 例えばブロック８７０で 、（例えば、ブロック８３０で形成された）一時的なトンネルを断絶するステップを含む。例示の実装態様では、モバイルＡＰ用のＮＣトンネルのエンドポイントが、以前のアクセス・ポイントから次のアクセス・ポイントへ成功裏に修正されるのに応じて、以前のアクセス・ポイントと次のアクセス・ポイントの間の一時的なトンネルはもはや必要ではなくなる。このような場合に、次のアクセス・ポイントは、（例えば、以前のアクセス・ポイントにメッセージングすること等によって）一時的なトンネルを能動的に断絶してもよく、または、（例えば、それらのタイマ失効、衛星リンクのクリーンアップ動作等によって）一時的なトンネルを受動的に断絶してもよい。
【０１９２】
[00203]  モバイルＡＰ用のＮＣトンネルを修正するプロセスでエラーが生じて、例えば、ＮＣトンネルが修正されていない場合は、一時的なトンネルは（例えば、モバイルＡＰが他のハンドオーバを実行するまで）アクティブ状態を維持する。代替では、次のアクセス・ポイントは、（例えば、予測した応答メッセージを閾値時間量内にＮＣから受信しないことによって、（例えば、時間閾値の後等に）以前のアクセス・ポイントからモバイルＡＰのためのトラフィックを受信するのを継続するのに応じて等）ＮＣトンネルが正しく修正されていないことを判定する。また、ＮＣトンネルのエンドポイントについて次のアクセス・ポイントへの修正の要求を繰り返し送信してもよい。
【０１９３】
[00204]  上述したように、ハンドオーバは、水平ハンドオーバおよび垂直ハンドオーバに分類することができる。ＡＰ（例えば、固定ＡＰ、モバイルＡＰ等）と基地局の間の例示の垂直ハンド―バのシナリオでは、本開示の種々の態様によれば、以前のＡＰ接続は、ハンドオーバ・プロセスの間に、制御メッセージの通信のために利用され、例えば、セルラ・ネットワークのレイテンシによって生じるハンドオーバ時間を削減する。
【０１９４】
[00205]  図１０は、本開示の種々の態様により、移動アクセス・ポイントをハンドオフする方法１０００のフロー図を示す。図１１Ａ〜図１１Ｂは、本開示の種々の態様により、図１０の例示の方法１０００の種々の態様を例示するブロック図を示す。例示の方法１００は、例えば、任意のまたは全ての特性を、本明細書において論じるネットワークおよび／またはネットワーク・コンポーネント１００、２００、３００、４００、５００〜５７０、６００、７００、９００、１０００、１１００、１２００および１３００に関し、本明細書で論じる他の例示の方法および／またはネットワーク若しくはコンポーネントの機能性と共有することができる。これより、図１０と図１１Ａ〜図１１Ｂを併せて、包括的に検討を行う。
【０１９５】
[00206]  例示の方法１０００は、ブロック１０１０で、モバイルＡＰが、現在のアクセス・ポイント（例えば、ＤＳＲＣの固定アクセス・ポイントまたはモバイル・アクセス・ポイント等）に替えて、セルラ基地局（または、例えば、衛星、Ｗｉ−Ｆｉ等のような他の技術接続ポイント）を利用することを決定するステップを含む。ブロック１０１０は、例えば、任意または全ての特性を、本明細書で論じたブロック８１０と共有することができる。例えば、通信信号特性、アクセス・ポイントまたは基地局の特性、負荷条件、利用可能な帯域幅、電力利用可能性および／または要件、通信品質特性、コスト、通信優先度、位置（１つまたは複数）、車両の軌跡、ハンドオフまたは性能履歴、他のネットワーク・ノードから受信した１つまたは複数の通信等に基づいて、ハンドオフの決定が行われる。
【０１９６】
[00207]  例示のシナリオでは、ある時間期間（例えば、数ルート、数日、数週間等）、同一の移動ルートに沿って動作した後に、モバイルＡＰ（または他のネットワーク・ノード）は、ハンドオフのパターンを識別する。例えば、モバイルＡＰは通常、特定の位置で基地局に対してハンドオフを行う。（例えば、ＧＮＳＳ／ＧＰＳ情報によって示され、時間および／または車両ルート情報によって示され、信号強度の三角形量によって示され、車両位置および軌跡情報によって予測される等）車両が特定の位置の近くでモバイルＡＰを搬送すると、ハンドオフの準備が、例えばハンドオフを予想することで開始することになる。例えば、このような予示されるハンドオフは、モバイルＡＰによって示されてもよく、および／または、中央コントローラ、若しくはシステム全体をビューする他のノードによって示されてもよい。
【０１９７】
[00208]  例示の方法１０００は、 ブロック１０２０で、 モバイルＡＰが、基地局との接続または通信リンクを確立するステップを含む。ブロック１０２０は、例えば、モバイルＡＰが、セルラ・プロトコルに従って、多様な手法の任意のもので基地局との接続（例えば、関連付け、アタッチメント、加入等）を確立するステップを含む。
【０１９８】
[00209]  例示の方法１００は 、 ブロック１０３０で、ＡＰから基地局までのルーティングの変更を要求する重複メッセージをＮＣに送信するステップを含む。モバイルＡＰは、ＡＰを通じて、第１の重複メッセージをＮＣに送信する。モバイルＡＰは、基地局を通じて、第２の複製メッセージをＮＣに送信する。この技術はまた、（例えば、Ｗｉ−Ｆｉホットスポットを介して、複数のＡＰおよび／または基地局を介して、最良のＡＰおよび／または基地局のセットを介して等）多様な他の通信経路の任意のものを利用するように拡張されることも注記しておく。
【０１９９】
[00210]  例えば、現在のＡＰ（例えば、固定ＡＰ、モバイルＡＰ等）との通信リンクが、相当量のデータ通信（例えば、インターネット通信等）にとって最低限度にすぎず(marginal)または効率的ではないようなシナリオであっても、このような通信リンクが利用されるのは、比較的短いメッセージ（例えば、制御メッセージや、測定情報、コンテキスト情報、ノード状態情報、エラー情報、故障情報、スループット情報、信号品質情報、負荷情報、通信リンク状態情報、輻輳情報、位置情報、電源または利用情報のうち任意の１つ以上を含むショート・データ・パケット等）である。例えば、少なくとも、第１信号強度レベルは、通常のネットワーク通信に適切な（または適切とみなされる）最小レベルであってよく、また、第１信号強度レベルより低い第２信号強度レベルは、制御メッセージ（またはパケット）および小さいデータ・メッセージの通信に適切な（または適切とみなされる）最小レベルであってよい。
【０２００】
[00211]  ＡＰ（例えば、固定ＡＰ、モバイルＡＰ等）および基地局を少なくとも通じて重複メッセージを送信することは、メッセージが可能な限り早くＮＣに到達することになるのを確実にする。例示の実装態様では、ＤＳＲＣネットワークを通じた通信レイテンシ（または遅延）は、セルラ・ネットワークを通じた通信レイテンシよりも通常は実質的に低いので、ＤＳＲＣネットワークを通じて送信されるバージョンの重複メッセージは、常にではないが通常は、セルラ・ネットワークを通じて送信されるバージョンの重複メッセージの前に到達することになる。このような効率的な通信は、例えば、２、３ミリ秒でハンドオフを完了させることを提供する。また、このような重複メッセージの通信はまた、（例えば、重複メッセージの１つ以上が欠落または破損した場合であっても）メッセージがＮＣに到達することになるのを確実にするよう支援する。
【０２０１】
[00212]  図１１Ａは、固定ＡＰ１を通じて第１の重複メッセージ１をＮＣに通信し、基地局を通じて第２の重複メッセージ２をＮＣに通信することを示す。重複メッセージは、異なるそれぞれのプロトコルに従って通信される異なる種別のそれぞれのパケット内の同一のペイロード（またはデータ構造）として通信されることを注記しておく。この時点では、モバイルＡＰとＮＣの間の全般的なデータ通信は、尚も、固定ＡＰを通じて進行中である。
【０２０２】
[00213]  この時点では、モバイルＡＰはハンドオーバが成功裏に完了することを想定し、また、基地局を通じてＮＣにアップストリーム情報の通信を開始することを注記しておく。代替として、モバイルＡＰは、ＮＣからの確認メッセージを待機するのでもよい。
【０２０３】
[00214]  例示の方法１０００は、ブロック１０４０で、（ブロック１０３０で送信された重複メッセージのうち少なくとも１つをＮＣが受信したのに応じて）ＮＣは、アクセス・ポイントに替えて基地局を利用するために、モバイルＡＰを用いて通信経路を修正するステップを含む。ＮＣは、例えば、（例えば、インターネットまたは他のネットワークから）ＮＣによって受信されたメッセージの転送宛先ノードを示すルーティング・テーブルを修正する。メッセージは、最終的にモバイルＡＰに宛てられる。図１１Ｂは、このような再ルーティングの例を太線で示している。太線は、ＮＣと基地局の間で延びており、（図１１Ａに示したように）ＮＣと固定ＡＰ１の間ではない。
【０２０４】
[00215]  ブロック１０４０はまた、例えば基地局を介して、ＮＣがモバイルＡＰに応答メッセージを送信するステップを例えば含む。応答メッセージは、例えば、ＡＰの替わりに基地局を含めるように、ＮＣからモバイルＡＰへのルーティングをＮＣが修正したことをモバイルＡＰに確かめる。モバイルＡＰは、基地局との動作を継続するために、ＮＣからのこのようなメッセージを待機して必要はないが、（例えば、ＮＣへのアップストリームのメッセージを通信し、および／またはＮＣからのダウンストリームのメッセージを予期するために）ハンドオフに成功したことまたは成功するであろうことを想定して、このようなメッセージは、ハンドオフが成功したことをモバイルＡＰに対して少なくとも示すのがよい。例えば、モバイルＡＰが閾値時間量内に基地局からメッセージを受信しないシナリオでは、例えば、このようなメッセージは、モバイルＡＰが、繰り返しのハンドオフ要求（または指令）をＮＣに送信することを妨げてもよい。
【０２０５】
[00216]  メッセージは、図１１Ｂの例では、メッセージ３として示される。図１１Ｂに提供された例では、ＮＣは、基地局を介してモバイルＡＰと通信する。
【０２０６】
[00217]  例示の方法１０００は、ブロック１０５０で 、 モバイルＡＰが以前のＡＰとの関連付けを解除するステップを含む。例えば、このような関連付けの解除は、（例えば、関連付け解除メッセージを送信することにより等）明示的なものでもよいが、そうでなくてもよい。例えば、このような関連付けの解除は、通信タイムアウト等によって生じてもよい。
【０２０７】
[00218]  関連付けの解除は、例示の方法１０００におけるこの時点で生じる必要はない。例えば、基地局との関連付け（または接続）の決定を行うときに、ハンドオフ要求メッセージがＮＣに送信されたとき若しくはその後に、或いは例示の方法１０００の種々の他の時点において、モバイルＡＰは以前のＡＰとの関連付けを解除する。
【０２０８】
[00219]  例示の方法１０００は、ブロック１０６０で、他の通信のために基地局を使用するステップを含む。
【０２０９】
[00220]  図１０の例示の方法１０００は、モバイルＡＰがＡＰ（例えば、ＤＳＲＣ固定ＡＰ、モバイルＡＰ等）から基地局（例えば、セルラ基地局、衛星等）へのハンドオフに伴うシナリオにおいて提示されているが、本開示の範囲はこれに限定されないことを注記しておく。例えば、（例えば、基地局とＡＰの間等で）逆ハンドオフがまた、アナログの手法で実施されてもよい。例えば、モバイルＡＰによる、基地局（例えば、セルラ基地局、衛生等）からＡＰ（例えば、ＤＳＲＣ固定ＡＰ、モバイルＡＰ等）へのハンドオフは、同様に、基地局を通じて、またモバイルＡＰを固定ＡＰにハンドオフを行うＡＰを通じて、ハンドオフ要求（または指令）メッセージを送信してもよい。
【０２１０】
[00221]  本開示の種々の態様によれば、モバイルＡＰおよびそれらに接続されたユーザのために、高速の水平ハンドオーバおよび垂直ハンドオーバが提供される。このようなハンドオーバは、ハンドオフの間にモバイルＡＰがネットワーク／インターネットに接続されていない（ＩＰデータを交換することができない等の）間の時間期間を低減／削減する。
【０２１１】
[00222]  本開示の種々の態様は、例えば、移動環境にあるモバイルＡＰに接続されるユーザ（またはクライアント）のために、シームレスなハンドオーバを提供する。このようなハンドオーバは、例えば、常時接続していながら、モバイルＡＰが同一または異なる無線技術における異なる接続ポイント（例えば、アクセス・ポイント、基地局等）の間で継続的にハンドオーバ（または当該異なる接続ポイントに再接続）していることをユーザに認識させてもよい。このようなハンド−バは、リアルタイム・アプリケーション（例えば、Ｓｋｙｐｅ（登録商標）、ＶｏＩＰアプリケーション等）による、また、種々の非リアル・タイム・アプリケーション（例えば、Ｙｏｕｔｕｂｅ（登録商標）、メディア・ストリーミング等）による最良のユーザ・エクスペリエンスを提供する。
【０２１２】
[00223]  図１２は、本開示の種々の態様による例示のモバイルＡＰの種々のコンポーネントのブロック図を示す。例示のモバイルＡＰ１２００は、例えば、任意または全ての特性を、本明細書で論じる他の例示の方法、ノード、ネットワーク、および／またはネットワーク・コンポーネント１００〜１１００、および１３００と共有することができる。例えば、例示のモバイルＡＰ１２００のコンポーネントの一部または全部は、本明細書に提示される方法ステップの一部または全部を実行する。
【０２１３】
[00224]  例示のモバイルＡＰ１２００は、例えば、通信インタフェース・モジュール１２２０を備え、モバイルＡＰ１２００のための無線および／または有線通信機能性の一部または全部を実行するように動作する。その数多くの例が本明細書に提供される（例えば、ＭＣとの通信、固定ＡＰノードとの通信、モバイルＡＰノードとの通信、クライアント・デバイスとの直接通信、バックホール通信、ＧＮＳＳ／ＧＰＳ受信機との通信等）。通信Ｉ／Ｆモジュール１２２０は、例えば、多様なセルラ通信プロトコル、無線ＬＡＮ通信プロトコル（例えば、ＷｉーＦｉ等）、無線ＰＡＮ通信プロトコル（例えば、Ｂｌｕｅｔｏｏｔｈ等）、ＩＥＥＥ８０２．１１ｐまたはＤＳＲＣ、衛星通信プロトコル、ファイバまたはケーブル通信プロトコル、ＬＡＮプロトコル（例えば、Ｅｔｈｅｒｎｅｔ等）等のうち任意のものにしたがって動作する。例えば、モバイルＡＰおよびＮＣの間、モバイルＡＰおよび固定またはモバイルＡＰの間等において、本明細書で論じる例示の通信のうち任意のものが、通信インタフェース・モジュール１２２０を利用して実行される。
【０２１４】
[00225]  例示のモバイルＡＰ１２００はまた、接続マネージャ・モジュール１２３０を備え、例えば、モバイルＡＰ１２００および１つ以上のＡＰ（例えば、モバイルＡＰ、固定ＡＰ等）と、基地局（例えば、セルラ基地局、衛星等）と、ユーザまたはクライアント・デバイス（例えば、携帯電話、スマートフォン、ハンドヘルド／タブレット／ラップトップ・パーソナル・コンピュータ）と、ネットワーク・コントローラ等と、の間の接続を管理する。接続マネージャ・モジュール１２３０は、例えば、通信インタフェース・モジュール１２２０によって提供される通信サービスを利用して、このような通信の種々の態様を実行することができる。接続マネージャ・モジュール１２３０は、例えば、本願明細書で論じる（例えば、図８の例示の方法８００に関して、図１０の例示の方法１０００に関して等の）ハンドオフ機能性の一部または全部を実行するように動作する。
【０２１５】
[00226]  例示のモバイルＡＰ１２００は、例えば、マスタ制御モジュール１２１０を備え、モバイルＡＰ１２００の動作を全般的に高いレベルで管理する。このようなマスタ制御モジュール１２１０は、例えば、モバイルＡＰ１２００のためのオペレーティング・システムの種々の態様を備える。
【０２１６】
[00227]  例示のモバイルＡＰ１２００は、例えば、モバイルＡＰ１２００上で実行する１つ以上のアプリケーション１２５０（例えば、クライアント管理アプリケーション、セキュリティ・アプリケーション、電源管理アプリケーション、車両監視アプリケーション、位置サービス・アプリケーション、ユーザ・インタフェース・アプリケーション等）を備える。
【０２１７】
[00228]  例示のモバイルＡＰ１２００はまた、１つ以上のプロセッサ１２８０およびメモリ・デバイス１２９０を備える。プロセッサ（１つまたは複数）１２８０は、例えば、多様なプロセッサ特性の任意のものを含む。例えば、プロセッサ（１つまたは複数）１２８０は、汎用プロセッサ、縮小命令セット（ＲＩＳ）プロセッサ、マイクロコントローラ、特定用途集積回路（ＡＳＩＣ）、ディジタル信号プロセッサ（ＤＳＰ）、ビデオ・プロセッサ等の１つ以上を備える。メモリ・デバイス（１つまたは複数）１２９０は、例えば、多様なメモリ特性の任意のものを含む。例えば、メモリ・デバイス（１つまたは複数）１２９０は、揮発性メモリや不揮発性メモリ等を備える。メモリ・デバイス（１つまたは複数）１２９０は、例えば、ソフトウェア命令を含む非一時的コンピュータ可読媒体を備え、プロセッサ（１つまたは複数）１２８０によって実行されると、モバイルＡＰ１２１０に、（例えば、本明細書で論じた例示の方法等に関する）本明細書で論じる機能性の一部または全部を実行させる。
【０２１８】
[00229]  例示のモバイルＡＰ１２００はまた、固定ＡＰ１２００（または基地局）としてもよく、この場合は、モジュールは、固定アクセス・ポイントおよび／または基地局に関して本明細書で論じる機能性の一部または全部を実行するように動作することを注記しておく。
【０２１９】
[00230]  図１３は、本開示の種々の態様による例示のネットワーク・コントローラ（ＮＣ）の種々のコンポーネントのブロック図を示す。例示のＮＣ１３００は、例えば、任意または全ての特性を、本明細書で論じる他の例示の方法、ノード、ネットワーク、および／またはネットワーク・コンポーネント１００〜１１００および１２００と共有することができる。例えば、例示のネットワーク・コントローラ１３００におけるコンポーネントの一部または全部は、本明細書に提示する方法ステップの一部または全部を実行する。
【０２２０】
[00231]  例示のＮＣ１３００は、例えば、通信インタフェース・モジュール１３２０を備え、ＮＣ１３００のための無線および／または有線通信機能性の一部または全部を実行するように動作する。その数多くの例が本明細書に提供される（例えば、ＮＣからの上流にあるエンティティとの通信、固定ＡＰノードとの通信、モバイルＡＰノードとの通信、セルラ（または他の）基地局との通信、クラウドまたはＡＰＩとの通信、バックホール通信等）。通信Ｉ／Ｆモジュール１３２０は、例えば、多様なセルラ通信プロトコル、無線ＬＡＮ通信プロトコル（例えば、ＷｉーＦｉ等）、無線ＰＡＮ通信プロトコル（例えば、Ｂｌｕｅｔｏｏｔｈ等）、ＩＥＥＥ８０２．１１ｐまたはＤＳＲＣ、衛星通信プロトコル、ファイバまたはケーブル通信プロトコル、ＬＡＮプロトコル（例えば、Ｅｔｈｅｒｎｅｔ等）等のうち任意のものにしたがって動作する。例えば、ＮＣと固定またはモバイルＡＰとの間等の、本明細書で論じる例示の通信の任意のものが、通信インタフェース・モジュール１３２０を利用して実行される。
【０２２１】
[00232]  例示のＮＣ１３００はまた、移動性制御モジュール１３３０を備え、例えば、ＮＣ１３００および１つ以上のＡＰ（例えば、モバイルＡＰ、固定ＡＰ等）と、基地局（例えば、セルラ基地局、衛星等）と、ユーザまたはクライアント・デバイスと、中央コントローラ等との間の通信を含んだ、例えば、ＮＣ１３００が責務を負うモバイルＡＰの移動性を管理する。移動性管理モジュール１３３０は、例えば、通信インタフェース・モジュール１３２０によって提供される通信サービスを利用して、このような通信の種々の態様を実行することができる。移動性管理モジュール１３３０は、例えば、本願明細書で論じる（例えば、図８の例示の方法８００に関して、図１０の例示の方法１０００に関して等の）ハンドオフ機能性の一部または全部を実行するように動作する。
【０２２２】
[00233]  例示のＮＣ１３００は、例えば、マスタ制御モジュール１３１０を備え、ＮＣ１３００の動作を全般的に高いレベルで管理する。このようなマスタ制御モジュール１３１０は、例えば、ＮＣ１３００のためのオペレーティング・システムの種々の態様を含む。
【０２２３】
[00234]  例示のＮＣ１３００は更に、例えば、ＮＣ１３００上で実行する１つ以上のアプリケーション１３５０（例えば、クライアント管理アプリケーション、セキュリティ・アプリケーション、電源管理アプリケーション、車両監視アプリケーション、位置サービス・アプリケーション、ユーザ・インタフェース・アプリケーション等）を備える。
【０２２４】
[00235]  例示のＮＣ１３００はまた、１つ以上のプロセッサ１３８０およびメモリ・デバイス１３９０を備える。プロセッサ（１つまたは複数）１３８０は、例えば、多様なプロセッサ特性の任意のものを含む。例えば、プロセッサ（１つまたは複数）１３８０は、汎用プロセッサ、ＲＩＳプロセッサ、マイクロコントローラ、ＡＳＩＣ、ＤＳＰ、ビデオ・プロセッサ等の１つ以上を備える。メモリ・デバイス（１つまたは複数）１３９０は、例えば、多様なメモリ特性の任意のものを含む。例えば、メモリ・デバイス（１つまたは複数）１３９０は、揮発性メモリや不揮発性メモリ等を備える。メモリ・デバイス（１つまたは複数）１３９０は、例えば、ソフトウェア命令を含む非一時的コンピュータ可読媒体を備え、プロセッサ（１つまたは複数）１３８０によって実行されると、ＮＣ１３００に、（例えば、本明細書で論じた例示の方法等に関する）本明細書で論じる機能性の一部または全部を実行させる。
【０２２５】
[00236]  要約すると、本開示の種々の態様は、モバイル・アクセス・ポイントのハンドオフを開始および／または管理するためのシステムおよび方法を提供する。非限定的な例として、本開示の種々の態様は、モバイル・アクセス・ポイントのハンドオフのコンテキストで、シグナリングおよびデータ・ルーティングを制御するためのシステムおよび方法を提供する。特定の態様および例を参照しながら説明したが、本開示の範囲から逸脱することなく、種々の変更を行うことができ、均等物と交換できることは、当業者には理解されよう。加えて、特定の状況または材料を本開示の教示に、その範囲から逸脱することなく、適応させるために、多くの変更を行うこともできる。したがって、本開示は、開示した特定の例（１つまたは複数）に限定されるのではなく、本開示は、添付する請求項の範囲内に該当する全ての例を含むことを意図している。
【０２２６】
[00237]  本開示の種々の態様によれば、とりわけ、安定的なＴＣＰ／ＩＰインターネット・アクセスを提供する手法で、例えば、ノードおよびエンド・デバイスの位置にしたがって、車両通信ネットワークを管理するシステムおよび方法が提供される。例えば、エンド・ユーザには、クリーンで安定的なＷｉ−Ｆｉインターネット接続が提供され、エンド・ユーザには、エンド・ユーザの家、ユーザの仕事場所や固定公衆Ｗｉ−Ｆｉホットスポット等でのＷｉ−Ｆｉインターネット接続と同一であるように見える。例えば、本明細書で説明する通信ネットワークを利用しているエンド・ユーザにとって、ＴＣＰセッションはアクティブ状態を保ち、ダウンロードを通常どおり処理し、通話呼を中断することなく続行する等ができる。本明細書で論じるように、本開示の種々の態様による車両通信ネットワークは、通常のインターネット・トラフィックに対して、および／またはプライベート・ネットワーク・トラフィック（例えば、有線ネットワークから車両およびその周りのユーザまでの顧客のプライべートＬＡＮにおけるアクセスを拡張したもの）に対して、トランスポート層として適用する。
【０２２７】
[00238]  例示のネットワーク実装態様によれば、ユーザは、車両における単一のＷｉ−Ｆｉ ＡＰに常時接続することになるが、車両（またはそのアクセス・ポイント、例えば、オンボード・ユニット（ＯＢＵ））は、複数のアクセス・ポイント（例えば、固定ＡＰ、他のモバイルＡＰ、セルラ基地局、固定Ｗｉ−Ｆｉホットスポット等）の間を移動することがある。例えば、本開示の種々の態様により実装される移動性管理は、異なる通信技術（例えば、ＩＥＥＥ８０２．１１ｐ、セルラ、Ｗｉ−Ｆｉ等）にわたり、固定ＡＰ（および／若しくはモバイルＡＰ）間でのモバイルＡＰの移行として、並びに／またはモバイルＡＰ間のエンド・ユーザの移行として、各車両およびそのユーザの移動性をサポートする。
【０２２８】
[00239]  本開示の種々の態様によれば、ネットワーク・コントローラ（ＮＣ）（ＬＭＡまたは移動性コントローラと称されることもある。）は、種々のノード（例えば、モバイルＡＰ等）の位置（例えば、ネットワーク位置等）、および／または、それらを通じて接続されたエンド・ユーザの位置を監視する。ネットワーク・コントローラ（ＮＣ）は、例えば、異なるアクセス・ポイント（ＡＰ）の間、並びに／または低リンク・レイテンシおよび低ハンドオーバ時間による異なる技術間で、シームレスなハンドオーバ（例えば、通信セッションの連続性の維持）を提供する。
【０２２９】
[00240]  本明細書に提供されるアーキテクチャはスケーラブルであり、例えば、冗長エレメントおよび／または機能性を利用して、制御の負荷バランスおよび／またはデータ通信の機能性を提供すると共に、障害の可能性を低減する。本開示の種々の態様はまた、（例えば、量および／または頻度の点で）低減した制御シグナリングを提供する。制御シグナリングは、例えば、バックエンド・サーバおよびＡＰ（例えば、固定ＡＰおよび／またはモバイルＡＰ）の両方において、制御オーバヘッドを低減させると共に、制御テーブルのサイズおよびトンネリングを低減させる。
【０２３０】
[00241]  加えて、本開示の種々の態様による通信ネットワーク（またはそのコンポーネント）は、モバイル・デバイスと相互作用する能力を含み、その結果、それら接続の選択の一部若しくは全部を制御し、および／またはそれら制御機能性をレバレッジすることができる。例えば、例示の実装態様では、モバイル・アプリケーションは、バックグラウンドで起動することができ、利用可能なネットワークおよび／またはそのノードを管理すると共に、最も適合する１つを選択する。次いで、現在の接続が断絶しないうちに、選択されたネットワーク（またはそのノード）へのハンドオフをトリガする。
【０２３１】
[00242]  通信ネットワーク（またはそのコンポーネント）はまた、インフラストラクチャ要件および各クライアントの移動性ニーズにしたがって構成可能である。例えば、通信ネットワーク（またはそのコンポーネント）は、異なるレイヤ２（Ｌ２）またはレイヤ３（Ｌ３）の実装、またはこれらの組み合わせを、ＩＰｖ４／ＩＰｖ６トラフィックと同様にサポートする性能を含んでもよい。
【０２３２】
[00243]  本開示の種々の態様は、複数のネットワーク・ノードを備える移動物体を有するネットワークにおいてモバイル・ネットワーク・ノードのハンドオーバを管理およびトリガする方法において認められる。本方法は、第１無線通信プロトコルを使用するモバイル・ネットワーク・ノードが、複数のネットワーク・ノードのうち第１ネットワーク・ノードとの第１関連付けを実行するステップを含む。ここでは、第１関連付けの結果、第１ネットワーク・ノードと、第１データ経路およびバックボーン・ネットワークの間にデータ接続性を提供するリモート・システムと、を接続する第１データ経路を生成することになる。本方法はまた、モバイル・ネットワーク・ノードの第１ネットワーク・ノードとの無線通信の損失の可能性を示す、モバイル・ネットワーク・ノードにおける少なくとも１つの条件の存在を判断するステップと、複数のネットワーク・ノードのうち第２ネットワーク・ノードを、モバイル・ネットワーク・ノードの１つ以上の特性と、第２ネットワーク・ノードの１つ以上の特性と、にしたがって識別するステップと、を含む。本方法は、第１無線通信プロトコルを使用するモバイル・ネットワーク・ノードが、第２ネットワーク・ノードとの第２関連付けを実行するステップを含む。ここでは、第２関連付けの結果、第１ネットワーク・ノードおよび第２ネットワーク・ノードを接続する第２データ経路を生成することになる。本方法は更に、モバイル・ネットワークが、第２ネットワーク・ノード、第１ネットワーク・ノード、第１データ経路、およびリモート・システムを介して、バックボーン・ネットワークに、およびバックボーン・ネットワークからデータを無線で転送するステップを含む。
【０２３３】
[00244]  本開示の種々の態様によれば、モバイル・ネットワーク・ノードの１つ以上の特性がモバイル・ネットワーク・ノードの現在の地理的位置を含み、第２ネットワーク・ノードの１つ以上の特性が第２ネットワーク・ノードの現在の地理的位置を含む。モバイル・ネットワーク・ノードの１つ以上の特性が、モバイル・ネットワーク・ノードを搬送する車両の速度を含む。また、モバイル・ネットワーク・ノードの１つ以上の特性がモバイル・ネットワーク・ノードを搬送する車両によって移動されているルートを含み、第２ネットワーク・ノードの１つ以上の特性が第２ネットワーク・ノードの現在の地理的位置を含む。車両が自律型車両であり、移動されているルートが自律型車両のナビゲーション・システムによってモバイル・ネットワーク・ノードに提供される。第１データ経路はトンネル化を採用して、リモート・システムおよび第１ネットワーク・ノードの間の通信を可能にする。
【０２３４】
[00245]  本開示の種々の態様によれば、第２ネットワーク・ノードおよびリモート・システムを接続する第３データ経路が第２関連付けに応じて生成され、第１データ経路および第２データ経路が、第３データ経路の生成の後に接続解除される。第３データ経路はトンネル化を採用して、リモート・システムおよび第１ネットワーク・ノードの間の通信を可能にする。第１ネットワーク・ノードが固定位置にあり、第２ネットワーク・ノードがモバイル・ネットワーク・ノードである。モバイル・ネットワーク・ノードにおける少なくとも１つの条件が、第１閾値未満である、第１ネットワーク・ノードから受信した信号を示す強度指標を含む。リモート・システムは、複数のネットワーク・ノードのそれぞれのネットワーク・ノードの地理的位置を関しする。モバイル・ネットワーク・ノードは、エンド・ユーザ・デバイスとの無線通信をサポートし、リモート・システムは、該リモート・システムを通じて接続される対応するエンド・ユーザ・デバイスの地理的位置を監視する。
バックボーン・ネットワークは、インターネットを含む。リモート・システムは、第１ネットワーク・ノードとの無線通信から、セルラ・ネットワークの基地局との無線通信へと、モバイル・ネットワーク・ノードにおけるシームレスなハンドオーバを可能とする。
【０２３５】
[00246]  本開示の種々の態様はまた、複数のコード部を備える非一時的コンピュータ可読媒体において認められる。ここでは、各コード部は１つ以上のプロセッサによって実行可能な複数の指示を含む。複数の指示は、１つ以上のプロセッサに、複数のネットワーク・ノードを備える移動物を有するネットワークにおいてモバイル・ネットワーク・ノードのハンドオーバを管理およびトリガする方法（例えば、上述した例示の方法）が有するステップを実行させる。
【０２３６】
[00247]  本開示の追加の態様は、複数のネットワーク・ノードを備える移動物を有するネットワークにおいてモバイル・ネットワーク・ノードのハンドオーバを管理およびトリガする方法を実行するためのシステムにおいて見出される。このようなシステムは、複数のネットワーク・ノードと無線通信し、衛星ベースのナビゲーション受信機と通信し、そして、車両の１つ以上のシステムと通信するように構成される１つ以上の通信インタフェースを備える。システムはまた、１つ以上のソフトウェア・アプリケーションおよびプログラム・データを格納するコンピュータ可読メモリと、１つ以上の通信インタフェースおよびコンピュータ可読メモリに動作可能に結合される１つ以上のプロセッサと、を備える。１つ以上のプロセッサは、少なくとも、上述した例示の方法が有するステップを実行するように動作可能である。
【０２３７】
[00248]  本開示の種々の態様によれば、本明細書において紹介したネットワークおよび／またはそのコンポーネントの例には、"Communication Network of Moving Things"（移動物体の通信ネットワーク）と題し、２０１５年９月２２日に出願された米国仮特許出願第６２／２２１，１９２号に示されている。この特許出願をここで引用したことにより、その内容全体が本願にも含まれるものとする。
【０２３８】
[00249]  本開示の種々の態様によれば、本明細書において紹介したネットワークおよび／またはそのコンポーネントには、このようなネットワークおよび／またはコンポーネントを他のネットワークおよびシステムと統合するシステムおよび方法が提供され**、その非限定的な例が、”Integrated Communication Network for A Network of Moving Things"（移動物体のネットワークのための統合通信ネットワーク）と題し、２０１５年９月２２日に出願された米国仮特許出願第６２／２２１，９９７号に示されている(provide)。この特許出願をここで引用したことにより、その内容全体が本願にも含まれるものとする。
【０２３９】
[00250]  また、本開示の種々の態様によれば、本明細書において紹介したネットワークおよび／またはそのコンポーネントには、このようなネットワークおよび／またはコンポーネントを同期させるシステムおよび方法が提供され、その非限定的な例が、"Systems and Methods for Synchronizing a Network of Moving Things"（移動物体のネットワークを同期させるシステムおよび方法）と題し、２０１５年９月２２に出願された米国仮特許出願第６２／２２２，０１６号に示されている。この特許出願をここで引用したことにより、その内容全体が本願にも含まれるものとする。
【０２４０】
[00251]  加えて、本開示の種々の態様によれば、本明細書において紹介したネットワークおよび／またはそのコンポーネントには、このようなネットワークおよび／またはコンポーネントを管理するシステムおよび方法が提供され、その非限定的な例が、"Systems and Methods for Managing a Network of Moving Things"（移動物体のネットワークを管理するシステムおよび方法）と題し、２０１５年９月２２日に出願された米国仮特許出願第６２／２２２，０４２号に示されている。この特許出願をここで引用したことにより、その内容全体が本願にも含まれるものとする。
【０２４１】
[00252]  更に、本開示の種々の態様によれば、本明細書において紹介したネットワークおよび／またはそのコンポーネントには、このようなネットワークおよび／またはコンポーネントを監視するシステムおよび方法が提供され、その非限定的な例が、"Systems and Methods for Monitoring a Network of Moving Things"（移動物体のネットワークを監視するシステムおよび方法）と題し、２０１５年９月２２に出願された米国仮特許出願第６２／２２２，０６６号に示されている。この特許出願をここで引用したことにより、その内容全体が本願にも含まれるものとする。
【０２４２】
[00253]  更にまた、本開示の種々の態様によれば、本明細書において紹介したネットワークおよび／またはそのコンポーネントには、このようなネットワークおよび／またはコンポーネントにおいて異常を検出および／または分類するシステムおよび方法が提供され、その非限定的な例が、"Systems and Methods for Detecting and Classifying Anomalies in a Network of Moving Things"（移動物体のネットワークにおいて異常を検出し分類するシステムおよび方法）と題し、２０１５年９月２２に出願された米国仮特許出願第６２／２２２，０７７号に示されている。この特許出願をここで引用したことにより、その内容全体が本願にも含まれるものとする。
【０２４３】
[00254]  更にまた、本開示の種々の態様によれば、本明細書において紹介したネットワークおよび／またはそのコンポーネントには、このようなネットワークおよび／またはコンポーネントにおいて移動性を管理するシステムおよび方法が提供され、その非限定的な例が、"Systems and Methods for Managing Mobility in a Network of Moving Things"（移動物体のネットワークにおいて移動性を管理するシステムおよび方法）と題し、２０１５年９月２２に出願された米国仮特許出願第６２／２２２，０９８号に示されている。この特許出願をここで引用したことにより、その内容全体が本願にも含まれるものとする。
【０２４４】
[00255]  また、本開示の種々の態様によれば、本明細書において紹介したネットワークおよび／またはそのコンポーネントには、このようなネットワークおよび／またはコンポーネントにおいて接続(connectivity)を管理するシステムおよび方法が提供され、その非限定的な例が、"Systems and Methods for Managing Connectivity a Network of Moving Things"（移動物体のネットワークにおける接続を管理するシステムおよび方法）と題し、２０１５年９月２２に出願された米国仮特許出願第６２／２２２，１２１号に示されている。この特許出願をここで引用したことにより、その内容全体が本願にも含まれるものとする。
【０２４５】
[00256]  加えて、本開示の種々の態様によれば、本明細書において紹介したネットワークおよび／またはそのコンポーネントには、このようなネットワークおよび／またはコンポーネントにおいてセンサ・データを収集するシステムおよび方法が提供され、その非限定的な例が、"Systems and Methods for Collecting Sensor Data in a Network of Moving Things"（移動物体のネットワークにおいてセンサ・データを収集するシステムおよび方法）と題し、２０１５年９月２２日に出願された米国仮特許出願第６２／２２２，１３５号に示されている。この特許出願をここで引用したことにより、その内容全体が本願にも含まれるものとする。
【０２４６】
[00257]  更に、本開示の種々の態様によれば、本明細書において紹介したネットワークおよび／またはそのコンポーネントには、このようなネットワークおよび／またはコンポーネントとインタフェースするシステムおよび方法が提供され、その非限定的な例が、"Systems and Methods for Interfacing with a Network of Moving Things"（移動物体のネットワークとインタフェースするシステムおよび方法）と題し、２０１５年９月２２日に出願された米国仮特許出願第６２／２２２，１４５号に示されている。この特許出願をここで引用したことにより、その内容全体が本願にも含まれるものとする。
【０２４７】
[00258]  更にまた、本開示の種々の態様によれば、本明細書において紹介したネットワークおよび／またはそのコンポーネントには、このようなネットワークおよび／またはコンポーネントのユーザとインタフェースするシステムおよび方法が提供され、その非限定的な例が、"Systems and Methods for Interfacing with a User of a Network of Moving Things"（移動物体のネットワークのユーザとインタフェースするシステムおよび方法）と題し、２０１５年９月２２日に出願された米国仮特許出願第６２／２２２，１５０号に示されている。この特許出願をここで引用したことにより、その内容全体が本願にも含まれるものとする。
【０２４８】
[00259]  更にまた、本開示の種々の態様によれば、本明細書において紹介したネットワークおよび／またはそのコンポーネントには、このようなネットワークおよび／またはコンポーネントにおけるデータ格納および処理システムおよび方法が提供され、その非限定的な例が、"Systems and Methods for Data Storage and Processing for a Network of Moving Things"（移動物体のネットワーク用のデータ・ストレージおよび処理システムおよび方法）と題し、２０１５年９月２２日に出願に出願された米国仮特許出願第６２／２２２，１６８号に示されている。この特許出願をここで引用したことにより、その内容全体が本願にも含まれるものとする。
【０２４９】
[00260]  また、本開示の種々の態様によれば、本明細書において紹介したネットワークおよび／またはそのコンポーネントには、このようなネットワークおよび／またはコンポーネントにおける車両交通管理システムおよび方法が提供され、その非限定的な例が、"Systems and Methods for Vehicle Traffic Management in a Network of Moving Things"（移動物体のネットワークにおける車両交通管理システムおよび方法）と題し、２０１５年９月２２日に出願された米国仮特許出願第６２／２２２，１８３号に示されている。この特許出願をここで引用したことにより、その内容全体が本願にも含まれるものとする。
【０２５０】
[00261]  加えて、本開示の種々の態様によれば、本明細書において紹介したネットワークおよび／またはそのコンポーネントには、このようなネットワークおよび／またはコンポーネントにおける環境管理システムおよび方法が提供され、その非限定的な例が、"Systems and Methods for Environmental Management in a Network of Moving Things"（移動物体のネットワークにおける環境管理システムおよび方法）と題し、２０１５年９月２２日に出願された米国仮特許出願第６２／２２２，１８６号に示されている。この特許出願をここで引用したことにより、その内容全体が本願にも含まれるものとする。
【０２５１】
[00262]  更に、本開示の種々の態様によれば、本明細書において紹介したネットワークおよび／またはそのコンポーネントには、このようなネットワークおよび／またはコンポーネントにおいて湾港または出荷作業を管理するシステムおよび方法が提供され、その非限定的な例が、"Systems and Methods for Port Management in a Network of Moving Things"（移動物体のネットワークにおけるポート管理システムおよび方法）と題し、２０１５年９月２２日に出願に出願された米国仮特許出願第６２／２２２，１９０号に示されている。この特許出願をここで引用したことにより、その内容全体が本願にも含まれるものとする。
【０２５２】
[00263]  また、開示の種々の態様によれば、本明細書において紹介したネットワークおよび／またはそのコンポーネントには、少なくとも部分的に履歴データに基づいて測位または位置情報の精度を高めるシステムおよび方法が提供され、その非限定的な例が、"Utilizing Historical Data to Correct GPS Data in a Network of Moving Things"（移動物体のネットワークにおいてＧＰＳデータを補正するための履歴データの利用）と題し、２０１５年１０月２２日に出願された米国仮特許出願第６２／２４４，８２８号に示されている。この特許出願をここで引用したことにより、その内容全体が本願にも含まれるものとする。
【０２５３】
[00264]  加えて、本開示の種々の態様によれば、本明細書において紹介したネットワークおよび／またはそのコンポーネントには、少なくとも部分的にアンカーの利用に基づいて測位または位置情報の位置(position or location)の精度を高めるシステムおよび方法が提供され、その非限定的な例が、"Using Anchors to Correct GPS Data in a Network of Moving Things"（移動物体のネットワークにおいてＧＰＳデータを補正するためのアンカーの使用）と題し、２０１５年１０月２２日に出願された米国仮特許出願第６２／２４４，９３０号に示されている。この特許出願をここで引用したことにより、その内容全体が本願にも含まれるものとする。
【０２５４】
[00265]  更に、本開示の種々の態様によれば、本明細書において紹介したネットワークおよび／またはそのコンポーネントには、アプリケーション間で通信を行うシステムおよび方法が提供され、その非限定的な例が、"Systems and Methods for Inter-Application Communication in a Network of Moving Things"（移動物体のネットワークにおけるアプリケーション間通信システムおよび方法）と題し、２０１５年１０月２６日に出願された米国仮特許出願第６２／２４６，３６８号に示されている。この特許出願をここで引用したことにより、その内容全体が本願にも含まれるものとする。
【０２５５】
[00266]  更にまた、開示の種々の態様によれば、本明細書において紹介したネットワークおよび／またはそのコンポーネントには、通信を精査し、分析し、および／または有効性を判断するシステムおよび方法が提供され、その非限定的な例が、"Systems and Methods for Probing and Validating Communication in a Network of Moving Things"（移動物体のネットワークにおいて通信を精査し有効性を確認するシステムおよび方法）と題し、２０１５年１０月２６日に出願された米国仮特許出願第６２／２４６，３７２号に示されている。この特許出願をここで引用したことにより、その内容全体が本願にも含まれるものとする。
【０２５６】
[00267]  更にまた、本開示の種々の態様によれば、本明細書において紹介したネットワークおよび／またはそのコンポーネントには、通信速度を適応させるシステムおよび方法が提供され、その非限定的な例が、"Adaptive Rate Control for Vehicular Networks"（車両用ネットワークの適応速度制御）と題し、２０１５年１１月４日に出願された米国仮特許出願第６２／２５０，５４４号に示されている。この特許出願をここで引用したことにより、その内容全体が本願にも含まれるものとする。
【０２５７】
[00268]  また、本開示の種々の態様によれば、本明細書において紹介したネットワークおよび／またはそのコンポーネントには、ハードウェアを再構成および適応させるシステムおよび方法が提供され、その非限定的な例が、"Systems and Methods for Reconfiguring and Adapting Hardware in a Network of Moving Things"（移動物体のネットワークにおいてハードウェアを再構成し適応させるシステムおよび方法）と題し、２０１５年１２月３１日に出願された米国仮特許出願第６２／２７３，８７８号に示されている。この特許出願をここで引用したことにより、その内容全体が本願にも含まれるものとする。
【０２５８】
[00269]  加えて、本開示の種々の態様によれば、本明細書において紹介したネットワークおよび／またはそのコンポーネントには、データの収集を最適化するシステムおよび方法が提供され、その非限定的な例が、"Systems and Methods for Optimizing Data Gathering in a Network of Moving Things"（移動物体のネットワークにおいてデータ収集を最適化するシステムおよび方法）と題し、２０１５年１１月１０日に出願された米国仮特許出願第６２／２５３，２４９号に示されている。この特許出願をここで引用したことにより、その内容全体が本願にも含まれるものとする。
【０２５９】
[00270]  更に、本開示の種々の態様によれば、本明細書において紹介したネットワークおよび／またはそのコンポーネントには、遅延耐性ネットワーキングを実行するシステムおよび方法が提供され、その非限定的な例が、"Systems and Methods for Delay Tolerant Networking in a Network of Moving Things"（移動物体のネットワークにおける遅延耐性ネットワーキング・システムおよび方法）と題し、２０１５年１１月１９日に出願された米国仮特許出願第６２／２５７，４２１号に示されている。この特許出願をここで引用したことにより、その内容全体が本願にも含まれるものとする。
【０２６０】
[00271]  更にまた、本開示の種々の態様によれば、本明細書において紹介したネットワークおよび／またはそのコンポーネントには、モバイル・アクセス・ポイントのカバレッジおよびスループットを改善するシステムおよび方法が提供され、その非限定的な例が、"Systems and Methods for Improving Coverage and Throughput of Mobile Access Points in a Network of Moving Things"（移動物体のネットワークにおいてモバイル・アクセス・ポイントのカバレッジおよびスループットを改善するシステムならびに方法）と題し、２０１５年１２月９日に出願された米国仮特許出願第６２／２６５，２６７号に示されている。この特許出願をここで引用したことにより、その内容全体が本願にも含まれるものとする。
【０２６１】
[00272]  更にまた、本開示の種々の態様によれば、本明細書において紹介したネットワークおよび／またはそのコンポーネントには、チャネル利用を調整するシステムおよび方法が提供され、その非限定的な例が、"Channel Coordination in a Network of Moving Things"（移動物体のネットワークにおけるチャネル調整）と題し、２０１５年１２月２２日に出願された米国仮特許出願第６２／２７０，８５８号に示されている。この特許出願をここで引用したことにより、その内容全体が本願にも含まれるものとする。
【０２６２】
[00273]  また、本開示の種々の態様によれば、本明細書において紹介したネットワークおよび／またはそのコンポーネントには、移動物体のネットワークにおいてネットワーク・コード化メッシュ・ネットワークを実現するシステムおよび方法が提供され、その非限定的な例が、"Systems and Methods for Network Coded Mesh Networking in a Network of Moving Things"（移動物体のネットワークにおけるネットワーク・コード化メッシュ・ネットワーキング・システムおよび方法）と題し、２０１５年１１月２０日に出願された米国仮特許出願第６２／２５７，８５４号に示されている。この特許出願をここで引用したことにより、その内容全体が本願にも含まれるものとする。
【０２６３】
[00274]  加えて、本開示の種々の態様によれば、本明細書において紹介したネットワークおよび／またはそのコンポーネントには、固定アクセス・ポイントのカバレッジを改善するシステムおよび方法が提供され、その非限定的な例が、"Systems and Methods for Improving Fixed Access Point Coverage in a Network of Moving Things"（移動物体のネットワークにおいて固定アクセス・ポイント・カバレッジを改善するシステムおよび方法）と題し、２０１５年１１月３０日に出願された米国仮特許出願第６２／２６０，７４９号に示されている。この特許出願をここで引用したことにより、その内容全体が本願にも含まれるものとする。
【０２６４】
[00275]  更に、本開示の種々の態様によれば、本明細書において紹介したネットワークおよび／またはそのコンポーネントには、移動性コントローラおよびそれらのネットワーク相互作用を管理するシステムおよび方法を提供され、その非限定的な例が、"Systems and Methods for Managing Mobility Controllers and Their Network Interactions in a Network of Moving Things"（移動物体のネットワークにおいて移動性コントローラおよびそれらのネットワーク相互作用を管理するシステムならびに方法）と題し、２０１５年１２月３１日に出願された米国仮特許出願第６２／２７３，７１５号に示されている。この特許出願をここで引用したことにより、その内容全体が本願にも含まれるものとする。
【０２６５】
[00276]  更にまた、本開示の種々の態様によれば、本明細書において紹介したネットワークおよび／またはそのコンポーネントには、モバイル・アクセス・ポイントのハンドオーバを管理および／またはトリガするシステムおよび方法が提供され、その非限定的な例が、"Systems and Methods for Managing and Triggering Handovers of Mobile Access Points in a Network of Moving Things"（移動物体のネットワークにおけるモバイル・アクセス・ポイントのハンドオーバを管理およびトリガするシステムならびに方法）と題し、２０１６年１月２１に出願された米国仮特許出願第６２／２８１，４３２号に示されている。この特許出願をここで引用したことにより、その内容全体が本願にも含まれるものとする。
【０２６６】
[00277]  更にまた、本開示の種々の態様によれば、本明細書において紹介したネットワークおよび／またはそのコンポーネントには、キャプティブ・ポータル関連制御および管理を実行するシステムおよび方法が提供され、その非限定的な例が、"Captive Portal-related Control and Management in a Network of Moving Things"（移動物体のネットワークにおけるキャプティブ・ポータル関連制御および管理）と題し、２０１５年１２月１６日に出願された米国仮特許出願第６２／２６８，１８８号に示されている。この特許出願をここで引用したことにより、その内容全体が本願にも含まれるものとする。
【０２６７】
[00278]  また、本開示の種々の態様によれば、本明細書において紹介したネットワークおよび／またはそのコンポーネントには、高価値データを推定するシステムおよび方法が提供され、その非限定的な例が、"Systems and Methods to Extrapolate High- Value Data from a Network of Moving Things"（移動物体のネットワークからの高価値データを推定するシステムおよび方法）と題し、２０１５年１２月２２日に出願された米国仮特許出願第６２／２７０，６７８号に示されている。この特許出願をここで引用したことにより、その内容全体が本願にも含まれるものとする。
【０２６８】
[00279]  加えて、本開示の種々の態様によれば、本明細書において紹介したネットワークおよび／またはそのコンポーネントには、リモート・ソフトウェア更新および流通を行うシステムおよび方法が提供され、その非限定的な例が、"Systems and Methods for Remote Software Update and Distribution in a Network of Moving Things"（移動物体のネットワークにおけるリモート・ソフトウェア更新および流通システムならびに方法）と題し、２０１５年１２月３０日に出願された米国仮特許出願第６２／２７２，７５０号に示されている。この特許出願をここで引用したことにより、その内容全体が本願にも含まれるものとする。
【０２６９】
[00280]  更に、本開示の種々の態様によれば、本明細書において紹介したネットワークおよび／またはそのコンポーネントには、リモート構成更新および流通を行うシステムおよび方法が提供され、その非限定的な例が、"Systems and Methods for Remote Configuration Update and Distribution in a Network of Moving Things"（移動物体のネットワークにおけるリモート構成更新および流通システムならびに方法）と題し、２０１６年１月１４日に出願された米国仮特許出願第６２／２７８，６６２号に示されている。この特許出願をここで引用したことにより、その内容全体が本願にも含まれるものとする。
【０２７０】
[00281]  更にまた、本開示の種々の態様によれば、本明細書において紹介したネットワークおよび／またはそのコンポーネントには、ユーザ・フィードバックに基づいて、例えば自動的に、ネットワークを適応させるシステムおよび方法が提供され、その非限定的な例が、"Systems and Methods for Adapting a Network of Moving Things Based on User Feedback"（ユーザ・フィードバックに基づいて移動物体のネットワークを適応させるシステムおよび方法）と題し、２０１６年１月２２日に出願された米国仮特許出願第６２／２８６，２４３号に示されている。この特許出願をここで引用したことにより、その内容全体が本願にも含まれるものとする。
【０２７１】
[00282]  更にまた、本開示の種々の態様によれば、本明細書において紹介したネットワークおよび／またはそのコンポーネントには、データ分析を構築または実行するときにデータの完全性を高めるおよび／または保証するシステムおよび方法が提供され、その非限定的な例が、"Systems and Methods to Guarantee Data Integrity When Building Data Analytics in a Network of Moving Things"（移動物体のネットワークにおいてデータ分析を構築するときにデータの完全性を保証するシステムおよび方法）と題し、２０１６年１月１４日付けの米国仮特許出願第６２／２７８，７６４号に示されている。この特許出願をここで引用したことにより、その内容全体が本願にも含まれるものとする。
【０２７２】
[00283]  また、本開示の種々の態様によれば、本明細書において紹介したネットワークおよび／またはそのコンポーネントには、モバイル・アクセス・ポイントの自己初期化および／または自動ブートストラップを実行するシステムおよび方法が提供され、その非限定的な例が、"Systems and Methods for Self-Initialization and Automated Bootstrapping of Mobile Access Points in a Network of Moving Things"（移動物体のネットワークにおけるモバイル・アクセス・ポイントの自己初期化および自動ブートストラップを行うシステムならびに方法）と題し、２０１６年１月２５日に出願された米国仮特許出願第６２／２８６，５１５号に示されている。この特許出願をここで引用したことにより、その内容全体が本願にも含まれるものとする。
【０２７３】
[00284]  加えて、本開示の種々の態様によれば、本明細書において紹介したネットワークおよび／またはそのコンポーネントには、電力供給および／または利用を管理するシステムおよび方法が提供され、その非限定的な例が、"Systems and Methods for Power Management in a Network of Moving Things"（移動物体のネットワークにおける電力管理システムおよび方法）と題し、２０１６年２月１６日に出願された米国仮特許出願第６２／２９５，６０２号に示されている。この特許出願をここで引用したことにより、その内容全体が本願にも含まれるものとする。
【０２７４】
[00285]  更に、本開示の種々の態様によれば、本明細書において紹介したネットワークおよび／またはそのコンポーネントには、インフラストラクチャの設置および設定を自動化および簡易化するシステムおよび方法が提供され、その非限定的な例が、"Systems and Methods for Automating and Easing the Installation and Setup of the Infrastructure Supporting a Network of Moving Things"（移動物体のネットワークをサポートするインフラストラクチャの設置および設定を自動化および易化するためのシステムおよび方法）と題し、２０１６年２月２４日に出願された米国仮特許出願第６２／２９９，２６９号に示されている。この特許出願をここで引用したことにより、その内容全体が本願にも含まれるものとする。
【０２７５】
[00286]  要約すると、本開示の種々の態様は、例えば、モバイル・ノードおよび静的ノードの組み合わせを備えるモバイル・ノードのネットワークをサポートするネットワーク・アーキテクチャ、システムおよび方法を提供する。非限定的な例として、本開示の種々の態様は、静止ノードおよび移動中の通信ノードを備える、動的に構成可能な通信ネットワーク（例えば、移動物体のインターネット）をサポートするためのネットワーク・アーキテクチャ、システムおよび方法を提供する。以上では、特定の態様および例を参照しながら説明したが、本開示の範囲から逸脱することなく、種々の変更を行うことができ、均等物と交換できることは、当業者には理解されよう。加えて、特定の状況または材料を本開示の教示に、その範囲から逸脱することなく、適応させるために、多くの変更を行うこともできる。したがって、本開示は、開示した特定の例（１つまたは複数）に限定されるのではなく、本開示は、添付する請求項の範囲内に該当する全ての例を含むことを意図している。
【図１】
2019506801.tif 000003
【図２】
2019506801.tif 000004
【図３】
2019506801.tif 000005
【図４】
2019506801.tif 000006
【図５Ａ】
2019506801.tif 000007
【図５Ｂ】
2019506801.tif 000008
【図５Ｃ】
2019506801.tif 000009
【図６】
2019506801.tif 000010
【図７】
2019506801.tif 000011
【図８】
2019506801.tif 000012
【図９Ａ】
2019506801.tif 000013
【図９Ｂ】
2019506801.tif 000014
【図９Ｃ】
2019506801.tif 000015
【図１０】
2019506801.tif 000016
【図１１Ａ】
2019506801.tif 000017
【図１１Ｂ】
2019506801.tif 000018
【図１２】
2019506801.tif 000019
【図１３】
2019506801.tif 000020
【国際調査報告】
2019506801.tif 000021